(57)【要約】【課題】優れた表示状態の維持性を有し、且つ、１画素単位でも中間調の表示が可能な表示媒体、表示方法、及び表示装置を提供すること。【解決手段】少なくとも一方が透光性を有する一対の基板と、該一対の基板の間隙に封入された分散媒と、該分散媒に含まれ、１種類以上のまたは互いに色の異なる２種類以上の電気泳動粒子と、前記一対の基板間に配置され、前記電気泳動粒子を保持する機能を有する保持体と、を少なくとも備え、前記保持体は、外部電圧により、前記保持体上の前記電気泳動粒子の移動量が制御される機能を有することを特徴とする表示媒体、この表示媒体への表示方法、及びこの表示媒体へ表示を行う表示装置。【選択図】図１
2008139803.tif 000002
【特許請求の範囲】
【請求項１】
少なくとも一方が透光性を有する一対の基板と、
該一対の基板の間隙に封入された分散媒と、
該分散媒に含まれ、１種類以上のまたは互いに色の異なる２種類以上の電気泳動粒子と、前記一対の基板間に配置され、前記電気泳動粒子を保持する機能を有する保持体と、を少なくとも備え、前記保持体は、外部電圧により、前記保持体上の前記電気泳動粒子の移動量が制御される機能を有することを特徴とする表示媒体。
【請求項２】
前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項１に記載の表示媒体。
【請求項３】
前記電気泳動粒子は、正負何れかの極性に帯電し、前記保持体の少なくとも一部は、全種類の前記電気泳動粒子と逆の極性に帯電していることを特徴とする請求項１に記載の表示媒体。
【請求項４】
前記保持体が、２以上の粒子状の部材を含んで構成されることを特徴とする請求項１に記載の表示媒体。
【請求項５】
前記保持体が、前記全種類の電気泳動粒子とは異なる色であることを特徴とする請求項１に記載の表示媒体。
【請求項６】
前記保持体が、繊維の集合体を含んで構成されることを特徴とする請求項１に記載の表示媒体。
【請求項７】
前記保持体が、不織布を含んで構成されることを特徴とする請求項１に記載の表示媒体。
【請求項８】
前記保持体の前記電気泳動粒子を保持する機能が、前記一対の基板の向かい合う方向において連続的または段階的に異なることを特徴とする請求項１に記載の表示媒体。
【請求項９】
前記保持体の前記電気泳動粒子を保持する機能が、前記一対の基板の向かい合う方向において該一対の基板の少なくとも一方から離れるほど連続的または段階的に小さいことを特徴とする請求項１に記載の表示媒体。
【請求項１０】
前記保持体が、前記電気泳動粒子の通過する空隙を有する多孔質体を含んで構成されることを特徴とする請求項１に記載の表示媒体。
【請求項１１】
前記保持体が、白色であることを特徴とする請求項１に記載の表示媒体。
【請求項１２】
前記電気泳動粒子が、色及び前記電界の閾値の絶対値が互いに異なる２種類以上の電気泳動粒子を含んで構成されることを特徴とする請求項１に記載の表示媒体。
【請求項１３】
前記電気泳動粒子が、種類間で互いに体積平均一次粒径の異なる２種類以上の電気泳動粒子を含んで構成されることを特徴とする請求項１に記載の表示媒体。
【請求項１４】
前記電気泳動粒子が、前記分散媒に分散した状態で互いに異なる色に発色すると共に、前記電界の閾値の絶対値が互いに異なる２種類以上の電気泳動粒子を含んで構成されることを特徴とする請求項１に記載の表示媒体。
【請求項１５】
少なくとも一方が透光性を有する一対の基板と、
該一対の基板の間隙に封入された分散媒と、
該分散媒に含まれ、１種類以上のまたは互いに色の異なる２種類以上の電気泳動粒子と、
前記一対の基板間に配置され、前記電気泳動粒子を保持する機能を有する保持体を含む調光層と、
前記一対の基板の一方の基板側と他方の基板側とに配置された一対の電極と、
該一対の電極に接続され、前記分散媒に対して電界を印加する電界印加手段と、
を少なくとも備え、
前記電圧印加手段により前記保持体上の前記電気泳動粒子の移動量が制御されることを特徴とする表示装置。
【請求項１６】
前記保持体に保持された状態の前記電気泳動粒子が、前記保持体から離脱して前記分散媒中を移動する電界の閾値の絶対値が１００Ｖ／ｃｍ〜３０ｋＶ／ｃｍの範囲内であり、
前記電界印加手段が、
電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間とを１周期とする波形で構成され、且つ、
少なくともいずれか１つの周期における第一の区間内の波形が下式（１）を満たす電圧波形を有する電界を、前記分散媒に対して印加することを特徴とする請求項１５に記載の表示装置。
・式（１）  Ｅｐ＜Ｅｍａｘ
〔式（１）において、Ｅｐは、下式（２）で示される値を表し、Ｅｍａｘは、電圧の絶対値が閾電圧の絶対値以上である電圧で前記調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【数１】
2008139803.tif 000009
〔式（２）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【請求項１７】
前記電気泳動粒子は、正負何れかの極性に帯電し、前記保持体の少なくとも一部は、全種類の前記電気泳動粒子と逆の極性に帯電していることを特徴とする請求項１５に記載の表示装置。
【請求項１８】
前記保持体が、２以上の粒子状の部材を含んで構成されることを特徴とする請求項１５に記載の表示装置。
【請求項１９】
前記保持体が、前記全種類の電気泳動粒子とは異なる色であることを特徴とする請求項１５に記載の表示装置。
【請求項２０】
前記保持体が、繊維の集合体を含んで構成されることを特徴とする請求項１５に記載の表示装置。
【請求項２１】
前記保持体が、不織布を含んで構成されることを特徴とする請求項１５に記載の表示装置。
【請求項２２】
前記保持体の前記電気泳動粒子を保持する機能が、前記一対の基板の向かい合う方向において連続的または段階的に異なることを特徴とする請求項１５に記載の表示装置。
【請求項２３】
前記保持体の前記電気泳動粒子を保持する機能が、前記一対の基板の向かい合う方向において該一対の基板の少なくとも一方から離れるほど連続的または段階的に小さいことを特徴とする請求項１５に記載の表示装置。
【請求項２４】
前記保持体が、前記電気泳動粒子の通過する空隙を有する多孔質体を含んで構成されることを特徴とする請求項１５に記載の表示装置。
【請求項２５】
前記保持体が、白色であることを特徴とする請求項１５に記載の表示装置。
【請求項２６】
前記電気泳動粒子が、色及び前記電界の閾値の絶対値が互いに異なる２種類以上の電気泳動粒子を含んで構成されることを特徴とする請求項１５に記載の表示装置。
【請求項２７】
前記電気泳動粒子が、種類間で互いに体積平均一次粒径の異なる２種類以上の電気泳動粒子を含んで構成されることを特徴とする請求項１５に記載の表示装置。
【請求項２８】
前記電気泳動粒子が、前記分散媒に分散した状態で互いに異なる色に発色すると共に、前記電界の閾値の絶対値が互いに異なる２種類以上の電気泳動粒子を含んで構成されることを特徴とする請求項１５に記載の表示装置。
【請求項２９】
分散媒と、該分散媒に含まれ、１種類以上のまたは互いに色の異なる２種類以上の電気泳動粒子と、前記電気泳動粒子を保持する機能を有する保持体と、を含む調光層に対して、
電位勾配が形成され、且つ、前記電気泳動粒子を、前記保持体を介して移動させる電界を印加することにより、
前記調光層の一方の側に前記電気泳動粒子を偏在させて、前記調光層の一方の側における前記電気泳動粒子に起因する色濃度が、最大濃度となるように表示を行う第１の表示工程と、
前記調光層の他方の側に前記電気泳動粒子を偏在させて、前記調光層の一方の側における前記電気泳動粒子に起因する色濃度が、最小濃度で表示を行う第２の表示工程と、
前記調光層の前記一方の側と前記他方の側との間に前記電気泳動粒子を偏在させて、前記調光層の一方の側における前記電気泳動粒子に起因する色濃度が、前記最大濃度よりも小さく且つ前記最小濃度よりも大きい濃度で表示を行う第３の表示工程と、
を任意の順で実施して表示の切り替えを行うことを特徴とする表示方法。
【請求項３０】
前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項２９に記載の表示方法。
【請求項３１】
前記保持体に保持された状態の電気泳動粒子が、前記保持体から離脱して前記分散媒中を移動する電界の閾値を有し、
前記調光層に対して印加される電界の電圧波形が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間と、を１周期とする波形で構成され、且つ、少なくともいずれか１つの周期における第一の区間内の波形が下式（３）を満たすことを特徴とする請求項２９に記載の表示方法。
・式（３）  Ｅｐ＜Ｅｍａｘ
〔式（３）において、Ｅｐは、下式（４）で示される値を表し、Ｅｍａｘは、電圧の絶対値が閾電圧の絶対値以上である電圧で調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【数２】
2008139803.tif 000010
〔式（４）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【発明の詳細な説明】
【技術分野】
【０００１】
本発明は、表示媒体、表示装置および表示方法に関するものである。
【背景技術】
【０００２】
環境に配慮した表示媒体として、帯電した粒子を電界中に置いた際に、電気泳動する現象を利用して表示を行う表示媒体が知られている。この表示媒体では、電界が印加されない状態でも表示された画像が消えずに維持されるいわゆるメモリー性を有しているため、消費電力が少ないというメリットがある。また、このメリットを生かすためには、表示媒体は反射型とし、特に鮮明な表示が行えるようにすることが重要である。
【０００３】
鮮明な表示が行える表示媒体としては、例えば、一対の基板間に、一方の基板側から他方の基板側方向あるいはその逆方向へと向かう光を遮る隠蔽性のある球状体を配置し、表示粒子（粒子）が、これら球状体の間隙を通過できるようにした構成を有するものが知られている（例えば、特許文献１、２参照）。この表示媒体においては、球状体と表示粒子との光学特性に差を持たせることで、表示の鮮明さを得ている。
【特許文献１】特開２００３−１８６０６２号公報
【特許文献２】特開２００５−３２６５７０号公報
【発明の開示】
【発明が解決しようとする課題】
【０００４】
本発明は、優れた表示状態の維持性を有し、且つ、１画素単位でも中間調の表示が可能な表示媒体、表示装置および表示方法を提供することを課題とする。
【課題を解決するための手段】
【０００５】
上記課題は以下の本発明により達成される。すなわち、
請求項１に係る発明は、少なくとも一方が透光性を有する一対の基板と、該一対の基板の間隙に封入された分散媒と、該分散媒に含まれ、１種類以上のまたは互いに色の異なる２種類以上の電気泳動粒子と、前記一対の基板間に配置され、前記電気泳動粒子を保持する機能を有する保持体と、を少なくとも備え、前記保持体は、外部電圧により、前記保持体上の前記電気泳動粒子の移動量が制御される機能を有することを特徴とする表示媒体である。
【０００６】
請求項２に係る発明は、前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項１に記載の表示媒体である。
【０００７】
請求項３に係る発明は、前記電気泳動粒子は、正負何れかの極性に帯電し、前記保持体の少なくとも一部は、全種類の前記電気泳動粒子と逆の極性に帯電していることを特徴とする請求項１に記載の表示媒体である。
【０００８】
請求項４に係る発明は、前記保持体が、２以上の粒子状の部材を含んで構成されることを特徴とする請求項１に記載の表示媒体である。
【０００９】
請求項５に係る発明は、前記保持体が、前記全種類の電気泳動粒子とは異なる色であることを特徴とする請求項１に記載の表示媒体である。
【００１０】
請求項６に係る発明は、前記保持体が、繊維の集合体を含んで構成されることを特徴とする請求項１に記載の表示媒体である。
【００１１】
請求項７に係る発明は、前記保持体が、不織布を含んで構成されることを特徴とする請求項１に記載の表示媒体である。
【００１２】
請求項８に係る発明は、前記保持体の前記電気泳動粒子を保持する機能が、前記一対の基板の向かい合う方向において連続的または段階的に異なることを特徴とする請求項１に記載の表示媒体である。
【００１３】
請求項９に係る発明は、前記保持体の前記電気泳動粒子を保持する機能が、前記一対の基板の向かい合う方向において該一対の基板の少なくとも一方から離れるほど連続的または段階的に小さいことを特徴とする請求項１に記載の表示媒体である。
【００１４】
請求項１０に係る発明は、前記保持体が、前記電気泳動粒子の通過する空隙を有する多孔質体を含んで構成されることを特徴とする請求項１に記載の表示媒体である。
【００１５】
請求項１１に係る発明は、前記保持体が、白色であることを特徴とする請求項１に記載の表示媒体である。
【００１６】
請求項１２に係る発明は、前記電気泳動粒子が、色及び前記電界の閾値の絶対値が互いに異なる２種類以上の電気泳動粒子を含んで構成されることを特徴とする請求項１に記載の表示媒体である。
【００１７】
請求項１３に係る発明は、前記電気泳動粒子が、種類間で互いに体積平均一次粒径の異なる２種類以上の電気泳動粒子を含んで構成されることを特徴とする請求項１に記載の表示媒体である。
【００１８】
請求項１４に係る発明は、前記電気泳動粒子が、前記分散媒に分散した状態で互いに異なる色に発色すると共に、前記電界の閾値の絶対値が互いに異なる２種類以上の電気泳動粒子を含んで構成されることを特徴とする請求項１に記載の表示媒体である。
【００１９】
請求項１５に係る発明は、少なくとも一方が透光性を有する一対の基板と、該一対の基板の間隙に封入された分散媒と、該分散媒に含まれ、１種類以上のまたは互いに色の異なる２種類以上の電気泳動粒子と、前記一対の基板間に配置され、前記電気泳動粒子を保持する機能を有する保持体とを含む調光層と、前記一対の基板の一方の基板側と他方の基板側とに配置された一対の電極と、該一対の電極に接続され、前記分散媒に対して電界を印加する電界印加手段と、を少なくとも備え、前記電圧印加手段により前記保持体上の前記電気泳動粒子の移動量が制御されることを特徴とする表示装置である。
【００２０】
請求項１６に係る発明は、前記保持体に保持された状態の前記電気泳動粒子が、前記保持体から離脱して前記分散媒中を移動する電界の閾値の絶対値が１００Ｖ／ｃｍ〜３０ｋＶ／ｃｍの範囲内であり、前記電界印加手段が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間とを１周期とする波形で構成され、且つ、少なくともいずれか１つの周期における第一の区間内の波形が下式（１）を満たす電圧波形を有する電界を、前記分散媒に対して印加することを特徴とする請求項１５に記載の表示装置である。
【００２１】
・式（１）  Ｅｐ＜Ｅｍａｘ
〔式（１）において、Ｅｐは、下式（２）で示される値を表し、Ｅｍａｘは、電圧の絶対値が閾電圧の絶対値以上である電圧で前記調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【００２２】
【数１】
2008139803.tif 000003
【００２３】
〔式（２）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【００２４】
請求項１７に係る発明は、前記電気泳動粒子は、正負何れかの極性に帯電し、前記保持体の少なくとも一部は、全種類の前記電気泳動粒子と逆の極性に帯電していることを特徴とする請求項１５に記載の表示装置である。
【００２５】
請求項１８に係る発明は、前記保持体が、２以上の粒子状の部材を含んで構成されることを特徴とする請求項１５に記載の表示装置である。
【００２６】
請求項１９に係る発明は、前記保持体が、前記全種類の電気泳動粒子とは異なる色であることを特徴とする請求項１５に記載の表示装置である。
【００２７】
請求項２０に係る発明は、前記保持体が、繊維の集合体を含んで構成されることを特徴とする請求項１５に記載の表示装置である。
【００２８】
請求項２１に係る発明は、前記保持体が、不織布を含んで構成されることを特徴とする請求項１５に記載の表示装置である。
【００２９】
請求項２２に係る発明は、前記保持体の前記電気泳動粒子を保持する機能が、前記一対の基板の向かい合う方向において連続的または段階的に異なることを特徴とする請求項１５に記載の表示装置である。
【００３０】
請求項２３に係る発明は、前記保持体の前記電気泳動粒子を保持する機能が、前記一対の基板の向かい合う方向において該一対の基板の少なくとも一方から離れるほど連続的または段階的に小さいことを特徴とする請求項１５に記載の表示装置である。
【００３１】
請求項２４に係る発明は、前記保持体が、前記電気泳動粒子の通過する空隙を有する多孔質体を含んで構成されることを特徴とする請求項１５に記載の表示装置である。
【００３２】
請求項２５に係る発明は、前記保持体が、白色であることを特徴とする請求項１５に記載の表示装置である。
【００３３】
請求項２６に係る発明は、前記電気泳動粒子が、色及び前記電界の閾値の絶対値が互いに異なる２種類以上の電気泳動粒子を含んで構成されることを特徴とする請求項１５に記載の表示装置である。
【００３４】
請求項２７に係る発明は、前記電気泳動粒子が、種類間で互いに体積平均一次粒径の異なる２種類以上の電気泳動粒子を含んで構成されることを特徴とする請求項１５に記載の表示装置である。
【００３５】
請求項２８に係る発明は、前記電気泳動粒子が、前記分散媒に分散した状態で互いに異なる色に発色すると共に、前記電界の閾値の絶対値が互いに異なる２種類以上の電気泳動粒子を含んで構成されることを特徴とする請求項１５に記載の表示装置である。
【００３６】
請求項２９に係る発明は、分散媒と、該分散媒に含まれ、１種類以上のまたは互いに色の異なる２種類以上の電気泳動粒子と、前記電気泳動粒子を保持する機能を有する保持体と、を含む調光層に対して、電位勾配が形成され、且つ、前記電気泳動粒子を、前記保持体を介して移動させる電界を印加することにより、前記調光層の一方の側に前記電気泳動粒子を偏在させて、前記調光層の一方の側における前記電気泳動粒子に起因する色濃度が、最大濃度となるように表示を行う第１の表示工程と、前記調光層の他方の側に前記電気泳動粒子を偏在させて、前記調光層の一方の側における前記電気泳動粒子に起因する色濃度が、最小濃度で表示を行う第２の表示工程と、前記調光層の前記一方の側と前記他方の側との間に前記電気泳動粒子を偏在させて、前記調光層の一方の側における前記電気泳動粒子に起因する色濃度が、前記最大濃度よりも小さく且つ前記最小濃度よりも大きい濃度で表示を行う第３の表示工程と、を任意の順で実施して表示の切り替えを行うことを特徴とする表示方法である。
【００３７】
請求項３０に係る発明は、前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項２９に記載の表示方法である。
【００３８】
請求項３１に係る発明は、前記保持体に保持された状態の電気泳動粒子が、前記保持体から離脱して前記分散媒中を移動する電界の閾値を有し、前記調光層に対して印加される電界の電圧波形が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間と、を１周期とする波形で構成され、且つ、少なくともいずれか１つの周期における第一の区間内の波形が下式（３）を満たすことを特徴とする請求項２９に記載の表示方法である。
【００３９】
・式（３）  Ｅｐ＜Ｅｍａｘ
〔式（３）において、Ｅｐは、下式（４）で示される値を表し、Ｅｍａｘは、電圧の絶対値が閾電圧の絶対値以上である電圧で調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【００４０】
【数２】
2008139803.tif 000004
【００４１】
〔式（４）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【発明の効果】
【００４２】
請求項１に係る発明によれば、電気泳動粒子を保持する機能を有する保持体を有しない場合に比べて、優れた表示状態の維持性を有し、且つ１画素単位でも中間調の表示を行うことができるという効果を奏する。
【００４３】
請求項２に係る発明によれば、電気泳動粒子を保持する機能を有する保持体を有しない場合に比べて、優れた表示状態の維持性を有し、且つ１画素単位でも中間調の表示を行うことができるという効果を奏する。
【００４４】
請求項３に係る発明によれば、さらに、粒子及び保持体の帯電極性を調整することで、容易に保持体が粒子を保持する機能を調整することができるという効果を奏する。
【００４５】
請求項４に係る発明によれば、さらに表示状態の切替えを向上させるという効果を奏する。
【００４６】
請求項５に係る発明によれば、さらに、より多くの色表示を行うことができるという効果を奏する。
【００４７】
請求項６に係る発明によれば、さらに繊維の太さと繊維間距離を調整することで、容易に粒子を保持する機能を調整することができるという効果を奏する。
【００４８】
請求項７に係る発明によれば、さらに簡易な構成で容易に粒子を保持する機能を調整することができるという効果を奏する。
【００４９】
請求項８に係る発明によれば、さらに容易に階調表現を行うことができるという効果を奏する。
【００５０】
請求項９に係る発明によれば、さらに一対の基板の向かい合う面における良好な表示状態の維持性を実現することができるという効果を奏する。
【００５１】
請求項１０に係る発明によれば、さらに、使用する多孔質体の表面積に応じ、より多くの粒子を保持できるという効果を奏する。
【００５２】
請求項１１に係る発明によれば、さらに、白色度を向上させることができるという効果を奏する。
【００５３】
請求項１２に係る発明によれば、さらに、画質劣化を抑制して鮮明な多色表示を行うことができるという効果を奏する。
【００５４】
請求項１３に係る発明によれば、さらに、各種類の粒子が保持体に保持される機能を容易に調整することができるという効果を奏する。
【００５５】
請求項１４に係る発明によれば、さらに1画素単位で多色表示を行うことができるという効果を奏する。
【００５６】
請求項１５に係る発明によれば、電気泳動粒子を保持する機能を有する保持体を有しない場合に比べて優れた表示状態の維持性を有し、且つ１画素単位でも中間調の表示する表示方法を提供することができるという効果を奏する。
【００５７】
請求項１６に係る発明によれば、電気泳動粒子を保持する機能を有する保持体を有しない場合に比べて、優れた表示状態の維持性を有し、且つ１画素単位でも中間調の表示を行うことができるという効果を奏する。
【００５８】
請求項１７に係る発明によれば、さらに、粒子及び保持体の帯電極性を調整することで、容易に保持体が粒子を保持する機能を調整することができるという効果を奏する。
【００５９】
請求項１８に係る発明によれば、さらに表示状態の切替えを向上させるという効果を奏する。
【００６０】
請求項１９に係る発明によれば、さらに、より多くの色表示を行うことができるという効果を奏する。
【００６１】
請求項２０に係る発明によれば、さらに繊維の太さと繊維間距離を調整することで、容易に粒子を保持する機能を調整することができるという効果を奏する。
【００６２】
請求項２１に係る発明によれば、さらに簡易な構成で容易に粒子を保持する機能を調整することができるという効果を奏する。
【００６３】
請求項２２に係る発明によれば、さらに容易に階調表現を行うことができるという効果を奏する。
【００６４】
請求項２３に係る発明によれば、さらに一対の基板の向かい合う面における良好な表示状態の維持性を実現することができるという効果を奏する。
【００６５】
請求項２４に係る発明によれば、さらに、使用する多孔質体の表面積に応じ、より多くの粒子を保持できるという効果を奏する。
【００６６】
請求項２５に係る発明によれば、さらに、白色度を向上させることができるという効果を奏する。
【００６７】
請求項２６に係る発明によれば、さらに、画質劣化を抑制して鮮明な多色表示を行うことができるという効果を奏する。
【００６８】
請求項２７に係る発明によれば、さらに、各種類の粒子が保持体に保持される機能を容易に調整することができるという効果を奏する。
【００６９】
請求項２８に係る発明によれば、さらに1画素単位で多色表示を行うことができるという効果を奏する。
【００７０】
請求項２９に係る発明によれば、電気泳動粒子を保持する機能を有する保持体を有しない場合に比べて優れた表示状態の維持性を有し、且つ１画素単位でも中間調の表示する表示方法を提供することができるという効果を奏する。
【００７１】
請求項３０に係る発明によれば、さらに表示状態の維持性の低下を抑制することができると共に、低電力で容易に粒子を移動させることができるという効果を奏する。
【００７２】
請求項３１に係る発明によれば、さらに画質劣化を抑制して鮮明な多色表示を行うことができるという効果を奏する。
【発明を実施するための最良の形態】
【００７３】
本実施の形態の表示方法は、分散媒と、該分散媒に含まれ、１種類以上のまたは互いに色の異なる２種類以上の電気泳動粒子）と、前記電気泳動粒子を保持する機能を有する保持体（以下、電気泳動粒子保持体と称する）と、を含む調光層に対して、電位勾配が形成され、且つ、前記電気泳動粒子が、前記電気泳動粒子保持体を介して移動させる電界を印加することにより、前記調光層の一方の側に前記電気泳動粒子を偏在させて、前記調光層の一方の側における前記電気泳動粒子に起因する色濃度が、最大濃度となるように表示を行う第１の表示工程と、前記調光層の他方の側に前記電気泳動粒子を偏在させて、前記調光層の一方の側における前記電気泳動粒子に起因する色濃度が、最小濃度で表示を行う第２の表示工程と、前記調光層の前記一方の側と前記他方の側との間に前記電気泳動粒子を偏在させて、前記調光層の一方の側における前記電気泳動粒子に起因する色濃度が、前記最大濃度よりも小さく且つ前記最小濃度よりも大きい濃度で表示を行う第３の表示工程と、を任意の順で実施して表示の切り替えを行う。
【００７４】
ここで、本実施の形態に用いられる電気泳動粒子および電気泳動粒子保持体は、分散媒中で、電気二重層を形成しており、いずれか一方が正、他方が負に帯電する場合や、電気泳動粒子のみが帯電した場合がある。さらに、本発明に用いられる電気泳動粒子および電気泳動粒子保持体は、その帯電電位が、以下の特性を満たすように設定されたものが用いられる。
【００７５】
すなわち、電気泳動粒子が、電気泳動粒子保持体表面やその周辺に位置する場合には、静電力を主とした物体間に作用する力や電気泳動粒子保持体の構造による立体障害を利用して電気泳動粒子は電気泳動粒子保持体表面に保持される。但し、その表面に電気泳動粒子を保持した電気泳動粒子保持体が、所定の電界強度以上の電界中に置かれた場合には、電気泳動粒子は、静電的な吸着力や立体障害等に打ち勝って電気泳動粒子保持体の表面に保持された状態から離脱して移動することができる。
なお、電気泳動粒子と電気泳動粒子保持体との付着力（すなわち、保持する機能）を制御するために、物体間に作用する力としては、静電力の他に、磁力や分子間力も併用できる。
なお、上記立体障害を利用した電気泳動粒子の保持とは、電気泳動粒子保持体の構成（詳細後述）にもよるが、電気泳動粒子保持体を構成する繊維や粒子等の部材によって電気泳動粒子が電気泳動粒子保持体表面を移動することが阻止された状態を示している。
【００７６】
ここで「電気泳動粒子保持体の表面」とは、電気泳動粒子保持体と該電気泳動粒子保持体の外部との境界に接する該電気泳動粒子保持体の領域を示しており、電気泳動粒子保持体の外周面や、電気泳動粒子保持体が孔を有する構成である場合にはこの孔の内周面等を示している。
また、「最大濃度」とは、電界により表示面側に一種類の粒子の９５％以上望ましくは９８％以上が偏在し、表示面から粒子の色が見える状態を示している。
具体的には、最大濃度とは、調光層の一方の側における色濃度を光学濃度(Optical Density=OD)はX-rite社の反射濃度計で測定しながら、調光層の該一方の側と他方の側との間に電圧を印加して且つこの電圧を測定濃度が増加する方向に除々に変化（印加電圧値を増加または減少）させて、単位電圧あたりの濃度変化が飽和し、且つその状態で電圧及び電圧印加時間を増加させても濃度変化が生じず、濃度が飽和したときの濃度を示している。
【００７７】
また、「最小濃度」とは、電界により表示面と反対側に一種類の粒子の９５％以上望ましくは９８％以上が偏在し、表示面からは粒子の色が見えない状態を示している。
具体的には、最小濃度とは、調光層の一方の側における色濃度を光学濃度(Optical Density=OD)はX-rite社の反射濃度計で測定しながら、調光層の該一方の側と他方の側との間に電圧を印加して且つこの電圧を測定濃度が低下する方向に除々に変化（印加電圧値を減少または増加）させて、単位電圧あたりの濃度変化が飽和し、且つその状態で電圧及び電圧印加時間を増加させても濃度変化が生じず、濃度が飽和したときの濃度を示している。
【００７８】
なお、電気泳動粒子保持体は、その表面に（外周面及び内周面の少なくとも一方）電気泳動粒子を付着させて保持する機能を有するが、当該「保持」とは、重力の影響によって、電気泳動粒子が電気泳動粒子保持体表面から離脱が起こらない程度の付着力が電気泳動粒子保持体表面と電気泳動粒子との間に作用していることを意味する。より具体的には、本実施の形態の表示方法を利用した表示媒体において、調光層に電界を印加して画像を形成した後に、調光層への電界の印加を停止した状態を継続した際に、画像形成時の反射率を基準（１００％）として、画像形成後から１０日後における反射率の変動が、±５％以内であることを意味する。
また、電気泳動粒子や電気泳動粒子保持体の極性や帯電電位は、これら部材を構成する主材料や、その他必要に応じて用いられる帯電制御剤や分散剤などの添加剤を選択することによって、上述した特性が得られるように容易に制御することができる。さらに、電気泳動粒子保持体は、調光層に電界が印加された際に、電気泳動しないものであることが必要である。例えば、電気泳動粒子保持体を調光層中の所定の位置に動かないように固定したり、あるいは、電界が印加されても移動することができないほどの自重を有する部材によって電気泳動粒子保持体を構成することができる。なお、電気泳動粒子や電気泳動粒子保持体の詳細については後述する。
【００７９】
それゆえ、調光層に電界が印加された際に、その電界の電界強度が、電気泳動粒子保持体表面に保持された状態の電気泳動粒子が前記電気泳動粒子保持体表面から離脱させて分散媒中を移動させることが可能な電界強度であれば、電気泳動粒子が、調光層中を、電位勾配方向に沿って移動することができる。
これに対して、調光層に印加された電界が、電気泳動粒子保持体表面に保持された状態の電気泳動粒子が前記電気泳動粒子保持体表面から離脱できない電界強度である場合や、電界が調光層に印加されなければ、電気泳動粒子は電気泳動粒子保持体表面に保持され続けることになる。従って、本実施の形態の表示方法を利用すれば優れた表示状態の維持性を得ることができる。
【００８０】
また、印加する電界の強度や、電界を印加する時間を選択することによって、従来の表示媒体と同様に１画素単位で最大濃度および最小濃度の表示（第１の表示工程および第２の表示工程）が実施できるのみならず、最大濃度と最小濃度との間の任意の濃度、すなわち、中間調の表示（第３の表示工程）も実施することができる。
なお、この「最大濃度」及び「最小濃度」については、上記説明した定義と同一であるため説明を省略する。
【００８１】
次に、本実施の形態の表示方法の表示原理を、図面を用いてより詳細に説明する。図１〜７は、本実施の形態の表示方法の表示原理を説明するための概略模式図であり、粒子状の１個の電気泳動粒子保持体表面やその周辺に存在する電気泳動粒子の移動又は電気泳動粒子保持体表面の付着位置について示したものである。
図中、１０は電気泳動粒子、２０が電気泳動粒子保持体、３０が調光層、３２が調光層３０の一方の側、３４が調光層３０の他方の側、４０が透明基板（透光性を有する基板）、４２が基板、５０が透明電極、５２が電極、６０が電界印加手段を表す。
なお、図中に示す例では、電気泳動粒子１０は正に帯電し、電気泳動粒子保持体２０は負に帯電しており、電界印加手段６０によって調光層３０に印加される電界は、電気泳動粒子保持体２０表面に対して静電的に付着し保持されている電気泳動粒子１０が、電気泳動粒子保持体２０表面から離脱して、分散媒中を移動することが可能な電界強度を有するものとする。また、電気泳動粒子保持体２０は、電界が印加された場合でも移動しないように、調光層３０中に固定されており、且つ、電気泳動粒子１０とは異なる色に着色しているものとする。
【００８２】
ここで、図１（Ａ）は、調光層３０の他方の側３４に電気泳動粒子１０が偏在した状態を示し、図１（Ｂ）は、図１（Ａ）に示される電気泳動粒子保持体２０を、調光層３０の一方の側３２から観察した状態を示し、図２は、図１（Ａ）に示される状態において、透明電極５０をマイナス、電極５２をプラスとして調光層３０に電界を印加し、電気泳動粒子１０が調光層３０の他方の側３４から調光層３０の一方の側３２へと移動している状態を示し、図３（Ａ）は、図２に示す電界を印加した状態が終了し、調光層３０の一方の側３２と調光層３０の他方の側３４との間に電気泳動粒子１０が偏在した状態を示し、図３（Ｂ）は、図３（Ａ）に示される電気泳動粒子保持体２０を、調光層３０の一方の側３２から観察した状態を示し、図４は、図３（Ａ）に示される状態において、透明電極５０をマイナス、電極５２をプラスとして調光層３０に電界を印加し、電気泳動粒子１０が調光層３０の他方の側３４から調光層３０の一方の側３２へと移動している状態を示す。
【００８３】
また、図５（Ａ）は、図４に示す電界を印加した状態が終了し、調光層３０の一方の側３２と調光層３０の他方の側３４との間に電気泳動粒子１０が偏在した状態を示し、図５（Ｂ）は、図５（Ａ）に示される電気泳動粒子保持体２０を、調光層３０の一方の側３２から観察した状態を示し、図６は、図５（Ａ）に示される状態において、透明電極５０をマイナス、電極５２をプラスとして調光層３０に電界を印加し、電気泳動粒子１０が調光層３０の他方の側３４から調光層３０の一方の側３２へと移動している状態を示し、図７（Ａ）は、図６に示す電界を印加した状態が終了し、調光層３０の一方の側３２に電気泳動粒子１０が偏在した状態を示し、図７（Ｂ）は、図７（Ａ）に示される電気泳動粒子保持体２０を、調光層３０の一方の側３２から観察した状態を示す。
【００８４】
図１〜図７に示されるように、調光層３０は、対向配置された一対の透明基板４０、４２間に設けられており、調光層３０の透明基板４０が配置された側が調光層３０の一方の側３２、調光層３０の基板４２が配置された側が調光層３０の他方の側３４を表す。また調光層３０には、透明基板４０と基板４２との間隙に等しい直径を有する電気泳動粒子保持体２０と、この電気泳動粒子保持体２０よりも小さい直径を有する電気泳動粒子１０と、分散媒（図中、不図示）とが含まれる。
また、透明基板４０の基板４２が配置された側の面には透明電極５０が設けられ、基板４２の透明基板４０が配置された側の面には電極５２が設けられ、これら一対の透明電極５０、５２は電界印加手段６０に接続されている。これにより、調光層３０に電界を印加した場合には、調光層３０の一方の側３２から調光層３０の他方の側３４方向（あるいはその逆方向）に電位勾配が形成されることになる。
【００８５】
次に、表示動作について説明する。まず、図１に示される状態では、調光層３０の他方の側３４に電気泳動粒子１０が偏在しているため、電気泳動粒子保持体２０を、調光層３０の一方の側３２から観察すると、電気泳動粒子１０は電気泳動粒子保持体２０によって隠されてしまう。このため、透明基板４０側から調光層３０を観察すると、電気泳動粒子１０に起因する色濃度は最小濃度となる。
続いて、図２に示すように電界を印加すると電気泳動粒子１０は、調光層３０の他方の側３４から、調光層３０の一方の側３４へと、電気泳動粒子保持体２０の表面やその周辺に沿って移動し、電界の印加を中止すると図３に示される状態となる。
【００８６】
図３に示される状態では、調光層３０の一方の側３２と調光層３０の他方の側３４との間で且つ調光層３０の他方の側３４寄りの位置に、電気泳動粒子１０が偏在している。このため、電気泳動粒子保持体２０を、調光層３０の一方の側３２から観察すると、電気泳動粒子１０の大部分は電気泳動粒子保持体２０によって隠されてしまうため確認できないが、一部は電気泳動粒子保持体２０表面に保持されていることが確認される。このため、透明基板４０側から調光層３０を観察すると、電気泳動粒子１０に起因する色濃度は最小濃度よりもやや高い濃度（中間調の表示）となる。
続いて、図４に示すように電界を印加すると電気泳動粒子１０は、調光層３０の他方の側３４から、調光層３０の一方の側３４へと、電気泳動粒子保持体２０の表面やその近傍に沿って移動し、電界の印加を中止すると図５に示される状態となる。
【００８７】
図５に示される状態では、調光層３０の一方の側３２と調光層３０の他方の側３４との間で且つ調光層３０の一方の側３２寄りの位置に、電気泳動粒子１０が偏在している。このため、電気泳動粒子保持体２０を、調光層３０の一方の側３２から観察すると、電気泳動粒子１０の一部は電気泳動粒子保持体２０によって隠れてしまうため確認できないが、大部分は電気泳動粒子保持体２０表面に保持されていることが確認される。このため、透明基板４０側から調光層３０を観察すると、電気泳動粒子１０に起因する色濃度は図３に示される状態の色濃度よりもより高い濃度（中間調の表示）となる。
続いて、図６に示すように電界を印加すると電気泳動粒子１０は、調光層３０の他方の側３４から、調光層３０の一方の側３４へと、電気泳動粒子保持体２０の表面やその近傍に沿って移動し、電界の印加を中止すると図７に示される状態となる。
【００８８】
図７に示される状態では、調光層３０の一方の側３２に電気泳動粒子１０が偏在しているため、電気泳動粒子保持体２０を、調光層３０の一方の側３２から観察すると、電気泳動粒子１０の殆ど全てが電気泳動粒子保持体２０表面に保持されていることが確認される。このため、透明基板４０側から調光層３０を観察すると、電気泳動粒子１０に起因する色濃度は最大濃度となる。
【００８９】
一方、上記に説明したように、電気泳動粒子保持体表面に保持された状態の電気泳動粒子が電気泳動粒子保持体表面から離脱させることが可能な電界強度以上の電界を調光層に印加することにより、一の表示状態から他の表示状態へと表示を切り替えることが可能である。ここで、一の表示状態から他の表示状態へと表示を切り替えるために必要となる電界強度の範囲は特に限定されるものではないが、実用上利用可能な電源や、本実施の形態の表示方法を利用した表示媒体の利用用途に適した調光層の厚みなどを考慮すると、一定の範囲内の値であることが好ましい。
【００９０】
上記観点からは、電気泳動粒子保持体表面に保持された状態の電気泳動粒子が、電気泳動粒子保持体表面から離脱して分散媒中を通過する電界の閾値の絶対値が１００Ｖ／ｃｍ〜３０ｋＶ／ｃｍの範囲内であることが望ましく、３００Ｖ／ｃｍ〜１０ｋＶ／ｃｍの範囲内であることがより好ましい。
電界の閾値の絶対値が１００Ｖ／ｃｍ未満の場合には、メモリー性が劣化する場合があり、電界の閾値の絶対値が３０ｋＶ／ｃｍを超える場合には、表示の切り替えに要するエネルギー消費量が増大しすぎてしまう場合がある。
なお、「電界の閾値」とは、調光層に印加する電界の電界強度であって、この電界強度の絶対値が、閾電界値（Ｖ／ｍ）の絶対値以上である場合において、電気泳動粒子が電気泳動粒子保持体表面から離脱して分散媒中を移動でき、その逆の場合は電気泳動粒子が電気泳動粒子保持体表面に保持されたままの状態を維持することを意味する値である。
【００９１】
また、本実施の形態の表示方法においては、調光層に印加される電界は、中間調の表示も実施できるように、電圧値や、電圧波形、電界の印加時間等が設定されればよい。ここで、電圧波形としては、実用上は矩形状の波形を有するものが好適であるが、電圧波形はこの矩形状の波形に限定されるものではなく、例えば、サイン波状の波形や不定形な波形を有するものであってもよい。
【００９２】
なお、本発明においては、調光層に電界を印加する場合には、調光層に対する電位勾配方向は常に一定であり、且つ、調光層に対して電界を印加するために利用する電極は、電位勾配方向に対して常に一定の距離を保つように配置される。この場合、調光層に対して印加される電界の電圧（Ｖ）と、電界強度（Ｖ／ｃｍ）とは比例関係を有するため、電界の閾値（Ｖ／ｃｍ）に対応する閾電圧（Ｖ）が存在する。
【００９３】
一方、表示状態を切り替えながら表示を行う場合、調光層に対して印加される電界の電圧波形は、電圧の絶対値が電界の閾値に対応する閾電圧の絶対値以上である電圧で電界を印加し続ける第一の区間と、電圧の絶対値が電界の閾値に対応する閾電圧の絶対値未満である電圧で電界を印加し続ける第二の区間（但し、第二の区間は電圧が０Ｖ、すなわち電界を印加しない状態も含む）とを１周期とする波形で構成されることになる。
なお、ａ周期目（ａは１以上の整数を意味する）の第一の区間の電圧が正、ａ＋１周期目の第一の区間の電圧が負である場合、ａ周期目の第一の区間とａ＋１周期目の第一の区間との間の第二の区間の継続時間は０としてもよい。
【００９４】
ここで、中間調の表示を行う場合には、少なくともいずれか１つの周期における第一の区間内の波形が下式（１）を満たすことが好ましい。
・式（５）  Ｅｐ＜Ｅｍａｘ
〔式（５）において、Ｅｐは、下式（６）で示される値を表し、Ｅｍａｘは、電圧の絶対値が閾電圧の絶対値以上である電圧で調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【００９５】
【数３】
2008139803.tif 000005
〔式（６）中、ｔは、少なくともいずれか１つの周期における第一の区間内の任意の時間（ｓ）を表し、ｔｐは、少なくともいずれか１つの周期における第一の区間の開始から終了までの時間（ｓ）を表し、Ｖ（ｔ）は、時間ｔにおける電圧（Ｖ）を表す。〕
【００９６】
なお、電気泳動粒子として、電界の閾値が互いに異なる２種類以上の電気泳動粒子を用いる場合には、式（５）は、少なくともいずれか１種の電気泳動粒子の電界の閾値に対応する閾電圧や、最小濃度、最大濃度を基準として適用することができる。
また、式（５）に示す電圧・時間積量Ｅｍａｘの計算方法は特に限定されないが、例えば、少なくともいずれか１つの周期における第一の区間の電圧値Ｖ（ｔ）のｔ＝０からｔｐまでにおける平均電圧Ｖａｖｅで電界を連続的に印加した場合に、最大濃度から最小濃度、または、最小濃度から最大濃度へと表示状態が変化するのに要した時間ｔｃを求め、Ｖａｖｅとｔｃとの積として求めることができる。
【００９７】
しかし、実用上は、調光層に対して印加される電界の電圧波形は、少なくとも第一の区間において一定の電圧（第１の電圧）を維持するものであることが好ましい。更に、第二の区間において一定の電圧（第２の電圧）を維持するものであること（即ち、矩形状の電圧波形）がより好ましい。
【００９８】
電圧波形が、少なくとも第一の区間において一定の電圧（第１の電圧）を維持するものである場合には、少なくともいずれか１つの周期における第一の区間において、第１の電圧で調光層に対して電界が印加される時間Ｔｐが下式（７）を満たせば、中間調の表示を行うことができる。
・式（７）  Ｔｐ＜Ｔｍａｘ
ここで、式（７）中、Ｔｐは、少なくともいずれか１つの周期における第一の区間において、調光層に対して第１の電圧（Ｖ）で電界が印加される時間（ｓ）を表し、Ｔｍａｘは、調光層に対して第１の電圧（Ｖ）で電界を連続的に印加した場合に、最大濃度から最小濃度、または、最小濃度から最大濃度へと表示濃度を変化させるのに要する時間（ｓ）を表す。
【００９９】
なお、Ｔｐの値は下式（８）を満たすように設定されることが好ましい。
【０１００】
【数４】
2008139803.tif 000006
【０１０１】
ここで、式（８）中、ｎは２以上の整数を表し、ａは１以上ｎ以下の整数を表し、且つ、この値が増加するに伴い、（２種以上の電気泳動粒子を用いる場合は、いずれか１種の電気泳動粒子に起因する）表示濃度が最小濃度側から最大濃度側の方向（あるいはその逆方向側）へと変化することを意味し、Ｔｐ（ａ）は、調光層に対して第１の電圧（Ｖ）で電界が印加される時間（ｓ）を表し、且つ、０を超えＴｍａｘ未満の時間を取り得る値を意味する。
【０１０２】
式（８）を満たすことにより、１画素単位においても、ｎ＋１段階の階調表示が可能となる。ここで言う、２階調という意味は、最低濃度と最大濃度の２つの表示濃度（例えば白状態と黒状態）があることを表し、4階調であれば、最大濃度と最低濃度の間に２つの異なる中間濃度の状態があることを示している。
ここで、「中間濃度」とは、基本的に反射（光学）濃度のことを指し（測定は、上記と同様にX-rite社のX-rite404で行う）、上記説明した最大濃度と最小濃度の間に、等間隔に近い間隔で複数の濃度状態がある状態を指している。
【０１０３】
なお、Ｔｐ（１）・・・Ｔｐ（ａ）・・・、Ｔｐ（ｎ）の各々の値は必ずしも同一である必要はなく、ａ番目の表示状態からａ＋１番目の表示状態へと移行した際の表示濃度の変化と、ａ＋１番目の表示状態からａ＋２番目の表示状態へと移行した際の表示濃度の変化とが、視覚的に等しくなるように設定されることが特に好ましい。
【０１０４】
また、最大濃度および最小濃度以外の表示状態（１番目およびｎ＋１番目以外の表示状態）を表示している場合に初期状態（最小濃度または最大濃度）へと表示状態を切り替える場合、第１の電圧で電界を印加する時間は、初期状態へと表示状態を切り替えるのに最低限必要な時間以上であれば特に限定されない。
なお、式（８）を満たす場合において、ｎは２以上であることが必要であるが、４以上であることがより好ましく、上限は特に限定されるものではないが、２５６以下であることが好ましく、６４以下であることがより好ましい。必要以上に階調数を設定すると、表示駆動のためのメモリー量が必要となり部品コストが上がり、回路基板が大きくなる。また、階調を表現するための画像データ処理に時間がかかり表示までの待ち時間が長くなる。
【０１０５】
−表示媒体−
次に、本実施の形態の表示方法を利用した表示媒体について説明する。本実施の形態の表示媒体は、本発明の表示方法が実施可能な構成を有するものであれば特に限定されないが、以下の構成を有することが特に好ましい。
すなわち、本実施の形態の表示媒体は、少なくとも一方が透光性を有する一対の基板と、該一対の基板の間隙に封入された分散媒と、該分散媒に含まれ、１種類以上のまたは互いに色の異なる２種類以上の電気泳動粒子と、前記一対の基板間に配置され、前記電気泳動粒子を付着させて保持する機能を有する電気泳動粒子保持体と、を少なくとも備えている。
【０１０６】
この電気泳動粒子保持体は、外部電圧により、電気泳動粒子保持体上の電気泳動粒子の移動量が制御される機能を有している。
この「移動量」とは、本実施の形態では、電気泳動粒子保持体表面、すなわち電気泳動粒子保持体の外周面や、孔を有する構成である場合にはこの孔の内周面等の任意の領域に保持された状態から離脱して、分散媒中を移動して電気泳動粒子表面の他の領域に保持された状態へまたは電気泳動粒子保持体から離れた領域へと移動するときの移動量を示している。具体的には、この「移動量」は、上記説明した、電気泳動粒子保持体表面に保持された状態の電気泳動粒子が、前記電気泳動粒子保持体表面から離脱して前記分散媒中を通過する電界の閾値の絶対値によって表される。なお、この「電気泳動粒子保持体表面に保持された状態の電気泳動粒子が、前記電気泳動粒子保持体表面から離脱して前記分散媒中を通過する電界の閾値の絶対値」は、上述した範囲を満たしていることが特に好ましい。
【０１０７】
本実施の形態の表示媒体は、本実施の形態の表示方法が実施可能な構成を有するため、メモリー性に優れる上に、中間調の表示も行うことができる。但し、中間調の表示を実施する場合には、中間調の表示が行えるように電圧波形等を制御した電界（例えば、既述した式（５）や式（７）、式（８）を満たす電圧波形を有する電界）を印加する。この場合、この電圧波形を有する電界が印加可能な外部電界印加手段を用いればよい。しかしながら、本実施の形態の表示媒体を利用して表示を行う場合、必ずしも中間調の表示に適した電界を印加しなければならないわけではなく、必要であれば、アナログ的表示に適した電界を印加してもよい。
【０１０８】
なお、表示媒体を構成する一対の基板間に位置する部材（分散媒や、電気泳動粒子、電気泳動粒子保持体等）への電界の印加、すなわち、調光層への電界の印加は、表示媒体が一対の電極を内蔵する場合はこれらの電極を利用して実施でき、表示媒体が一対の電極を内蔵しない場合は、外部電極を利用して実施することも可能である。しかし、外部電源に接続するだけで利用できることから、表示媒体には一対の電極が内蔵されていることが好ましい。この場合、調光層への電界の印加に利用する電極は一対の基板の基板同士が対向する面側に配置されていることがより好ましく、また、一対の基板のうちの透光性を有する基板（透明基板）側には、透光性を有する電極（透明電極）が設けられる。
【０１０９】
なお、本実施の形態の表示媒体には、分散媒に１種類以上の電気泳動粒子が含まれていればよいが、分散媒中に含まれる電気泳動粒子は、分散媒に分散した状態で互いに異なる色に発色すると共に、分散媒中を電気泳動可能な電界の閾値の絶対値も互いに異なる２種類以上の電気泳動粒子から構成されることが好ましい。これによりカラー表示を行うことができる。
【０１１０】
また、実用的なカラー表示が可能である点からは、上述した２種類以上の電気泳動粒子としては、分散媒に分散した状態で、赤色に発色する電気泳動粒子と、緑色に発色する電気泳動粒子と、青色に発色する電気泳動粒子とから構成されることが特に好ましい。
ここで、「分散媒に１種類以上の電気泳動粒子が含まれる」とは、一対の基板間に封入される分散媒が、隔壁によって複数のセルに区分される場合は、各セルに含まれる分散媒に１種類以上の電気泳動粒子が含まることを意味する。
【０１１１】
一方、一対の基板の間隙に、当該間隙を仕切る隔壁を設けることにより１種類の電気泳動粒子を含む分散媒が封入されたセルが配置される場合において実用的なカラー表示を行う場合には、セルが、分散媒に分散した状態で赤色に発色する電気泳動粒子を含む分散媒が封入されたセル（Ｒセル）、分散媒に分散した状態で緑色に発色する電気泳動粒子を含む分散媒が封入されたセル（Ｇセル）、および、分散媒に分散した状態で青色に発色する電気泳動粒子を含む分散媒が封入されたセル（Ｂセル）の３種類から構成されることが特に好ましい。
この場合、Ｒセル、Ｇセル、Ｂセルから構成される３つのセル（３画素）を１画素として、カラー表示の制御を行うことができる。これら３つのセルは、互いに隣接または近接する位置に配置される。
【０１１２】
−電気泳動粒子保持体−
電気泳動粒子保持体は、その表面に電気泳動粒子を付着させて保持する機能を有するものであれば特に限定されないが、酸化チタン、酸化亜鉛等の材料から構成される無機材料粒子や、メタクリル酸メチル樹脂、スチレンアクリル樹脂、シリコーン樹脂、ポリテトラフルオロエチレン樹脂等の材料から構成される有機材料粒子などの粒子状の部材（電気泳動粒子保持粒子）や、ゼラチンや多孔質シリカなどの多孔質体、ポリアクリルアミドなどの網目構造を持つ高分子等の網目構造体や、（互いに独立した紐状の素材が規則的または不規則に絡み合った状態の）繊維の集合体等が利用できる。
なお、使用する電気泳動粒子の帯電極性や、電気泳動粒子に対する付着力が、表示状態の維持性の発揮と中間調の表示とがバランスよく両立できるように、電気泳動粒子保持体を構成する材料を選択したり、必要に応じて電気泳動粒子保持体に表面処理を施したりすることができる。
すなわち電気泳動粒子を付着させて保持する機能は、電気泳動粒子保持体は、上述のように電気泳動粒子保持体を構成する材料を選択したり、必要に応じて電気泳動粒子保持体に表面処理を施したり、全種類の電気泳動粒子と少なくとも一部分を逆の極性に帯電するように帯電極性及び帯電量を調整したり、空隙率や、孔の開口率や、孔の径等を調整することによって実現することができる。
【０１１３】
電気泳動粒子保持体として、電気泳動粒子保持粒子を用いる場合は、一対の基板間に少なくとも２以上の粒子状の部材（電気泳動粒子保持粒子）が配置されていればよいが、実用上は、電気泳動粒子保持粒子をこれら粒子が互いに動けない程度の密度で充填することが好ましい。また、少なくともいずれか一方の基板表面に、１層以上積層して熱融着などを利用して固定した状態で配置してもよい。なお、必要であれば電気泳動粒子保持体としての機能を有さない粒子状の部材と混合して用いてもよいが、基本的には、電気泳動粒子保持粒子だけを用いることが好ましい。
【０１１４】
電気泳動粒子保持粒子の平均粒径としては特に限定されるものではないが、これら粒子を一対の基板間に充填したり、基板表面に積層して配置した場合に互いに隣接する電気泳動粒子保持粒子の間隙を電気泳動粒子が通過できる程度の平均粒径を有していることが好ましい。
それゆえ、電気泳動粒子保持粒子の平均粒径は、全種類の電気泳動粒子の平均粒径の１０倍以上であることが好ましく、２５倍以上であることが好ましい。電気泳動粒子保持粒子の平均粒径は、全種類の電気泳動粒子の平均粒径の１０倍未満では、互いに隣接する電気泳動粒子保持粒子の間隙を電気泳動粒子が通過できなくなるため、表示状態の切り替えが困難となる場合がある。なお、電気泳動粒子保持粒子の平均粒径の上限は特に限定されないが、一対の基板間の距離（調光層の厚み）と同等あるいはそれ以下である。
【０１１５】
電気泳動粒子保持粒子の平均粒径は、表示媒体に用いる電気泳動粒子保持粒子をＳＥＭまたはＴＥＭにより観察し、得られたＳＥＭ像またはＴＥＭ像をもとに１０個の粒子の面積から求めた粒径の平均値として求めた。同様に、全種類の電気泳動粒子の平均粒径についても、各種類の電気泳動粒子１０個について上述と同様にして面積から求めた粒径の平均値を求め、さらに全種類の平均値の和を、電気泳動粒子の種類数で割ることによって平均値を求めた。
ここで、一対の基板間に封入される分散媒が、隔壁によって複数のセルに区分される場合、電気泳動粒子保持粒子や全種類の電気泳動粒子の平均粒径などの粒子の形状・サイズなどに関するパラメーター値は、セル単位で求められる値を意味する。
【０１１６】
一方、電気泳動粒子保持体として、多孔質体や網目構造体や繊維の集合体を用いる場合、これらの部材は、一対の基板間に充填したり、少なくともいずれか一方の基板表面に熱融着などを利用して固定した状態で配置することができる。
なお、多孔質体や網目構造体や繊維の集合体の平均孔径としては、電界が印加された際に、全種類の電気泳動粒子がこれら部材中を移動することができるサイズであれば特に限定されないが、具体的には、多孔質体や網目構造体や繊維の集合体の平均孔径は、最も平均粒径の大きい種類の電気泳動粒子の平均粒径や繊維の集合体の５倍以上であることが好ましく、１０倍以上であることが好ましい。多孔質体や網目構造体や繊維の集合体の平均孔径が、全種類の電気泳動粒子の平均粒径の１０倍未満では、多孔質体や網目構造体や繊維の集合体の孔中を電気泳動粒子が通過できなくなるため、表示状態の切り替えが困難となる場合がある。なお、多孔質体や網目構造体や繊維の集合体の平均孔径の上限は特に限定されないが、大きすぎる場合には単位体積中の多孔質体や網目構造体や繊維の集合体の表面積が小さくなりすぎて中間調の表示が困難となる可能性や、電気泳動粒子の保持機能が低下する可能性があるため、多孔質体や網目構造体や繊維の集合体の平均孔径は１００μｍ以下であることが好ましい。
多孔質体や網目構造体や繊維の集合体の平均孔径は、これら部材断面のＳＥＭ観察により求めた。平均孔径は、これら部材断面に観察される孔の任意の１００点について孔径を測定し、各点における孔径の平均値として求めた。
【０１１７】
また、多孔質体や網目構造体や繊維の集合体として構成した電気泳動粒子保持体の空隙率としては２０％以上６０％以下であることが表示に必要な数の泳動粒子を含有させ、所望の保持力を維持し、かつ保持体の発色特性も十全に発揮させるとの理由から好ましく、３０％以上５０％以下であることがより好ましい。
【０１１８】
上記繊維の集合体として、単に繊維を寄せ集めた塊状体や、高密度に配列したもの、繊維を撚ってなる糸を編成した編み物状のもの、ネット状のもの、或いは製織してなる織物状のもの、繊維同士が一部融着したり互いに絡み合ったりしてなる不織布状のもの、ウエブ状のもの、シート状のものなどが挙げられる。
【０１１９】
繊維の集合体の一例には、不織布、高分子フィルム、布、紙等を挙げることができる。これらの中でも、不織布を用いることが望ましい。これは、不織布の場合、繊維径と繊維間距離とを独立に設計することができるため、電気泳動粒子を保持する機能を容易に調整することができるためである。
【０１２０】
上記繊維の集合体を構成する繊維としては、例えば、ポリエチレン、ポリスチレン、ポリエステル、ポリアクリル、ポリプロピレン、およびポリテトラフルオロエチレン（ＰＴＦＥ）等のフッ素化樹脂等を適用することができる。特に望ましく適用できるのは、コロナ処理による帯電が容易との理由から、ポリプロピレンおよびＰＴＦＥ系繊維である。
【０１２１】
また、この繊維の集合体の密度は、表示に必要な数の泳動粒子に対し所望の保持力を維持し、かつ物理的強度を維持するとの理由から、繊維目付け１０〜７０ｇ／ｍ２の範囲が良く、２０〜５０ｇ／ｍ２の範囲がより良い。
【０１２２】
繊維の集合体を構成する繊維の径は、０．１μｍ〜２０μｍの範囲、望ましくは０．１〜３μｍの範囲にあることが、十分な表面積を確保し、かつ物理的強度を確保するとの理由から好ましい。
【０１２３】
電気泳動粒子保持体として、多孔質体や網目構造体や繊維の集合体を用いる場合には、繊維の集合体の密度、空隙率、平均開口径、及び電気的特性等を調整することで、電気泳動粒子の保持力を調整することができる。
【０１２４】
電気泳動粒子保持体の色は、電気泳動粒子の色と異なるものであれば特に限定されないが、通常は着色していることが好ましい。
なお、電気泳動粒子保持体は、透明であってもよいが、この場合は、例えば、電気泳動粒子保持粒子と、電気泳動粒子保持体としての機能を有さない着色した粒子状の部材と混合して用いたりする必要がある。これは、電気泳動粒子保持体が透明である場合、この部材によって光を遮蔽し、一対の基板の透明でない方の基板側に偏在する電気泳動粒子を、透明基板側からみた場合に隠蔽する機能（隠蔽機能）が欠落するため、第３の表示工程を実施しても中間調の表示を行うことができなくなるからである。それゆえ、透明な電気泳動粒子保持体を用いる場合は、隠蔽機能を有する他の部材と併用する必要がある。
なお、電気泳動粒子保持体は白色であることが最も好ましい。この場合、第２の表示工程を実施し終えた状態で、白色を表示することができる。
【０１２５】
なお、電気泳動粒子保持体の極性や帯電性は、電気泳動粒子保持体を構成する主たる材料そのものによって制御することもできるが、必要に応じて帯電制御剤を添加することが好ましい。
帯電制御剤としては、例えば、電子写真用トナー材料に使用される公知のものが使用でき、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子などが利用できる。
【０１２６】
また、電気泳動粒子保持体の帯電性を制御するために必要に応じて表面処理を施したものを用いることができる。
表面処理方法としては、シランカップリング剤などの表面処理剤による化学的処理法や電気泳動粒子表面に何らかの物理的刺激を付与して表面改質する物理的処理法が挙げられるが、本発明においては、化学的処理法を利用することが好ましい。
使用可能な表面処理剤は、例えば、疎水性処理には、シラン系化合物やシリコーン化合物、脂肪酸類等が利用でき、親水性処理にはアルコール、親水性樹脂、無機酸化物等が利用できる。
【０１２７】
ここで疎水性処理に用いられるシラン系化合物としては、電気泳動粒子本体と反応する反応性部分と疎水性部分とを含む分子構造を持つ公知のシランカップリング剤が利用できる。
具体的には、Ｏｃｔａｄｅｃｙｌｔｒｉｍｅｔｈｏｘｙｓｉｌａｎｅ、Ｐｈｅｎｅｔｈｙｌｔｒｉｍｅｔｈｏｘｙｓｉｌａｎｅ、Ａｍｉｎｏｐｒｏｐｙｌｔｒｉｅｔｈｏｘｙｓｉｌａｎｅ、３−Ａｍｉｎｏｐｒｏｐｙｌｔｒｉｍｅｔｈｏｘｙｓｉｌａｎｅ、Ｍｅｔａｃｒｙｌｏｘｙｔｒｉｍｅｔｈｏｘｙｓｉｌａｎｅ、Ｍｅｔｈｏｘｙｔｒｉｍｅｔｈｙｌｓｉｌａｎｅ、３−Ａｍｉｎｏｐｒｏｐｙｌｄｉｅｔｈｏｘｙｍｅｔｈｙｌｓｉｌａｎｅ、Ｎ−(２−Ａｍｉｎｏｅｔｈｙｌ)−３−ａｍｉｎｏｐｒｏｐｙｌｔｒｉｍｅｔｈｏｘｙｓｉｌａｎｅ、Ｎ−(２−Ａｍｉｎｏｅｔｈｙｌ)−３−ａｍｉｎｏｐｒｏｐｙｌｍｅｔｈｙｌｄｉｍｅｔｈｏｘｙｓｉｌａｎｅ等を挙げることができる。
【０１２８】
疎水性処理に用いられるシリコーン化合物としては、メチルポリシロキサン、オクタメチルシクロテトラシロキサン、デカメチルシクロペンタンシロキサン、メチルシクロポリシロキサン、メチルハイドロジェンポリシロキサン等を挙げることができる。
疎水性処理に用いられる脂肪酸類としては、ラウリン酸、ミリスチン酸、ステアリン酸、オレイン酸、リノール酸、リノレイン酸、ヒドロキシ脂肪酸、カプロン酸、カプリル酸、パルミチン酸、ベヘン酸、パルミトレイン酸、エルカ酸、これらの、例えばナトリウム塩、カリウム塩等のアルカリ金属塩、マグネシウム塩、カルシウム塩等のアルカリ土類金属塩またはエステル等を挙げることができる。
【０１２９】
親水性処理に用いられるアルコールとしては、メチルアルコール、エチルアルコール、プロパノール、イソプロパノール、ブチルアルコール、グリセリン、プロピレングリコール、１，３−ブチレングリコール等を挙げることができる。
親水性処理に用いられる親水性樹脂としては、アクリル酸、ポリビニルアルコール、ポリビニルピロリドン、ポリアミド、ポリイミド等を挙げることができる。
親水性処理に用いられる無機酸化物としては、シリカ、アルミナ、チタニア等を挙げることができる。
【０１３０】
なお、電気泳動粒子が軟磁性材料や、強磁性材料を含む場合、電気泳動粒子保持体には、磁性材料が含まれていてもよい。これによって、電気泳動粒子と電気泳動粒子保持体との間に働く付着力を静電力に加えて磁力によっても制御することが可能である。
ここで、電気泳動粒子が軟磁性材料を含む場合には、電気泳動粒子保持体には、強磁性材料を添加することができ、電気泳動粒子が強磁性材料を含む場合には、電気泳動粒子保持体には、軟磁性材料または強磁性材料を添加することができる。電気泳動粒子や電気泳動粒子保持体に用いることができる磁性材料としては公知のものが利用できるが、軟磁性材料としては、例えば、ケイ素鋼、パーマロイ、アモルファス金属材料などが利用でき、強磁性材料としては酸化鉄、炭素鋼、フェライト、サマリウムなどが利用できる。なお、電気泳動粒子や電気泳動粒子保持体に用いられる磁性材料の種類や添加量は、所望の閾電界値が得られるように選択することができる。また、泳動粒子として利用できる着色した磁性粉としては、例えば、特開２００３−１３１４２０公報記載の小径着色磁性粉を用いることができる。
【０１３１】
−電気泳動粒子−
本発明に用いられる電気泳動粒子は、電界中に置かれた場合に電界勾配方向に沿って分散媒中を移動できるように、正負いずれかの極性に帯電する特性を有する粒子として、ガラスビーズ、アルミナ、酸化チタン等の金属酸化物粒子等、熱可塑性若しくは熱硬化性樹脂粒子、これらの樹脂粒子の表面に着色剤を固定したもの、熱可塑性若しくは熱硬化性樹脂中に着色剤を含有する粒子、及び分散媒に分散した状態で発色する特性を有する粒子等を用いることができる。
【０１３２】
電気泳動粒子の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体を例示することができる。
【０１３３】
また、電気泳動粒子の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等を挙げることができる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等を挙げることができる。
【０１３４】
着色剤としては、有機若しくは無機の顔料や、油溶性染料等を使用することができ、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等を代表的なものとして例示することができる。
また、空気を内包した多孔質のスポンジ状粒子や中空粒子は白色粒子として使用できる。
【０１３５】
電気泳動粒子の樹脂には、必要に応じて、帯電制御剤を混合してもよい。帯電制御剤としては、電子写真用トナー材料に使用される公知のものが使用でき、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子を挙げることができる。
【０１３６】
電気泳動粒子の内部や表面には、必要に応じて、磁性材料を混合してもよい。磁性材料は必要に応じてカラーコートした無機磁性材料や有機磁性材料を使用する。また、透明な磁性材料、特に、透明有機磁性材料は着色顔料の発色を阻害せず、比重も無機磁性材料に比べて小さく、より望ましい。
着色した磁性粉として、例えば、特開２００３−１３１４２０公報記載の小径着色磁性粉を用いることができる。核となる磁性粒子と該磁性粒子表面上に積層された着色層とを備えたものが用いられる。そして、着色層としては、顔料等により磁性粉を不透過に着色する等、選定して差し支えないが、例えば光干渉薄膜を用いるのが好ましい。この光干渉薄膜とは、ＳｉＯ2やＴｉＯ2等の無彩色材料を光の波長と同等な厚みを有する薄膜にしたものであり、薄膜内の光干渉により光を波長選択的に反射するものである。
【０１３７】
電気泳動粒子の表面には、必要に応じて、外添剤を付着させてもよい。外添剤の色は、粒子の色に影響を与えないように、透明であることが好ましい。
【０１３８】
外添剤としては、酸化ケイ素（シリカ）、酸化チタン、アルミナ等の金属酸化物等の無機粒子が用いられる。この無機粒子の帯電性、流動性、及び環境依存性等を調整するために、これらをカップリング剤やシリコーンオイルで表面処理することができる。
【０１３９】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。また、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の所望の抵抗に応じて選択される。
【０１４０】
上記外添剤の中では、よく知られている疎水性シリカや疎水性酸化チタンが好ましく、特に特開平１０−３１７７記載のＴｉＯ（ＯＨ）2と、シランカップリング剤等のシラン化合物との反応で得られるチタン化合物が好適である。シラン化合物としてはクロロシラン、アルコキシシラン、シラザン、特殊シリル化剤のいずれのタイプを使用することも可能である。このチタン化合物は、湿式工程の中で作製されるＴｉＯ（ＯＨ）2にシラン化合物あるいはシリコーンオイルを反応、乾燥させて作製される。数百度という焼成工程を通らないため、Ｔｉ同士の強い結合が形成されず、凝集が全くなく、粒子は一次粒子の状態である。さらに、ＴｉＯ（ＯＨ）2にシラン化合物あるいはシリコーンオイルを直接反応させるため、シラン化合物やシリコーンオイルの処理量を多くすることができて、シラン化合物の処理量等を調整することにより帯電特性を制御でき、且つ付与できる帯電能も従来の酸化チタンのそれより顕著に改善することができる。
【０１４１】
外添剤の一次粒子は、一般的には５〜１００ｎｍであり、望ましくは１０〜５０ｎｍであるが、これに限定されない。
【０１４２】
外添剤と電気泳動粒子の配合比は、電気泳動粒子の粒径と外添剤の粒径の兼ね合いから調整される。外添剤の添加量が多すぎると粒子表面から該外添剤の一部が遊離し、これが他方の粒子の表面に付着して、所望の帯電特性が得られなくなる。一般的には、外添剤の量は、粒子１００重量部に対して、０．０１〜３重量部、より望ましくは０．０５〜１重量部である。
【０１４３】
電気泳動粒子の表面に外添剤を添加する場合は、電気泳動粒子表面に外添剤を衝撃力で打込んだり、電気泳動粒子表面を加熱して外添剤を粒子表面に強固に固着することが望ましい。これにより、外添剤が電気泳動粒子から遊離し、異極性の外添剤が強固に凝集して、電界で解離させることが困難な外添剤の凝集体を形成することが防止され、ひいては画質劣化が防止される。
【０１４４】
上記電気泳動粒子を作成する方法としては、従来公知のどの方法を用いてもよい。例えば、特開平７−３２５４３４公報記載のように、樹脂、顔料および帯電制御剤を所定の混合比になるように計量し、樹脂を加熱溶融させた後に顔料を添加して混合、分散させ、冷却した後、ジェットミル、ハンマーミル、ターボミル等の粉砕機を用いて粒子を調製し、得られた粒子をその後分散媒に分散する方法が使用できる。また、懸濁重合、乳化重合、分散重合等の重合法やコアセルベーション、メルトディスパージョン、エマルジョン凝集法で帯電制御剤を粒子中に含有させた粒子を調製し、その後分散媒に分散して粒子分散液を作成してもよい。さらにまた、樹脂が可塑化可能で、分散媒が沸騰せず、かつ、樹脂、帯電制御剤および／または着色剤の分解点より低い温度で、前記の樹脂、着色剤、帯電制御剤および分散媒の原材料を分散および混錬することができる適当な装置を用いる方法がある。具体的には、流星型ミキサー、ニーダー等で顔料と樹脂、帯電制御剤を分散媒中で加熱溶融し、樹脂の溶媒溶解度の温度依存性を利用して、溶融混合物を撹拌しながら冷却し、凝固／析出させて電気泳動粒子を作成することができる。
さらにまた、分散および混練のための粒状媒体を装備した適当な容器、例えばアトライター、加熱したボールミルの等の加熱された振動ミル中に上記の原材料を投入し、この容器を好ましい温度範囲、例えば８０〜１６０℃で分散および混練する方法が使用できる。粒状媒体としては、ステンレス鋼、炭素鋼等の鋼、アルミナ、ジルコニア、シリカ等が好ましく用いられる。この方法によって電気泳動粒子を作成するには、あらかじめ流動状態にした原材料をさらに粒状媒体によって容器内に分散させた後、分散媒を冷却して分散媒から着色剤を含む樹脂を沈殿させる。粒状媒体は冷却中および冷却後にも引き続き運動状態を保ちながら、剪断および／または、衝撃を発生させ粒子径を小さくする。
【０１４５】
次に、分散媒に分散した状態で発色する特性を有する電気泳動粒子を説明する。
ここで、「分散媒に分散した状態で発色する」とは、電気泳動粒子が分散媒中に分散している状態で、電気泳動粒子が分散している分散液を目視したときに観測できる色相を呈することをいう。なお、この場合の色相の観測は、目視方向に対する分散液の厚みが１０μｍ〜１ｃｍ程度の範囲内で観測されることを意味する。色相は、電気泳動粒子の形状や粒径等、また電気泳動粒子を構成する材料等を変化させることにより多彩とすることができる。
【０１４６】
なお、一対の基板間に封入される分散媒が、隔壁によって複数のセルに区分される場合、電気泳動粒子の極性は少なくともセル単位で同じであればよい。
【０１４７】
分散した状態で発色する電気泳動粒子としては、有機顔料、無機顔料、着色ガラス、染料等の着色剤や、これら着色剤を含んでなる樹脂粒子、また、金属粒子などが利用でき、必要に応じて、これら粒子の表面にシランカップリング剤等により表面処理を施したものも利用できる。一例を挙げれば、懸濁重合法により作製される黒色のカーボンを分散させたＰＭＭＡ（ポリメチルメタアクリレート）樹脂から構成される粒子を用いることができる。
なお、着色剤として用いられる有機顔料、無機顔料、染料としては公知のものが利用できるが、有機顔料としては、例えばアゾ系顔料、ポリ縮合アゾ系顔料、メタルコンプレックスアゾ系顔料、フラバンスロン系顔料、ベンズイミダゾロン系顔料、フタロシアニン系顔料、キナクリドン系顔料、アントラキノン系顔料、アントラピリジン系顔料、ピランスロン系顔料、ジオキサジン系顔料、ペリレン系顔料、ペリノン系顔料、イソインドリノン系顔料、キノフタロン系顔料、チオインジゴ系顔料、インダンスレン系顔料等が挙げられ、無機顔料としては、例えば亜鉛華、酸化チタン、酸化亜鉛、酸化ジルコニウム、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、硫酸バリウム、クロム酸鉛、硫酸鉛、炭酸バリウム、炭酸カルシウム、鉛白、アルミナホワイト等が挙げられ、染料としては、たとえば、ニグロシン系染料、フタロシアニン系染料、アゾ系染料、アントラキノン系染料、キノフタロン系染料、メチン系染料等が挙げられる。
【０１４８】
なお、着色剤を含んでなる樹脂粒子は、例えば、着色剤を分散させた樹脂固形物を混練粉砕する等の公知の乾式製法や、着色剤や樹脂等の原料を分散させた分散液中で造粒して樹脂粒子を得る公知の湿式製法により作製したものが利用できる。
【０１４９】
分散状態で発色する電気泳動粒子としては、金属粒子も利用でき、必要に応じて、この粒子の表面にシランカップリング剤等により表面処理を施したものも利用できる。なお、金属粒子としては貴金属を含む金属粒子が特に好ましい。
電気泳動粒子として利用される金属粒子は、プラズモン発色機能を有し、粒子そのものが発色する特性を有する。
金属粒子のプラズモン発色は、電子のプラズマ振動に起因し、プラズモン吸収と呼ばれる発色機構によるものである。このプラズモン吸収による発色は、金属中の自由電子が光電場により揺さぶられ、粒子表面に電荷が現れ、非線形分極が生じるためであるとされている。この金属粒子による発色は、彩度や光線透過率が高く、耐久性等に優れている。この金属粒子による発色は、粒径が数ｎｍ〜数十ｎｍ程度の、いわゆるナノ粒子において見られるものである。なお、色相の鮮やかさの観点からは、粒径分布がより狭い金属粒子であるほど有利である。それゆえ、金属粒子の平均粒径（体積平均粒径）としては１〜１００ｎｍの範囲内であることが好ましく、５〜５０ｎｍの範囲内であることが好ましい。
【０１５０】
金属粒子は、この粒子に含まれる金属の種類や、粒子の形状、体積平均粒径により、様々な色に発色させることができる。そのため、これらを制御した金属粒子を用いることにより、ＲＧＢ発色を含む様々な色相を得ることができる。それゆえ、分散媒中にプラズモン発色機能を有する金属粒子を分散させた分散液を用いて表示媒体作製すればカラー表示が可能である上に、Ｒ、Ｇ、Ｂに対応した各色の金属粒子分散液を用いればＲＧＢ方式の表示媒体を作製することもできる。
【０１５１】
ＲＧＢ方式のＲ、Ｇ、Ｂそれぞれの色を呈するための金属粒子の体積平均粒径としては、用いる金属や、粒子の調製条件、形状等に依存するため、特に限定することができないが、例えば、金コロイド粒子の場合、体積平均粒径が大きくなるに従って、Ｒ発色、Ｇ発色、Ｂ発色を呈する傾向にある。
【０１５２】
本発明における体積平均粒径の測定方法としては、粒子群にレーザ光を照射し、そこから発せられる回折、散乱光の強度分布パターンから平均粒径を測定する、レーザ回折散乱法を採用する。例えば、日機装社製マイクロトラック粒度分布測定装置ＭＴ３３００を用いて粒径の測定が可能である。
【０１５３】
金属粒子に含まれる金属としては、金、銀、ルテニウム、ロジウム、パラジウム、オスミウム、イリジウム、白金等の公知の貴金属類が好ましく、特に金および／または銀が好ましい。また、貴金属類以外の金属（例えば、銅）なども利用できる。また、金属粒子には２種類以上の金属が含まれていてもよい。
【０１５４】
また、電気泳動粒子の帯電性を制御するために、必要に応じて電気泳動粒子表面を表面処理（親水性処理又は疎水性処理）することもできる。
表面処理方法としては、シランカップリング剤などの表面処理剤による化学的処理法や電気泳動粒子表面に何らかの物理的刺激を付与して表面改質する物理的処理法が挙げられるが、本発明においては、化学的処理法を利用することが好ましい。
使用可能な表面処理剤は、電気泳動粒子の粒子本体を構成する材料との親和性も考慮して選択することができるが、例えば、疎水性処理には、シラン系化合物やシリコーン化合物、脂肪酸類等が利用できる。
【０１５５】
ここで疎水性処理に用いられるシラン系化合物としては、電気泳動粒子本体と反応する反応性部分と疎水性部分とを含む分子構造を持つ公知のシランカップリング剤が利用できる。
具体的には、Ｏｃｔａｄｅｃｙｌｔｒｉｍｅｔｈｏｘｙｓｉｌａｎｅ、Ｐｈｅｎｅｔｈｙｌｔｒｉｍｅｔｈｏｘｙｓｉｌａｎｅ、Ａｍｉｎｏｐｒｏｐｙｌｔｒｉｅｔｈｏｘｙｓｉｌａｎｅ、３−Ａｍｉｎｏｐｒｏｐｙｌｔｒｉｍｅｔｈｏｘｙｓｉｌａｎｅ、Ｍｅｔａｃｒｙｌｏｘｙｔｒｉｍｅｔｈｏｘｙｓｉｌａｎｅ、Ｍｅｔｈｏｘｙｔｒｉｍｅｔｈｙｌｓｉｌａｎｅ、３−Ａｍｉｎｏｐｒｏｐｙｌｄｉｅｔｈｏｘｙｍｅｔｈｙｌｓｉｌａｎｅ、Ｎ−(２−Ａｍｉｎｏｅｔｈｙｌ)−３−ａｍｉｎｏｐｒｏｐｙｌｔｒｉｍｅｔｈｏｘｙｓｉｌａｎｅ、Ｎ−(２−Ａｍｉｎｏｅｔｈｙｌ)−３−ａｍｉｎｏｐｒｏｐｙｌｍｅｔｈｙｌｄｉｍｅｔｈｏｘｙｓｉｌａｎｅ等を挙げることができる。
【０１５６】
疎水性処理に用いられるシリコーン化合物としては、メチルポリシロキサン、オクタメチルシクロテトラシロキサン、デカメチルシクロペンタンシロキサン、メチルシクロポリシロキサン、メチルハイドロジェンポリシロキサン等を挙げることができる。
疎水性処理に用いられる脂肪酸類としては、ラウリン酸、ミリスチン酸、ステアリン酸、オレイン酸、リノール酸、リノレイン酸、ヒドロキシ脂肪酸、カプロン酸、カプリル酸、パルミチン酸、ベヘン酸、パルミトレイン酸、エルカ酸、これらの、例えばナトリウム塩、カリウム塩等のアルカリ金属塩、マグネシウム塩、カルシウム塩等のアルカリ土類金属塩またはエステル等を挙げることができる。
【０１５７】
また、電気泳動粒子保持体が、電気泳動粒子に対して大きいサイズや自重を有するものである場合、静電力以外に電気泳動粒子の粒径を制御することによって、電気泳動粒子保持体との間に作用する分子間力を制御し、両者の付着力を制御することも可能である。
なお、「電気泳動粒子保持体が、電気泳動粒子に対して大きいサイズや自重を有する」とは、電気泳動粒子保持体の質量が、電気泳動粒子の質量の１００倍以上であることを意味し、「電気泳動粒子保持体」が電気泳動粒子から構成される場合は、その平均粒径が電気泳動粒子の平均粒径の１０倍以上であることを意味する。
【０１５８】
−分散媒−
分散媒は、少なくとも絶縁性の液体を含むものであり、その体積抵抗値としては１０3Ωｃｍ以上であることが好ましく、１０7Ωｃｍ〜１０19Ωｃｍであることがより好ましく、１０10〜１０19Ωｃｍであることが更に好ましい。体積抵抗値をこの範囲内とすることで、より効果的に、電極反応に起因する分散媒の電気分解による気泡の発生が抑制でき、通電毎に電気泳動粒子の電気泳動特性が損なわれることがなく、優れた繰り返し安定性を付与することができる。また、分散媒には、上記体積抵抗値の絶縁性の液体の他に、必要に応じて酸、アルカリ、塩、界面活性剤などの分散安定剤、酸化防止や紫外線吸収などを目的とした安定剤、抗菌剤、防腐剤などを添加することができるが、上述の体積抵抗値の範囲内となるように添加することが好ましい。また、分散媒の粘度としては特に限定されないが１〜１００ｍＰａ・ｓの範囲内が好適である。
【０１５９】
分散媒に用いられる液体としては、公知の水溶性有機溶媒や疎水性有機溶媒が利用でき、例えば、ヘキサン、シクロヘキサン、トルエン、キシレン、デカン、ヘキサデカン、ケロセン、パラフィン、イソパラフィン、シリコーンオイル、変性シリコーンオイル、フッ素オイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用できる。
また、上記体積抵抗値となるよう不純物を除去することで、水（所謂、純水）も好適に使用することができる。
【０１６０】
なお、上述に列挙した液体の中でも、電圧が印加されてもより分解しにくいヘキサン、シクロヘキサン、ケロシン、パラフィン、シリコーンオイル等の疎水性有機溶媒を用いることが好適であり、シリコーンオイルを用いることが特に好適である。
シリコーンオイルが特に好適な理由は、従来の電気泳動方式の表示媒体に用いられていたヘキサン、シクロヘキサン、ケロシン、パラフィン等の分散媒と比べて、（１）より高い電圧を印加しても分散媒が分解し難い、（２）粘性が高いために、金属粒子を電気泳動させた場合に激しい対流が起こりにくく、この激しい対流に起因するコントラストの低下や表示の乱れが起こりにくい、（３）表示媒体の作製に際して、表示媒体の分散媒を封入する空間に金属粒子を分散させた分散液を減圧充填する場合に分散媒の揮発が起こりにくいという特性を有するためである。
【０１６１】
シリコーンオイルとしては公知のシリコーンオイルであれば特に制限なく利用できる。
（１）抵抗値は１０３Ωｃｍ以上であることが好ましく、１０７Ωｃｍ〜１０１９Ωｃｍであることがより好ましく、１０１０〜１０１９Ωｃｍであることが更に好ましい。（２）粘度は１〜１０００ｃｓｔ、１〜１００ｃｓｔであることがより好ましい。具体的には、信越化学社製ＫＦ−９６、Ｄｏｗ  ｃｏｒｎｉｎｇ社製ＤＯＷ  ＣＯＲＮＩＮＧ  ２００、ＧＥ東芝シリコーン社製ＴＳＦ４５１などのジメチルシリコーンオイルが使用できる。また、ジメチルポリシロキサンのメチル基の一部に有機基を導入した変性シリコーンオイル（例えば信越化学社製ＫＦ−３９３、Ｘ２２−３７１０）なども使用できる。
【０１６２】
−基板および電極−
本実施の形態の表示媒体に用いられる基板としては、ポリエステル（例えば、ポリエチレンテレフタレート）、ポリイミド、ポリメタクリル酸メチル、ポリスチレン、ポリプロピレン、ポリエチレン、ポリアミド、ナイロン、ポリ塩化ビニル、ポリ塩化ビニリデン、ポリカーボネート、ポリエーテルスルフォン、シリコーン樹脂、ポリアセタール樹脂、フッ素樹脂、セルロース誘導体、ポリオレフィンなどの高分子のフイルムや膜状基板、ガラス基板、金属基板、セラミック基板等の無機基板などが好ましく用いられる。
表示媒体に用いる一対の基板のうちの少なくとも一方は、可視光に対して光透過性を有する基板（透明基板）が用いられる。透過型の表示媒体を作製する場合には、双方の基板共に透明基板が用いられるが、本実施の形態の表示媒体は、基本的には反射型であることが好ましいため、この場合、透明基板に対向配置されるもう一方の基板（背面基板）としては、光透過性を有さない基板が用いられる。従って、以下の説明においては、特に説明が無い限り、反射型の表示媒体であることを前提として説明するが、本発明の表示媒体は反射型にだけ限定されるものではない。
なお、本発明において、「光透過性を有する」とは、可視域の波長を有する光に対する光透過率が少なくとも５０％以上であることを意味し、８０％以上であることが好ましく、光透過率は１００％が最も好ましい。
【０１６３】
透明基板としては、ガラス基板や、アクリル樹脂、ポリカーボネート樹脂、ポリエチレンテレフタレート樹脂から構成される透明樹脂基板を用いることが好ましく、これらを組み合わせたものを用いてもよい。また、背面基板としては、透明基板と同じ材質のものを利用してもよいが、不透明あるいは着色した基板も利用でき、たとえばＡＢＳ樹脂（アクリロニトリル・ブタジエン・スチレン樹脂）やガラスエポキシ樹脂などから構成される樹脂基板を用いることができる。
【０１６４】
また、基板には必要に応じて電極を設けることもできる。例えば、透明基板の調光層側の面に電極を設ける場合、ＩＴＯ（Ｉｎｄｉｕｍ  Ｔｉｎ  Ｏｘｉｄｅ）などから構成される透光性を有する電極（透明電極）が利用できる。また背面電極の調光層側の面に電極を設ける場合には、ＩＴＯなどの透明の導電性材料から構成される透明電極を用いることもできるが、銅などの金属から構成される電極を設けることもできる。
【０１６５】
これら電極は、基板表面に帯状に設けることによって、透明基板側の電極と背面基板側の電極とが直交するように、いわゆる行と列とに電極を配置したものとしてもよい。また、背面基板の調光層側の面に電極を設ける場合、この電極を保護する目的で、この電極表面を被覆するように樹脂や無機材料から構成される絶縁膜を設けることもできる。
また、基板には、必要に応じて配線、薄膜トランジスタ、金属・絶縁層・金属構造を持つダイオード、バリアブルコンデンサ、強誘電体等の駆動用スイッチング素子を形成してもよい。
【０１６６】
−その他の部材−
表示媒体には、分散媒等の内容物の表示媒体外部への流出を防いだり、一対の基板間に封入される分散媒等から構成される調光層を隔壁によって複数のセルに区分する場合ために、一対の基板間に隔壁が設けられる。
この隔壁の高さは、特に限定されるものではなく、通常２０μｍ〜１ｍｍ程度である。
また、隔壁の幅は、特に限定されるものではないが、一般的には幅が小さい方が、表示媒体の解像度の観点より有効であり、通常、１０μｍ〜１ｍｍ程度である。
また、隔壁の材料としては、絶縁性を有すると共に分散媒に対して溶解しない材料であれば特に限定されず、例えば、公知の感光性樹脂やゴムなどを用いることができる。
なお、本実施の形態では、「絶縁性」とは、体積抵抗率が１０６Ω・ｃｍ以上であることを示している。また、「導電性」とは、体積抵抗率が１０−３Ω・ｃｍ以下であることを示している。
【０１６７】
加えて、表示媒体の作製に際して、隔壁と基板とを接着するために、接着剤を利用することもできる。接着剤としては、特に限定されず、熱硬化性樹脂、紫外光硬化性樹脂等を使用することができるが、隔壁の材料や、調光層等を構成する材料に影響を与えない材料が選択される。
更に、必要に応じて、一対の基板の間隙幅を一定に保つために、リブを設けたり、一対の基板の間隙幅と同サイズの粒子を配置してもよい。
【０１６８】
−表示媒体の製造方法−
表示媒体の製造方法は特に限定されないが、例えば以下のプロセスにより作製することができる。まず、一対の基板として、透明基板と、背面基板とを準備する。これら基板としては電極が予め設けられていてもよい。続いて、透明基板又は背面基板のいずれか一方の調光層側の面に隔壁を形成した後、両者を貼り合わせる。なお、貼り合わせに際しては、例えば電気泳動粒子保持粒子などの電気泳動粒子保持体を、一対の基板間に充填する。続いて、隔壁形成時に予め設けておいた分散媒の注入口から１種類以上の電気泳動粒子を含む分散媒を注入し、注入口を封止することにより表示媒体を得ることができる。
【０１６９】
−表示装置−
次に、以上に説明した本実施の形態の表示媒体を用いた表示装置について説明する。本発明の表示装置は、本発明の表示媒体が、一対の基板間に封入された分散媒に対して電界が印加可能な位置に一対の電極を内蔵する場合に、この一対の電極に接続され、分散媒に電界を印加する電界印加手段を更に備えたものである。ここで、一対の電極は、一対の基板の一方の基板側と他方の基板側とに配置される。
例えば、背面基板の透明基板側の面に背面電極が設けられ、透明基板の表示面と反対側の面に透明電極が設けられる場合には、これら一対の電極に電界印加手段が接続される。これにより、表示を行う場合に、表示媒体外部の電界印加手段を利用することなく表示を行うことができる。
【０１７０】
なお、表示装置に用いられる電界印加手段としては、中間調の表示が行えるように、印加する電界の電圧波形や電界印加時間等が制御される制御機能を備えたものであれば特に限定されないが、通常は、既述した式（５）を満たす電圧波形を有する電界を、分散媒に対して印加可能なものが用いられ、式（７）や式（８）を満たす電圧波形を有する電界を、分散媒に対して印加可能なものが用いられることがより好ましい。それゆえ、電界印加手段としては、例えば、印加する電界の電圧波形が式（５）や式（７）、式（８）を満たす制御ができる制御回路を内蔵していたり、プログラムがインストールされた電界印加手段が利用できる。
また、電界印加手段としては、必要に応じて交流電源、直流電源のいずれも利用でき、電極を介して調光層に交流電圧と直流電圧とを重畳して印加する場合には双方を併用することもできる。
【０１７１】
−表示媒体（表示装置）の具体例−
以下、表示媒体の具体例を、図面を用いて説明するが、本実施の形態の表示媒体は、以下に説明する例にだけ限定されるものではない。
図８は、本実施の形態の表示媒体の一例を示す概略模式図であり、図中、１００は表示媒体、２００は透明基板、２０２は表示面、２０４は背面基板、２０６は隔壁、２１０は透明電極、２２０は背面電極、３００は電気泳動粒子、３０２は分散媒、４０１は電気泳動粒子保持体、４００は、電気泳動粒子保持粒子、５００は電界印加手段を表す。
【０１７２】
図８に示す表示媒体１００は、一方の面が表示面２０２を構成し、他方の面に透明電極２１０が設けられた透明基板２００と、この透明基板２００の透明電極２１０が設けられた面に対向して配置され、透明基板２００が配置された側の面に背面電極２２０が設けられた背面基板２０４と、透明基板２００と背面基板２０４との間隙の端部に配置され当該間隙部分を封止するように配置された隔壁２０６と、透明基板２００と背面基板２０４との間隙に封入された電気泳動粒子３００を含む分散媒３０２と、一対の透明基板２００、２０４間に配置された電気泳動粒子保持体４０１と、を含むものである。
【０１７３】
ここで、一対の透明基板２００、２０４と隔壁２０６とで囲まれた領域は調光層に相当する。また、この表示媒体１００の透明電極２１０および背面電極２２０は、分散媒３０２に電界が印加できるように電界印加手段５００が接続されており、例えば、式（７）や式（８）を満たす矩形状の電圧波形（いわゆるパルス波）を有する電界を印加することができる。さらに、電気泳動粒子保持体４０１は、複数の電気泳動粒子保持粒子４００の集合体からなり、複数の電気泳動粒子保持粒子４００が互いに動けない程度の密度で一対の基板間２００、２０４間に充填配置されて構成されている。
【０１７４】
次に、表示媒体１００の動作の一例について、電気泳動粒子保持粒子４００が白色で且つ負に帯電し、電気泳動粒子３００が赤色で且つ正に帯電しているとした場合について説明する。
まず、図８に示すように、電気泳動粒子３００が、透明基板２００側に存在する電気泳動粒子保持粒子４００の透明基板２００と対向する側の表面に偏在して存在している場合において、表示媒体１００を表示面２０２側から観察した場合、濃い赤色（最大濃度またはこれに準じた濃度）が観察される。
【０１７５】
ここで、透明電極２１０をマイナス、背面電極２２０をプラスとして、完全に最大濃度となるように十分な時間、電界を印加して、この電界を印加し終えた状態を初期状態とする。
なお、電界印加中は、電気泳動粒子３００が透明電極２１０表面に引き付けられるが、電界が除去されると、透明電極２１０表面から離脱し易くなる。しかし、電気泳動粒子３００が、透明電極２１０表面から離脱したとしても、透明電極２１０表面周辺の電気泳動粒子保持粒子４００表面（透明電極２１０側周辺の表面）に付着し保持されるため、電界が除去された後の表示濃度は、経時的に安定して維持されることになる。
【０１７６】
次に、初期状態から、例えば、式（８）を満たし、且つ、式（８）における整数ｎ＝３となるようにパルス波状の電圧波形を有する電界を印加すると、濃い赤（最大濃度）、やや濃い赤、やや薄い赤、および、白（最小濃度）の４階調表示が可能となる。
また、いずれかの段階の階調で表示した後に電界を除去した状態を維持しても、電気泳動粒子３００は、電界を除去した直後と同様に電気泳動粒子保持粒子４００表面の同じ位置に付着し保持され続けるため、経時的な表示濃度の変化が起こらない。
【０１７７】
次に、電気泳動粒子保持体として、多孔質体又は網目構造体から構成される電気泳動粒子保持体を用いた表示媒体の一例について説明する。
図９は、本実施の形態の表示媒体の他の例を示す概略模式図であり、図中、１１０は表示媒体、４１０は、図８に示す電気泳動粒子保持粒子４００の集合体から構成される電気泳動粒子保持体４０１に換えて、多孔質体や網目構造体や繊維の集合体から構成される電気泳動粒子保持体４１０を表し、その他の符号で示される部材は、図８に示されるものと同様の機能を有するものである。
【０１７８】
図９に示す表示媒体１１０は、基本的には、図８に示す表示媒体１００と同様の構成を有するものであるが、電気泳動粒子保持体として、多孔質体や網目構造体や繊維の集合体から構成される電気泳動粒子保持体４１０を用いた点において表示媒体１００と異なるものである。この多孔質体や網目構造体や繊維の集合体から構成される電気泳動粒子保持体４１０は、調光層中を移動できないように一対の基板間２００、２０４間に充填配置されている。この表示媒体１１０についても、図８に示す表示媒体１００と同様の表示を行うことが可能である。
【０１７９】
なお、表示媒体１１０の一対の基板間２００、２０４間に充填配置される多孔質体や網目構造体や繊維の集合体から構成される電気泳動粒子保持体４１０は、図９に示すように、一対の基板間２００、２０４の向かい合う方向における電気泳動粒子３００の保持機能が均一となるように設けられていても良いが、一対の基板間２００、２０４の向かい合う方向における電気泳動粒子３００の保持機能が透明基板２００及び背面基板２０４の少なくとも一方から離れる方向に向かって連続的または段階的に小さくなるように充填配置されていてもよい。
【０１８０】
表示媒体１１０の透明基板２００と背面基板２０４との間に、多孔質体や網目構造体や繊維の集合体から構成される電気泳動粒子保持体４１０を充填配置する場合には、電気泳動粒子保持体を電気泳動粒子保持粒子４００の集合体で構成する場合に比べて、通気度や開口率や繊維間距離や孔の密度等を調整することが容易である。また、電気泳動粒子保持体を連続した部材としての連続体として構成することができ、電気泳動粒子保持体の、電気泳動粒子３００を保持する機能における部分的な調整が可能となる。
【０１８１】
具体的には、図２１に示すように、透明基板２００と背面基板２０４との間に充填配置されている電気泳動粒子保持体４１０の内、透明基板２００側に配置されている電気泳動粒子保持体４１０Ａの電気泳動粒子３００の保持機能が大きく、透明基板２００から遠い領域すなわち背面基板２０４側に配置されている電気泳動粒子保持体４１０Ｂの電荷移動粒子３００の保持機能が透明基板２００に近い領域に比べて小さくなるように、電気泳動粒子保持体４１０を充填配置してもよい。
【０１８２】
また、図２２に示すように、透明基板２００と背面基板２０４との間に充填配置されている電気泳動粒子保持体４１０の内、透明基板２００に近い領域に配置されている電気泳動粒子保持体４１０Ａと、背面基板２０４に近い領域に配置されている電気泳動粒子保持体４１０Ｃの電気泳動粒子３００の保持機能が大きく、透明基板２００と背面基板２０４との双方からこれらの基板間の向かい合う方向に向かって離れるほど電気泳動粒子３００の保持機能が小さくなるよう、電気泳動粒子保持体４１０Ａと電気泳動粒子保持体４１０Ｃとの間の領域に、電荷移動粒子保持体４１０Ａ及び電荷泳動粒子保持体４１０Ｃより電気泳動粒子３００の保持機能の小さい電荷泳動粒子保持体４１０Ｂを充填配置してもよい。
【０１８３】
この電荷泳動粒子保持体４１０の電気泳動粒子３００の保持機能を、透明基板２００と背面基板２０４との向かい合う方向に連続的または段階的に換えるためには、上記でも説明したが、電荷泳動粒子保持体４１０の帯電量、通気度、開口率、孔の密度、及び繊維間距離等を調整すればよい。
【０１８４】
なお、図２２に示すように、透明基板２００と背面基板２０４との間に充填配置されている電気泳動粒子保持体４１０の内、透明基板２００に近い領域を構成する電気泳動粒子保持体４１０Ａ及び背面基板２０４に近い領域を構成する電気泳動粒子保持体４１０Ｃ各々の電気泳動粒子３００を保持する機能を、電気泳動粒子保持体４１０の電気泳動粒子保持体４１０Ａと電気泳動粒子保持体４１０Ｃとの間の領域を構成する電気泳動粒子保持体４１０Ｂの電気泳動粒子３００を保持する機能の比べて大きく調整する場合には、この中間に位置する電気泳動粒子保持体４１０Ｂの色だけを着色層としてもよい。この場合には、電気泳動粒子保持体４１０Ｂの色を白色とすることが望ましい。
【０１８５】
電気泳動粒子保持体４１０Ｂの色を白色とするには、電気泳動粒子保持体４１０Ｂを構成する繊維や部材の表面に白色材を固定すればよい。この白色材としては、二酸化チタンや、チタン酸バリウム、硫酸バリウム、炭酸カルシウム等の白色顔料を用いることができるが、白色材として粒子状の白色粒子を用いても良い。
【０１８６】
上述の多孔質体や網目構造体や繊維の集合体から構成される電気泳動粒子保持体４１０が透明基板２００と背面基板２０４との間に充填配置された表示媒体１１０、表示媒体１１０Ａ、及び表示媒体１１０Ｂは、多孔質体や網目構造体や繊維の集合体から構成される電気泳動粒子保持体４１０に、上記分散媒３０２と電気泳動粒子３００とを含浸させた後に、透明基板２００と背面基板２０４で挟み込むことで製造すればよい。このため、容易に表示媒体１１０、表示媒体１１０Ａ、及び表示媒体１１０Ｂを作成することができる。
【０１８７】
以上に例示した表示媒体はいずれも一対の基板間に封入される分散媒が隔壁によって区分された１つのセル中に１種類の発色性の電気泳動粒子が含まれている場合について示したが、１つのセル中に２種類以上の発色性の電気泳動粒子が含まれていてもよく、以下にこのタイプの表示媒体の構成例について説明する。
【０１８８】
図１０は、本実施の形態の表示媒体の他の例を示す概略模式図であり、図中、１２０は表示媒体、３００Ｃ、３００Ｍ、３００Ｙは電気泳動粒子を表し、その他の符号で示される部材は、図８中に示したものと同様の機能を有するものである。
図１０に示す表示媒体１２０は、基本的には図８に示す表示媒体１００と同様の構成を有するものであるが、図８に示す表示媒体１００において１種類ではなく３種類の電気泳動粒子３００Ｃ、３００Ｍ、３００Ｙを用いている点において異なるものである。
【０１８９】
３種類の電気泳動粒子３００Ｃ、３００Ｍ、３００Ｙはいずれも同極性に帯電しており、分散媒３０２に分散した状態で互いに異なる色に発色すると共に、電気泳動粒子保持粒子４００表面から離脱して分散媒中３０２を移動可能な閾電界値の絶対値も互いに異なるものが用いられる。
なお、以下の説明においては、いずれも正に帯電し、電気泳動粒子３００Ｃがシアン色の電気泳動粒子、電気泳動粒子３００Ｍがマゼンタ色の電気泳動粒子、電気泳動粒子３００Ｙがイエロー色の電気泳動粒子から構成されるものとして説明する。
ここで、これら３種類の電気泳動粒子３００Ｃ、３００Ｍ、３００Ｙの閾電界値は、例えば、図１１に示すように設定することができる。
【０１９０】
図１１は、図１０に示す表示媒体に用いられる３種類の電気泳動粒子の閾電圧と表示濃度との関係について説明するグラフである。ここで図中、横軸に示す「電圧」は、透明電極２１０と背面電極２２０との間に印加される電界の電圧（Ｖ）を意味し、背面電極２２０側を正極、透明電極２１０側を負極となるように電圧を印加した場合がプラス（グラフの右側方向）を意味し、縦軸に示す「表示濃度」は、３種類の電気泳動粒子３００Ｃ、３００Ｍ、３００Ｙを各々単体で用いたと仮定した場合において、表示面２０２に示される色の濃度（相対濃度）を意味し、電気泳動粒子が透明基板２００側に移動して表示濃度が濃くなる状態がグラフの上側方向を意味する。また、Ｖ１、Ｖ２、Ｖ３は閾電圧を意味する。なお、透明電極２１０と背面電極２２０との距離は一定であるため、電界の閾値と閾電圧とは比例関係にある。
【０１９１】
図１１から明らかなように、電気泳動粒子３００Ｃを例として説明すれば、分散媒３０２に対してプラスの電界を印加し、その強度をプラス側に更に増加させ続け、電圧が閾電圧であるＶ１以上となると電気泳動粒子３００Ｃが、背面基板２０４側から透明基板２００側へと移動し、シアン色の表示濃度が濃くなり、電圧がＶ２に達する前にシアン色の表示濃度が飽和する。この状態で、分散媒に対してマイナスの電界を印加し、その強度をマイナス側に更に増加させ続け、電圧が閾電圧である−Ｖ１以下となると電気泳動粒子３００Ｃが、透明基板２００側から背面基板２０４側へと移動し、シアン色の表示濃度が薄くなり、電圧が−Ｖ２に達する前にシアン色の表示濃度が最低となる。
【０１９２】
同様にして、電気泳動粒子３００Ｍでは、電圧が閾電圧Ｖ２以上（または−Ｖ２以下）で表示濃度の増加（または減少）が起こり、電圧がＶ３（または−Ｖ３）に達する前に表示濃度が飽和（または最低）となり、電気泳動粒子３００Ｙでは、電圧が閾電圧Ｖ３以上（または−Ｖ３以下）で表示濃度の増加（または減少）が起こり、電圧がＶ３＋α（または−Ｖ３−α）に達すると表示濃度が飽和する（または最低となる）。
【０１９３】
また、図１１に示されるように３種類の電気泳動粒子３００Ｃ，３００Ｍ、３００Ｙ各々の閾電圧の絶対値は、｜Ｖ１｜＜｜Ｖ２｜＜｜Ｖ３｜なる関係を有している。このため、３種類の電気泳動粒子３００Ｃ，３００Ｍ、３００Ｙ各々の閾電圧の絶対値の違いを利用して電圧を印加すれば、１つのセルで、白色（Ｗ）の他に、シアン色（Ｃ）、マゼンタ色（Ｍ）、イエロー色（Ｙ）や、これらＣＭＹの２次色、３次色が表示できる。
なお、閾電圧の制御方法は特に限定されるものではないが、例えば、３種類の電気泳動粒子３００Ｃ，３００Ｍ、３００Ｙ各々の白色の電気泳動粒子保持粒子４００に対する付着力に差が生じるように、電気泳動粒子３００Ｃ，３００Ｍ、３００Ｙの平均粒径や、粒子の表面処理状態、粒子表面に処理する帯電制御剤などを選択することなどが挙げられる。
【０１９４】
例えば、電気泳動粒子３００Ｃ，３００Ｍ、３００Ｙを構成する材料や粒子の表面処理状態に起因する帯電特性に実質的な差がないと仮定した場合、３種類の電気泳動粒子３００Ｃ，３００Ｍ、３００Ｙの平均粒径に差を設けることによって、電気泳動粒子３００Ｃ，３００Ｍ、３００Ｙ各々の閾電圧の絶対値を設けることができる。
この場合、閾電圧の絶対値が、｜Ｖ１｜＜｜Ｖ２｜＜｜Ｖ３｜となる関係を満たすためには、電気泳動粒子３００Ｃ，３００Ｍ、３００Ｙ各々の平均粒径Ｄｃ、Ｄｍ、Ｄｙは、Ｄｃ＞Ｄｍ＞Ｄｙなる関係を満たせばよく、例えば、Ｄｃ＝５００ｎｍ、Ｄｍ＝１５０ｎｍ、Ｄｙ＝５０ｎｍとすることができる。
【０１９５】
なお、本発明において、図１１に例示される閾電圧は、電界の印加に用いる一対の電極の間隙長さ（図１０に示す例では透明電極２１０と背面電極２２０との間隙長さ）と、この一対の電極に印加する電圧を変えて表示媒体に表示される色を観察した場合に、特定の色（図１０に示す例ではシアン、マゼンタ、イエロー）の表示濃度が変化し始める電圧とを把握することにより容易に求めることができる。
最初に、片側の電極に粒子を引き寄せた状態で電界を切り、次に逆向きの電界を印加して粒子が移動するかを観察する方法で測定できる。例えば、反射濃度計を用いて、表示濃度を測定して、印加される電圧と表示濃度との関係を求めることで濃度が変化し始める電圧値として求めることができる。
あるいは、透明な容器内に平行平板の電極一対を浸し、電極間のスペースを平行電界に垂直な方向から観察できる装置を用意する。例えば、粒子が正帯電の場合、一方の電極を負極性として、その電極側に粒子を移動させる。この状態で電界を切断し、次に、粒子の集まった側の電極を正極性として徐々に電圧を増加させていく。この際、負極側の電極に向けて粒子が移動を開始する電圧Ｖを求め、電極間の距離で割ることで、電界の閾値を求めることができる。
【０１９６】
いずれの場合でも、泳動する粒子が閾電圧を持たない場合は、電界を0にするか、あるいは電圧を小さくすると電極表面に集まっていた泳動粒子が動き出し、逆極性の電界を印加しなくてもすぐに表示濃度が変化し始める。これに対して、閾値を有する泳動粒子の場合は、電界を弱めたり、電界を除去するだけは電極上に一度集まった泳動粒子が液体内や反対側の電極側に移動せず、表示濃度が変化することがない。
【０１９７】
次に、３種類の電気泳動粒子３００Ｃ、３００Ｍ、３００Ｙが図１１に示す関係を満たすことを前提として、表示媒体１２０の表示動作の一例について以下に説明する。
図１２〜図２０は、図１０に示す表示媒体における表示状態の一例を示す概略模式図である。なお、これら図中において、電界印加手段５００の記載は省略してあるが、一対の電極２１０、２２０は、電界印加手段５００（図１０参照）に接続されている。
【０１９８】
まず、表示濃度が飽和するまで、電圧がＶ３＋αとなるように電圧を印加した場合、電気泳動粒子３００Ｃ、３００Ｍ、３００Ｙは透明基板２００側へ移動し、イエロー、マゼンタ、シアンの減法混色によって表示面２０２には黒色が表示される（図１２）。
【０１９９】
なお、電界印加中は、電気泳動粒子３００Ｃ，３００Ｍ、３００Ｙが透明電極２１０表面に引き付けられるが、電界が除去されると、透明電極２１０表面から離脱し易くなる。しかし、電気泳動粒子３００Ｃ，３００Ｍ、３００Ｙが、透明電極２１０表面から離脱したとしても、透明電極２１０表面周辺の電気泳動粒子保持粒子４００表面（透明電極２１０側周辺の表面）に付着し保持されるため、電界が除去された後の表示濃度は、経時的に安定して維持されることになる。
【０２００】
続いて、表示濃度が飽和するまで、電圧が−Ｖ３−αとなるように電圧を印加した場合、電気泳動粒子３００Ｃ，３００Ｍ、３００Ｙは背面基板２０４側へ移動し、これら３種類の粒子は表示面２０２側からみた場合、電気泳動粒子保持粒子４００によって隠蔽されるために、表示面２０２には白色が表示される（図１３）。
なお、電界印加中は、電気泳動粒子３００Ｃ，３００Ｍ、３００Ｙが背面電極２２０表面に引き付けられるが、電界が除去されると、背面電極２２０表面から離脱し易くなる。しかし、電気泳動粒子３００Ｃ，３００Ｍ、３００Ｙが、背面電極２２０表面から離脱したとしても、背面電極２２０表面周辺の電気泳動粒子保持粒子４００表面（背面電極２２０側周辺の表面）に付着し保持されるため、電界が除去された後の表示濃度は、経時的に安定して維持されることになる。
【０２０１】
次に、例えば、式（８）を満たし、式（８）における整数ｎ＝２とし、時間Ｔｐ（１）＝Ｔｐ（２）＝Ｔｍａｘ／２＝Ｔｈとなるようにパルス波状の電圧波形を有する電界を印加して表示を行うことを前提に説明する。
この場合、電気泳動粒子３００Ｃ、３００Ｍ、３００Ｙの各々について、それぞれ３階調の表示が可能になる。
すなわち、電気泳動粒子３００Ｃ、３００Ｍ、３００Ｙの各々について、一方の基板側に偏在している状態を第一の初期状態（例えば、最大濃度）として、第一の初期状態から、電気泳動粒子が他方の基板側へと電気泳動可能な電圧を時間Ｔｈの間だけ印加し終えると、電気泳動粒子が調光層の厚み方向に対して中央部分近傍に偏在して中間濃度となり、さらに、電気泳動粒子が他方の基板側へと電気泳動可能な電圧を、時間Ｔｈの間だけ印加し終えると、第二の初期状態（例えば、最小濃度）となる。また、第一の初期状態から電気泳動粒子が他方の基板側へと電気泳動可能な電圧を時間２Ｔｈ（Ｔｍａｘ）の間だけ印加し終えると、第二の初期状態となる。
【０２０２】
ここで、図１３に示す表示状態（白表示）から、Ｖ２以上Ｖ３未満の電圧を時間２Ｔｈ（又はそれ以上）だけ印加すると、電気泳動粒子３００Ｃ、３００Ｍが透明基板２００側へ移動する。この時、電気泳動粒子３００Ｙは、電気泳動粒子保持粒子４００との付着力の方が電界から受ける力より大きいため、電気泳動粒子保持粒子４００表面に付着されたまま保持されたままとなる。このため、表示面２０２には青色が表示される（図１４）。
【０２０３】
次に、図１４に示す表示状態から、−Ｖ１以下−Ｖ２を超える電圧を時間２Ｔｈ（又はそれ以上）だけ印加すると、電気泳動粒子３００Ｃのみが電気泳動粒子保持粒子４００の表面から離脱して背面基板２０４側へ移動するが、電気泳動粒子３００Ｍ、電気泳動粒子３００Ｙは、電気泳動粒子保持粒子４００との付着力の方が電界から受ける力より大きいため、電気泳動粒子保持粒子４００表面に付着されたまま保持される。それゆえ、電気泳動粒子３００Ｍのみが透明基板２００側に偏在して存在するため、表示面２０２にはマゼンタ色が表示される（図１５）。
【０２０４】
また、図１３に示す表示状態（白表示）から、Ｖ２以上Ｖ３未満の電圧を時間Ｔｈだけ印加すると、電気泳動粒子３００Ｃ、３００Ｍが背面基板２０４側から透明基板２００側へと移動し、電界を印加し終えた時点で、電気泳動粒子３００Ｃ、３００Ｍが、調光層の厚み方向に対して中央部分近傍に偏在するように電気泳動粒子保持粒子４００表面に付着し保持される。このため、表示面２０２には薄青色が表示される（図１６）。
【０２０５】
次に、図１６に示す表示状態から、−Ｖ１以下−Ｖ２を超える電圧を時間Ｔｈだけ印加すると、電気泳動粒子３００Ｃのみが電気泳動粒子保持粒子４００表面から離脱して背面基板２０４側へ移動し、電気泳動粒子３００Ｍのみが、そのまま調光層の厚み方向に対して中央部分近傍に偏在するように電気泳動粒子保持粒子４００表面に保持され続ける。このため、表示面２０２には薄マゼンタ色が表示される（図１７）。
【０２０６】
また、図１２に示す表示状態（黒表示）から、−Ｖ２以下−Ｖ３を超える電圧を時間２Ｔｈ（又はそれ以上）だけ印加すると、電気泳動粒子３００Ｃ、３００Ｍが透明基板２００側から背面基板２０４側へと移動し、電界を印加し終えた時点で、電気泳動粒子３００Ｃ、３００Ｍが背面基板２０４側に偏在し、電気泳動粒子３００Ｙのみが電界を印加前と同様に透明基板２００側に偏在し続けることになる。このため、表示面２０２には黄色が表示される（図１８）。
【０２０７】
次に、図１８に示す表示状態から、Ｖ１以上Ｖ２未満の電圧を時間２Ｔｈ（又はそれ以上）だけ印加すると、電気泳動粒子３００Ｃが背面基板２０４側から透明基板２００側へと移動し、電界を印加し終えた時点で、電気泳動粒子３００Ｃは透明基板２００側に偏在することになる。
このため、イエローとシアンとの減法混色により表示面２０２には緑色が表示される（図１９）。
【０２０８】
さらに、図１９に示す表示状態から、Ｖ１以上Ｖ２未満の電圧を時間Ｔｈだけ印加すると、電気泳動粒子３００Ｃが透明基板２００側から背面基板２０４側へと移動し、電界を印加し終えた時点で、調光層の厚み方向に対して中央部分近傍に偏在するように電気泳動粒子保持粒子４００表面に付着し保持される。このため図１９に示す表示状態（緑色）よりも、シアン色の色濃度が薄くなり、表示面２０２には黄緑色が表示される（図２０）。
なお、図１２〜図２０に示すいずれの表示状態においても、新たに電界が印加されない限りは、電気泳動粒子３００Ｃ、３００Ｍ、３００Ｙが電気泳動粒子保持粒子４００表面の同じ位置に付着し保持され続けるために、電界が除去された後の表示濃度が、経時的に安定して維持されることになる。
【０２０９】
なお、図９、図２１、及び図２２に示す表示媒体１１０、表示媒体１１０Ａ、及び表示媒体１１０Ｂの場合も同様に、図１０〜図２０で説明したのと同じように、複数種類の電気泳動粒子３００Ｃ、３００Ｍ、及び３００Ｙを用いて、多色表示を行うことができる。
図２１及び図２２に示す表示媒体１１０Ａ及び表示媒体１１０Ｂ内に充填配置されている電気泳動粒子保持体４１０は、基板２０２及び背面基板２０４の少なくとも一方から基板間の向かい合う方向に向かって離れるほど電気泳動粒子３００を保持する機能が小さくなるように充填配置されていることから、同一種類の電気泳動粒子が基板２０２と背面基板２０４との間を移動するときにおいて、電気泳動粒子保持体４１０の電気泳動粒子３００を保持する機能が大きい領域（電気泳動粒子保持体４１０Ａ及び電気泳動粒子保持体４１０Ｃ）を移動するときの移動速度は、この領域より電気泳動粒子３００を保持する機能の小さい領域（電気泳動粒子保持体４１０Ｂ）を移動するときの移動速度に比べて低速となる。
【０２１０】
すなわち、電気泳動粒子保持体４１０を、基板２０２及び背面基板２０４の少なくとも一方から基板間の向かい合う方向に向かって離れるほど電気泳動粒子３００を保持する機能が小さくなるように充填配置することで、基板２０２と背面基板２０４との間の中央付近の領域における電気泳動粒子３００の移動速度を、基板２０２及び背面基板２０４の少なくとも一方に近い領域における電気泳動粒子３００の移動速度より高速にすることができる。このため、基板２０２及び背面基板２０４の少なくとも一方における良好な電気泳動粒子３００の保持を確率することができる。また、基板２０２と背面基板２０４との向かい合う方向に向かって電気泳動粒子保持体４１０における電気泳動粒子３００を保持する機能を変化させることで、階調表現を容易に行うことができる。
【実施例】
【０２１１】
以下に上記実施の形態を、実施例を挙げて説明するが、本発明は以下に示す実施例にのみ限定されるものではない。
【０２１２】
＜電気泳動粒子Ａの作製＞
スチレンモノマー９０重量部、アゾイソブチロニトリル１重量部から構成される混合物を、１０ｍｍφのジルコニアボールを使用したボールミル粉砕を２０時間実施し、分散液Ａ−１を得た。
炭酸カルシウム３０重量部、水７０重量部から構成される混合物に、分散液Ａ−１と同様の操作を行い分散液Ａ−２を得た。
分散液Ａ−２を１８重量部と２０％食塩水５０重量部を攪拌混合した後、分散液Ａ−１を３０重量部加えて乳化し、乳化液Ａ−３を得た。
得られた乳化液Ａ−３を窒素気流下で７０℃に加熱し、２０時間攪拌することで固形粒子Ａ−４を得た。得られた固形粒子Ａ−４に３５％塩酸１５重量部を加えて攪拌し、炭酸カルシウムを溶解させた後、吸引ろ過・水洗を５回繰り返し、透明粒子Ａ−５を得た。
得られた透明粒子Ａ−５を、メチルハイドロジェンシリコーンオイル（信越化学社製、ＫＦ−９９）に混合し、攪拌することにより疎水処理を行い、シリコーンオイル中で正に帯電する電気泳動粒子Ａを得た。この電気泳動粒子Ａの平均粒径は１μｍであった。
【０２１３】
＜電気泳動粒子Ｂの作製＞
エチレン−メタクリル酸の共重合体（ニュークレルＮ６９９；デユポン社製、エチレン／メタクリル酸の共重合比（モル比）＝８９／１１）を４０重量部と、マゼンタ顔料（カーミン６Ｂ；大日精化社製）を８重量部と、帯電制御剤（ＣＯＰＹ  ＣＨＡＲＧＥ  ＰＳＹ  ＶＰ２０３８；クラリアントジャパン製）を２重量部の混合物をステンレスビーカーに投入した後、オイルバスにて１２０℃に加熱しながら、１時間撹拌を続け、溶融した樹脂、顔料および帯電制御剤の均一な溶融体を調製した。得られた溶融物を撹拌をしながら徐々に室温まで冷却し、さらに、ノルパー１５（エクソン社製）を１００重量部添加した。
系の温度が低下してゆくにつれて顔料、帯電制御剤を包含した粒径１０〜２０μｍの母粒子が析出してきた。析出した母粒子１００ｇを０１型アトライターに投入し、直径０．８ｍｍのスチール鋼球を用いて粉砕した。粉砕は、遠心沈降式粒度分布測定器（ＳＡ−ＣＰ４Ｌ；島津製作所製）で体積平均粒子径をモニターしながら粒子径が２．５μｍになるまで粉砕を続けた。
得られた濃縮粒子２０部（粒子濃度１８重量％）を粒子分散液に対する粒子濃度が２重量％になるようにあらかじめ７５℃で加熱溶融させた１６０重量部のエイコサン（Ｃ２０Ｈ４２、融点３６．８℃）で希釈し十分に拡販を行った。
得られた粒子分散液を、吸引ろ過・水洗を５回繰り返し、マゼンタ色の電気泳動粒子粒子Ｂを得た。この電気泳動粒子Ｂの平均粒径は１μｍであり、シリコーンオイル中での帯電極性は正極性だった。
【０２１４】
＜電気泳動粒子Ｃの作製＞
−分散液Ａの調整−
・メタクリル酸シクロヘキシル：５３重量部
・マゼンタ顔料（カーミン６Ｂ；大日精化社製）３重量部
・帯電制御剤（ＣＯＰＹ  ＣＨＡＲＧＥ  ＰＳＹ  ＶＰ２０３８；クラリアントジャパン製）２重量部
以上の成分を混合したものを直径１０ｍｍのジルコニアボールを使用して、ボールミル粉砕を２０時間実施することにより、分散液Ａを調整した。
【０２１５】
−分散液Ｂの調整−
・炭酸カルシウム：４０重量部
・水：６０重量部
以上の成分を混合したものをボールミルにて微粉砕することにより、分散液Ｂを調整した。
【０２１６】
−混合液Ｃの調整−
・２重量％セロゲン水溶液：４．３ｇ
・分散液Ｂ：８．５ｇ
・２０重量％食塩水：５０ｇ
以上の成分を混合し、超音波機で脱気を１０分間行い、乳化機で攪拌することにより、混合液Ｃを調整した。
【０２１７】
−粒子の作製−
分散液Ａ３５ｇとジビニルベンゼン１ｇ、重合開始剤ＡＩＢＮ（２，２’−アゾビスイソブチロニトリル）：０．３５ｇを、充分混合し、超音波機で脱気を１０分行う。これを混合液Ｃの中にいれ、乳化機で乳化を実施する。
次に得られた乳化液をビンにいれ、シリコン詮をし、注射針を使用し、減圧脱気を充分行い、窒素ガスで封入する。次に６０℃で１０時間反応させ粒子を作製した。得られた微粒子粉をイオン交換水中に分散させ、１規定（１Ｎ）塩酸水で炭酸カルシウムを分解させ、ろ過を行った。その後充分な蒸留水で洗浄し、粒度を揃え、これを乾燥させた。
得られた電気泳動粒子Ｃはマゼンタ色であり体積平均粒径は、１μｍであった。また、シリコーンオイル中で正極性の帯電性を示した。
【０２１８】
＜電気泳動粒子保持粒子Ａの作製＞
メタクリル酸メチルモノマー８０重量部、酸化チタン（石原産業社製、タイペークＣＲ６３）１７重量部、中空粒子（ＪＳＲ社製、ＳＸ８６６（Ａ））３重量部、から構成される混合物を、１０ｍｍφのジルコニアボールを使用したボールミル粉砕を２０時間実施し、分散液Ｂ−１を得た。
炭酸カルシウム４０重量部、水６０重量部から構成される混合物に、分散液Ｂ−１と同様の操作を行い、分散液Ｂ−２を得た。
分散液Ｂ−２を８．５重量部と２０％食塩水５０重量部を攪拌混合し、混合液Ｂ−３を得た。
分散液Ｂ−１を３５重量部、ジメタクリル酸エチレングリコール１重量部、及び、アゾイソブチロニトリル０．３５重量部を混合した後、混合液Ｂ−３を加えて乳化し、乳化液Ｂ−４を得た。
得られた乳化液Ｂ−４を窒素気流下で６５℃に加熱し、１５時間攪拌することで固形粒子Ｂ−５を得た。
得られた固形粒子Ｂ−５に、３５％塩酸１５重量部を加えて攪拌し、炭酸カルシウムを溶解した後、吸引ろ過・水洗を５回繰り返して白色粒子Ｂ−６得た。得られた白色粒子Ｂ−６をふるいにより分級し、平均粒径が１３μｍでシリコーンオイル中で負に帯電する白色粒子（電気泳動粒子保持粒子Ａ）を得た。
【０２１９】
＜反射部材Ａの作製＞
電気泳動粒子保持粒子Ａを作製する際に得られた白色粒子Ｂ−６に対して、更に帯電制御のためシランカップリング剤γ-ＡＰＳ（信越化学社製、ＫＢＭ９０３）で表面処理を行った。その後、電気泳動粒子保持粒子Ａを作製する際と同様にしてふるいにより分級し、平均粒径が１３μｍでシリコーンオイル中で正に帯電する白色粒子を得た。
【０２２０】
（実施例１）
図８に示す構成を有する表示媒体を以下の手順で作製した。
まず、５０ｍｍ×５０ｍｍ、厚さ０．７ｍｍのガラスから構成される透明基板の片面に透明電極としてＩＴＯ膜をスパッタリング法により５０ｎｍの厚さで成膜した。
【０２２１】
一方、５０ｍｍ×５０ｍｍ、厚さ０．７ｍｍのアルミナセラミックスから構成される背面基板の片面に背面電極として膜厚５００ｎｍの銅をスパッタ法により形成した。続いて、背面基板の背面電極が設けられた側の面に、エポキシ樹脂（ＭｉｃｒｏＣｈｅｍ Ｃｏｒｐ.製ＳＵ−８）を塗布した後、露光及びウエットエッチングを行うことにより背面基板の外周に沿って高さ１００μｍ、幅２０μｍの隔壁を形成した。
【０２２２】
続いてこの隔壁の上部に熱融着性のエポキシ接着剤を塗布形成した後、背面基板上の隔壁により仕切られた部分に、電気泳動粒子保持粒子Ａを満遍なく充填するとともに、電気泳動粒子Ａをシリコーンオイル（信越化学社製、ＫＦ−９６）に分散させた分散液（固形分３体積％）を隔壁の高さまで満たした。
【０２２３】
最後に、透明基板の透明電極が設けられた面と、背面基板上に設けられた隔壁と、透明基板と透明基板と間隙に空気が混入しないように密着させて加熱しながら貼り合わせを行い表示媒体を作製した。
【０２２４】
このようにして作製した表示媒体を用いて、表示媒体の透明基板が設けられた側から表示媒体を観察し、中間調の表示の可否やメモリー性について確認した。
まず、組み立て直後の表示媒体の透明電極側がマイナスとなるように両電極に２０Ｖの電圧を、表示面の表示濃度が十分飽和するまで印加した。この時、表示面は濃い赤色が表示されていた。
続いて、透明電極側をプラスとして、両電極に０Ｖから徐々に電圧を上げつつ、各々の電圧値で十分な時間印加したところ、電圧が２０Ｖ以上の電圧で、表示面の表示濃度が濃い赤色から完全な白色（最低濃度）へと変化した。
【０２２５】
次に、表示面に濃い赤色（最大濃度）を表示させてから、表示面の表示濃度が変わり始めた最も小さい電圧値（５Ｖ）で１回だけ電界を印加し、この時の表示濃度および表示色の変化を確認した。この際、電界を印加する時間を徐々に短くしながら評価した。
その結果、印加時間が、０．５ｓ以下では、電界を印加し終えた後の表示面の表示濃度が濃い赤色から完全な白色（最低濃度）へと変化せず、薄い赤色を呈し、この状態が維持されることが確認された。このことから、この表示媒体は中間調の表示が可能であり、閾電圧（の絶対値）が５Ｖであり、電界の閾値（の絶対値）は、電極間の距離が１００μｍであるから、５００Ｖ／ｃｍであることがわかった。
【０２２６】
−メモリー性の評価−
次に、表示状態の維持性（メモリー性）を、最大濃度（濃い赤色）、最小濃度（完全な白色）、中間濃度（薄い赤色）の３水準で評価した。
メモリー性の評価は、電圧を印加して表示状態を最大濃度、最小濃度または中間濃度とした後に、電圧の印加を中止し、その時の表示面の反射率をＸ−Ｒｉｔｅ社製Ｘ−Ｒｉｔｅ４０４により求め、これを初期反射率とした。また、電圧の印加を中止してから１日間放置した後の表示面の反射率を同様に測定し、これを放置後反射率として、以下の基準で評価した。結果を表１に示す。
なお、中間濃度は、最大濃度を表示している状態から、透明電極側をプラスとして、閾電圧に相当する電圧を所定の時間（閾電圧で電界を印加した場合において表示状態が最大濃度から最小濃度へと変化するのに要する時間の半分の時間）だけ印加した後の表示状態とした。
【０２２７】
◎：｜１００×放置後反射率／初期反射率｜が、９８％以上１００％以下の範囲内。
○：｜１００×放置後反射率／初期反射率｜が、９５％以上９８％未満の範囲内。
△：｜１００×放置後反射率／初期反射率｜が、８５％以上９５％未満の範囲内。
×：｜１００×放置後反射率／初期反射率｜が、８５％未満。
【０２２８】
（実施例２）
実施例１において、電気泳動粒子Ａをシリコーンオイル（信越化学社製、ＫＦ−９６）に分散させた分散液の代わりに、電気泳動粒子Ｂをシリコーンオイル（信越化学社製、ＫＦ−９６）に分散させた分散液を用いた以外は、実施例１と同様にして表示媒体を作製した。
【０２２９】
続いて、実施例１と同様にして中間調の表示が可能かどうかを評価したところ、中間調の表示が可能であることが確認された。
なお、実施例２の表示媒体における閾電圧（の絶対値）が２００Ｖであり、電界の閾値（の絶対値）は、電極間の距離が１００μｍであるから、２０ｋＶ／ｃｍであることがわかった。また、閾電圧で電界を印加した場合において、表示状態が最大濃度から最小濃度へと変化するのに要した時間は０．２ｓであった。また、メモリー性を評価した結果を表１に示す。
【０２３０】
（実施例３）
実施例１において、電気泳動粒子Ａをシリコーンオイル（信越化学社製、ＫＦ−９６）に分散させた分散液の代わりに、電気泳動粒子Ｃをシリコーンオイル（信越化学社製、ＫＦ−９６）に分散させた分散液を用いた以外は、実施例１と同様にして表示媒体を作製した。
【０２３１】
続いて、実施例１と同様にして中間調の表示が可能かどうかを評価したところ、中間調の表示が可能であることが確認された。
なお、実施例２の表示媒体における閾電圧（の絶対値）が１Ｖであり、電界の閾値（の絶対値）は、電極間の距離が１００μｍであるから、１００Ｖ／ｃｍであることがわかった。また、閾電圧で電界を印加した場合において、表示状態が最大濃度から最小濃度へと変化するのに要した時間は１ｓであった。また、メモリー性を評価した結果を表１に示す。
【０２３２】
（参考例１）
実施例１において、電気泳動粒子保持粒子Ａの代わりに、反射部材Ａを用いた以外は、実施例１と同様にして表示媒体を作製した。
【０２３３】
続いて、実施例１と同様にして中間調の表示が可能かどうかを評価したところ、中間調の表示が行えないことが確認された。また、表示状態が最大濃度および最小濃度である場合について、実施例１と同様にしてメモリー性を評価した結果を表１に示す。
【０２３４】
【表１】
2008139803.tif 000007
【０２３５】
（実施例４）
＜電気泳動粒子Ｄの作製＞
電気泳動粒子Ｄとして、顔料ベースの粒子（色材の含有率８重量％、平均粒径０．３μｍ、マゼンタ色）を下記方法で作成した。
エチレン−メタクリル酸の共重合体（ニュークレルＮ６９９；デユポン社製、エチレン／メタクリル酸の共重合比（モル比）＝８９／１１）を４０重量部と、マゼンタ顔料（カーミン６Ｂ；大日精化社製）を８重量部と、帯電制御剤（ＣＯＰＹ  ＣＨＡＲＧＥ  ＰＳＹ  ＶＰ２０３８；クラリアントジャパン製）を２重量部の混合物をステンレスビーカーに投入した後、オイルバスにて１２０℃に加熱しながら、１時間撹拌を続け、溶融した樹脂、顔料および帯電制御剤の均一な溶融体を調製した。得られた溶融物を撹拌をしながら徐々に室温まで冷却し、さらに、ノルパー１５（エクソン社製）を１００重量部添加した。
系の温度が低下してゆくにつれて顔料、帯電制御剤を包含した粒径１０〜２０μｍの母粒子が析出してきた。析出した母粒子１００ｇを０１型アトライターに投入し、直径０．８ｍｍのスチール鋼球を用いて粉砕した。粉砕は、遠心沈降式粒度分布測定器（ＳＡ−ＣＰ４Ｌ；島津製作所製）で体積平均粒子径をモニターしながら粒子径が１．２μｍになるまで粉砕を続けた。
得られた濃縮粒子２０部（粒子濃度１８重量％）を粒子分散液に対する粒子濃度が２重量％になるようにあらかじめ７５℃で加熱溶融させた１６０重量部のエイコサン（Ｃ２０Ｈ４２、融点３６．８℃）で希釈し十分に拡販を行った。
得られた粒子分散液を、吸引ろ過・水洗を５回繰り返し、マゼンタ色の電気泳動粒子粒子Ｄを得た。この電気泳動粒子Ｄの平均粒径は０．３μｍであり、シリコーンオイル中での帯電極性は正極性だった。
【０２３６】
＜白色粒子の作製＞
白色粒子として、ポリマ粒子（  酸化チタン（注：酸化チタンが白色色材です。）の含有率４０〜７０％、主成分：ポリメチルメタクリレート、平均粒子径５μm）を下記方法で作製した。
メタクリル酸メチルモノマー８０重量部、酸化チタン（石原産業社製、タイペークＣＲ６３）１７重量部、中空粒子（ＪＳＲ社製、ＳＸ８６６（Ａ））３重量部、から構成される混合物を、１０ｍｍφのジルコニアボールを使用したボールミル粉砕を２０時間実施し、分散液Ｄ−１を得た。
炭酸カルシウム４０重量部、水６０重量部から構成される混合物に、分散液Ｄ−１と同様の操作を行い分散液Ｄ−２を得た。
分散液Ｄ−２を８．５重量部と２０％食塩水５０重量部を攪拌混合し、混合液Ｄ−３を得た。
分散液Ｄ−１を３５重量部、ジメタクリル酸エチレングリコール１重量部、及び、アゾイソブチロニトリル０．３５重量部を混合した後、混合液Ｄ−３を加えて乳化し、乳化液Ｄ−４を得た。
得られた乳化液Ｂ−４を窒素気流下で６５℃に加熱し、１５時間攪拌することで固形粒子Ｄ−５を得た。
得られた固形粒子Ｄ−５に、３５％塩酸１５重量部を加えて攪拌し、炭酸カルシウムを溶解した後、吸引ろ過・水洗を５回繰り返して白色粒子Ｄ−６得た。得られた白色粒子Ｂ−６をふるいにより分級し、平均粒径が５μｍでシリコーンオイル中で負に帯電する白色粒子（電気泳動粒子保持粒子Ｄ）を得た。
【０２３７】
＜電気泳動粒子保持体Ｄの調整＞
電気泳動粒子保持体Ｄとして、エレクトレット特性を持つ不織布であるトレミクロンＥＭ０２０（東レ：目付２０ｇ／ｍ２、厚さ１５０μｍ）を用意した。
【０２３８】
図９に示す構成を有する表示媒体を以下の手順で作製した。
まず、５０ｍｍ×５０ｍｍ、厚さ０．７ｍｍのガラスから構成される透明基板の片面に透明電極としてＩＴＯ膜をスパッタリング法により５０ｎｍの厚さで成膜した。
【０２３９】
一方、５０ｍｍ×５０ｍｍ、厚さ０．７ｍｍのアルミナセラミックスから構成される背面基板の片面に背面電極として膜厚５００ｎｍの銅をスパッタ法により形成した。続いて、背面基板の背面電極が設けられた側の面の１ｃｍ２の領域をポリイミドテープ（日東電工社製、商品名  Ｎｏ．３６０）で仕切ることによって、高さ  １２０μｍ、のギャップを形成した。
【０２４０】
続いてこのポリイミドテープの上部に熱融着性のエポキシ接着剤を塗布形成した後、背面基板上の隔壁により仕切られた領域に、上記電気泳動粒子保持体ＤとしてのトレミクロンＥＭ０２０を１ｃｍ２に切って配置した。
【０２４１】
この配置したトレミクロンＥＭ０２０（以下、ＥＭ０２０と称する）上に、上記作製した電気泳動粒子Ｄ及び白色粒子各々をシリコーンオイル（信越化学社製、ＫＦ−９６）に、各々含有率８重量％、含有率５重量％分散させた分散液６０μｌを滴下したところ、この分散液はＥＭ０２０上に均一に拡がった。
【０２４２】
最後に、透明基板の透明電極が設けられた面と、背面基板上に設けられた隔壁と、透明基板と透明基板と間隙に空気が混入しないように密着させた後に、周囲を紫外線硬化型の樹脂（スリーボンド社製、商品名  ３００３）で封止して、表示媒体を作製した。
【０２４３】
このようにして作製した表示媒体を用いて、表示媒体の透明基板が設けられた側から表示媒体を観察し、中間調の表示の可否やメモリー性について実施例１と同じようにして確認した。
まず、組み立て直後の表示媒体の透明電極側がプラスとなるように両電極に０Ｖから２０Ｖずつ電圧をあげつつ、各々の電圧値で１０秒間電圧を印加することで、各々の電圧値の電圧印加時に表示面の表示濃度が十分飽和するまで印加した。この時、各値の電圧を上記１０秒間印加した直後のＥＭ０２０に付着している白色粒子の状態を顕微鏡（キーエンス社製、商品名  ＶＨＸデジタルマイクロスコープ、倍率：５００倍）で確認したところ、１００Ｖ以下の電圧を印加した直後においては、白色粒子が表示媒体に設けられたＥＭ０２０の繊維表面に初期状態のまま付着していることが確認され、透明電極から２０μｍの範囲内の領域に付着している白色粒子は電圧印加によっても増加しなかった。そして、２００Ｖ以上の電圧を印加した直後においては、表示媒体内の白色粒子のほとんどがＥＭ０２０の透明電極から２０μｍの範囲内の領域に付着していることが確認された。これは、電圧印加による白色粒子を移動させる力が、白色粒子とＥＭ０２０を構成する繊維との間の相互作用の大きさを上回ったためだと考えられる。
【０２４４】
次に、透明電極側がマイナスとなるように、両電極に−３００Ｖの電圧を２０秒間印加することによって表示面に濃い赤色（最大濃度）を表示させてから、表示面の表示濃度が変わり始めた最も小さい電圧値（２５０Ｖ）で１回だけ電界を印加し、この時の表示濃度および表示色の変化を確認した。この際、電界を印加する時間を徐々に短くしながら評価した。
その結果、印加時間が、３ｓ以下では、電界を印加し終えた後の表示面の表示濃度が濃い赤色から完全な白色（最低濃度）へと変化せず、薄い赤色を呈し、この状態が維持されることが確認された。このことから、この表示媒体は中間調の表示が可能であり、マゼンタ色の粒子である電気泳動粒子Ｄの閾電圧（の絶対値）が２５０Ｖであり、電界の閾値（の絶対値）は、電極間の距離が１２０μｍであるから、２１ｋＶ／ｃｍであることがわかった。
【０２４５】
−メモリー性の評価−
続いて、実施例１と同様にして中間調の表示が可能かどうかを評価したところ、中間調の表示が可能であることが確認された。
なお、実施例４において、表示媒体内に充填されている電気泳動粒子Ｄの閾値電圧は、２５０Ｖであり、白色粒子の閾値電圧は、１８０Ｖであった。このため、電界の閾値（の絶対値）は、電極間の距離が１２０μｍであるから、各々２１ｋＶ／ｃｍ、１５ｋＶ／ｃｍであることがわかった。また、各々閾電圧で電界を印加した場合において、表示状態が最大濃度から最小濃度へと変化するのに要した時間は５ｓ、８ｓであった。
なお、電気泳動粒子Ｄ及び白色粒子各々の閾値電圧は、実施例４において作製した表示媒体において、電気泳動粒子Ｄを含み且つ白色粒子を含む構成、及び電気泳動粒子Ｄを含まず且つ白色粒子を含む構成、の各々の構成の表示媒体を作製して測定することで測定した。メモリー性を評価した結果を表２に示す。
【０２４６】
（実施例５）
＜電気泳動粒子Ｅの作製＞
電気泳動粒子Ｅとして、ポリマ粒子（色材の含有率２０％、平均粒径５μｍ、マゼンタ色）を下記方法で作成した。
メタクリル酸メチルモノマー８０重量部、マゼンタ顔料（カーミン６Ｂ；大日精化社製）５重量部、中空粒子（ＪＳＲ社製、ＳＸ８６６（Ａ））３重量部、から構成される混合物を、１０ｍｍφのジルコニアボールを使用したボールミル粉砕を２０時間実施し、分散液Ｅ−１を得た。
炭酸カルシウム４０重量部、水６０重量部から構成される混合物に、分散液Ｅ−１と同様の操作を行い分散液Ｅ−２を得た。
分散液Ｅ−２を８．５重量部と２０％食塩水５０重量部を攪拌混合し、混合液Ｅ−３を得た。
分散液Ｅ−１を３５重量部、ジメタクリル酸エチレングリコール１重量部、及び、アゾイソブチロニトリル０．３５重量部を混合した後、混合液Ｅ−３を加えて乳化し、乳化液Ｅ−４を得た。
得られた乳化液Ｅ−４を窒素気流下で６５℃に加熱し、１５時間攪拌することで固形粒子Ｅ−５を得た。
得られた固形粒子Ｅ−５に、３５％塩酸１５重量部を加えて攪拌し、炭酸カルシウムを溶解した後、吸引ろ過・水洗を５回繰り返して粒子Ｅ−６得た。得られた粒子Ｅ−６をふるいにより分級し、平均粒径が５μｍでシリコーンオイル中で負に帯電するマゼンタ色粒子（電気泳動粒子保持粒子Ｅ）を得た。
【０２４７】
＜電気泳動粒子Ｆの作製＞
電気泳動粒子Ｆとして、ポリマ粒子（色材の含有率２０％、平均粒径１３μｍ、シアン色）を下記方法で作成した。
メタクリル酸メチルモノマー８０重量部、シアン顔料（銅フタロシアニンブルー；大日精化社製）５重量部、中空粒子（ＪＳＲ社製、ＳＸ８６６（Ａ））３重量部、から構成される混合物を、１０ｍｍφのジルコニアボールを使用したボールミル粉砕を２０時間実施し、分散液Ｆ−１を得た。
炭酸カルシウム４０重量部、水６０重量部から構成される混合物に、分散液Ｆ−１と同様の操作を行い分散液Ｆ−２を得た。
分散液Ｆ−２を８．５重量部と２０％食塩水５０重量部を攪拌混合し、混合液Ｆ−３を得た。
分散液Ｆ−１を３５重量部、ジメタクリル酸エチレングリコール１重量部、及び、アゾイソブチロニトリル０．３５重量部を混合した後、混合液Ｆ−３を加えて乳化し、乳化液Ｆ−４を得た。
得られた乳化液Ｆ−４を窒素気流下で６５℃に加熱し、１５時間攪拌することで固形粒子Ｆ−５を得た。
得られた固形粒子Ｆ−５に、３５％塩酸１５重量部を加えて攪拌し、炭酸カルシウムを溶解した後、吸引ろ過・水洗を５回繰り返して粒子Ｆ−６得た。得られた粒子Ｆ−６をふるいにより分級し、平均粒径が１３μｍでシリコーンオイル中で負に帯電するシアン色粒子（電気泳動粒子保持粒子Ｆ）を得た。
【０２４８】
上記作製した電気泳動粒子Ｅ及び電気泳動粒子Ｆを電気泳動粒子として用いるとともに、上記実施例４で用いたトレミクロンＥＭ０２０を電気泳動粒子保持体として用いて、実施例４と同様にして表示媒体を作製した。
なお、電気泳動粒子Ｅ及び電気泳動粒子Ｆは、シリコーンオイル（信越化学社製、ＫＦ−９６）に、各々含有率５重量％、含有率５重量％分散させた分散液（とし、実施例４と同様にして６０μｌＥＭ０２０に滴下した。
【０２４９】
このようにして作製した表示媒体を用いて、実施例４と同様にして表示媒体の透明基板が設けられた側から表示媒体を観察し、中間調の表示の可否やメモリー性について確認した。
【０２５０】
まず、組み立て直後の表示媒体の透明電極側がプラスとなるように両電極に０Ｖから２０Ｖずつ電圧をあげつつ、各々の電圧値で２０秒間電圧を印加することで、各々の電圧値の電圧印加時に表示面の表示濃度が飽和するまで印加したところ、電気泳動粒子Ｅ及び電気泳動粒子Ｆ各々の表示面側（透明電極側）への移動が観察された。この時、各値の電圧を上記２０秒間印加した直後のＥＭ０２０に付着している電気泳動粒子Ｅ及び電気泳動粒子Ｆ各々の状態を顕微鏡（キーエンス社製、商品名  ＶＨＸデジタルマイクロスコープ、倍率：５００倍）で確認したところ、５０Ｖ〜１５０Ｖの電圧を印加した直後においては、電気泳動粒子Ｆ（平均粒径１３μｍ、シアン色）が表示媒体に設けられたＥＭ０２０の透明電極から２０μｍの範囲内の領域に付着している事が確認されるとともに、表示媒体の表示面はシアン色を呈した。
【０２５１】
さらに、２００Ｖ以上の電圧を印加した直後においては、電気泳動粒子Ｆと電気泳動粒子Ｅ（平均粒径５μｍ、マゼンタ色）のほとんどが表示媒体に設けられたＥＭ０２０の透明電極から２０μｍの範囲内の領域に付着していることが確認されるとともに、表示媒体の表示面は紫色を呈した。
【０２５２】
次に、透明電極側がマイナスとなるように、両電極に１００Ｖの電圧を２０秒間印加すると、電気泳動粒子Ｆが背面基板側に移動して表示面に濃い赤色（マゼンタ色）（最大濃度）が表示された。なお、電圧印加を停止しても、表示面の色には際だった変化はみられなかった。
【０２５３】
このことから、実施例５の表示媒体によって、電界の閾値の絶対値が異なる電気泳動粒子Ｆと電気泳動粒子Ｅとを含むことで、カラー表示が可能な表示媒体を提供できるといえる。この電界の閾値の絶対値の差は、電気泳動粒子ＦとＥＭ０２０を構成する繊維との間の静電的相互作用と、電気泳動粒子ＥとＥＭ０２０を構成する繊維との間の静電的相互作用と、の差に由来すると考えられる。平均粒子径が１３μｍの電気泳動粒子Ｆは、平均粒子径が５μｍの電気泳動粒子Ｅに比べて帯電量の絶対値が大きいが、ＥＭ０２０を構成する繊維との平均距離が大きいため電気泳動粒子Ｅに比べてＥＭ０２０に保持される力は小さいが、基板間に電界が形成されることにより移動する力は帯電量に比例して大きくなるために電界の閾値の絶対値が電気泳動粒子Ｅに比べて小さくなると考えられる。
【０２５４】
次に、この表示面に最大濃度としての濃い赤色（マゼンタ色）を表示させた後に、透明電極側がマイナスとなるように両電極に電圧を印加するとともに除々に電圧を上げていって、表示面の表示濃度が変わり始めた最も小さい電圧値（１８０Ｖ）で１回だけ電界を印加し、この時の表示濃度および表示色の変化を確認した。この際、電界を印加する時間を徐々に短くしながら評価した。
その結果、印加時間が、５ｓ以下では、電界を印加し終えた後の表示面の表示濃度が濃い赤色から完全な白色（最低濃度）へと変化せず、薄い赤色を呈し、この状態が維持されることが確認された。このことから、この表示媒体は中間調の表示が可能であり、マゼンタ色の粒子である電気泳動粒子Ｅの閾電圧（の絶対値）が１８０Ｖであり、電界の閾値（の絶対値）は、電極間の距離が１２０μｍであるから、１５ｋＶ／ｃｍであることがわかった。また、シアン色の電気泳動粒子Ｆの閾電圧（の絶対値）が８０Ｖであり、電界の閾値（の絶対値）は、電極間の距離が１２０μｍであるから、７ｋＶ／ｃｍであることがわかった。
【０２５５】
−メモリー性の評価−
続いて、実施例１と同様にして中間調の表示が可能かどうかを評価したところ、中間調の表示が可能であることが確認された。
なお、実施例５において、表示媒体内に充填されている電気泳動粒子Ｅ（マゼンタ色）及び電気泳動粒子Ｆ（シアン色）の内の、マゼンタ色の電気泳動粒子Ｅのみが表示面側に存在する状態を最大濃度とし、背面基板側に全て移動したときを最低濃度としてメモリー性の評価を行った。メモリー性を評価した結果を表２に示す。
【０２５６】
（実施例６）
電気泳動粒子として、実施例５で作製した電気泳動粒子Ｅ及び電気泳動粒子Ｆを用い、上記実施例５で用いたトレミクロンＥＭ０２０に換えて、エルタスアクアＰＡ３０２３（旭化成せんい社製、目付２３ｇ／ｍ２、厚み２００μｍ）を用いて、実施例５と同様にして表示媒体を作製した。
なお、表示媒体の隔壁の高さは、エルタスアクアＰＡ３０２３の厚みにあわせて２００μｍとした。
【０２５７】
このようにして作製した表示媒体を用いて、実施例６と同様にして表示媒体の透明基板が設けられた側から表示媒体を観察し、中間調の表示の可否やメモリー性について確認した。
【０２５８】
まず、組み立て直後の表示媒体の透明電極側がプラスとなるように両電極に０Ｖから１０Ｖずつ電圧をあげつつ、各々の電圧値で１０秒間電圧を印加することで、各々の電圧値の電圧印加時に表示面の表示濃度が十分飽和するまで印加したところ、電気泳動粒子Ｅ及び電気泳動粒子Ｆ各々の表示面側（透明電極側）への移動が観察された。この時、各値の電圧を上記１０秒間印加した直後のＥＭ０２０に付着している電気泳動粒子Ｅ及び電気泳動粒子Ｆ各々の状態を顕微鏡（キーエンス社製、商品名  ＶＨＸデジタルマイクロスコープ、倍率：５００倍）で確認したところ、１０Ｖ〜５０Ｖの電圧を印加した直後においては、電気泳動粒子Ｅ（平均粒径５μｍ、マゼンタ色）が表示媒体に設けられたＥＭ０２０の透明電極から２０μｍの範囲内の領域に付着している事が確認されるとともに、表示媒体の表示面はマゼンタ色を呈した。
【０２５９】
さらに、１００Ｖ以上の電圧を印加した直後においては、電気泳動粒子Ｅと電気泳動粒子Ｆ（平均粒径１３μｍ、シアン色）のほとんどが表示媒体に設けられたＥＭ０２０の透明電極から２０μｍの範囲内の領域に付着していることが確認されるとともに、表示媒体の表示面は紫色を呈した。
このように、実施例４とは逆に、除々に印加電圧を上昇させたところ、電気泳動粒子Ｅ及び電気泳動粒子Ｆの内の電気泳動粒子Ｅが先に表示面側に移動することが観察された。なお、上記各電圧１０Ｖ〜５０Ｖの電圧印加時間を上記より長く（３０秒）にしたところ、電気泳動粒子Ｅ及び電気泳動粒子Ｆの双方が表示面側に移動した。
【０２６０】
これは、電気泳動粒子の電気泳動が、電気泳動粒子保持体を構成する繊維間の距離と、電気泳動粒子保持体に保持される電気泳動粒子の粒子径とに由来していることを示している。すなわち、電気泳動粒子保持体としてのエルタスアクアＰＡ３０２３を構成する繊維間距離に対する、電気泳動粒子Ｅ（平均粒子径５μｍ）の平均粒子径は、電気泳動粒子Ｆ（平均粒子径１３μｍ）の平均粒子径に比べて小さいために電気泳動粒子保持体内において充分に泳動することができるが、電気泳動粒子Ｆは電気泳動粒子保持体内における電気泳動が電気泳動粒子Ｅに比べて抑制されるためと考えられる。
この実施例６の場合に用いた電気泳動粒子保持体としてのエルタスアクアＰＡ３０２３の帯電量は小さく電気泳動粒子の電気泳動に影響を与えるほどの大きさではないため、実施例６の場合には、電気泳動粒子保持体（エルタスアクアＰＡ３０２３）の帯電量が電気泳動粒子の電気泳動に与える影響は小さいと考えられる。
【０２６１】
なお、実施例６における電気泳動粒子保持体（エルタスアクアＰＡ３０２３）への電気泳動粒子Ｅ及び電気泳動粒子Ｆの付着状態は、実施例５における電気泳動粒子保持体（トレミクロンＥＭ０２０）に比べて小さく、比較的自由に繊維間を電気泳動する様子が観察された。また、実施例６において電圧印加後に表示面に提示された色の維持性は、実施例５に比べて劣っていた。
【０２６２】
次に、透明電極側がプラスとなるように、両電極に５０Ｖの電圧を１０秒間印加して、電気泳動粒子Ｆ及び電気泳動粒子Ｅの内の、マゼンタ色の電気泳動粒子Ｅのみを表示基板側に移動させて表示面に濃い赤色（マゼンタ色）（最大濃度）を表示させた。なお、電圧印加を停止しても、表示面の色には際だった変化はみられなかった。
【０２６３】
次に、透明電極側がマイナスとなるように両電極に電圧を印加するとともに除々に電圧を上げていって、表示面の表示濃度が変わり始めた最も小さい電圧値（３５Ｖ）で１回だけ電界を印加し、この時の表示濃度および表示色の変化を確認した。この際、電界を印加する時間を徐々に短くしながら評価した。
その結果、印加時間が、７ｓ以下では、電界を印加し終えた後の表示面の表示濃度が濃い赤色から完全な白色（最低濃度）へと変化せず、薄い赤色を呈し、この状態が維持されることが確認された。このことから、この表示媒体は中間調の表示が可能であり、マゼンタ色の粒子である電気泳動粒子Ｅの閾電圧（の絶対値）が３５Ｖであり、電界の閾値（の絶対値）は、電極間の距離が２００μｍであるから、１７００Ｖ／ｃｍであることがわかった。また、シアン色の電気泳動粒子Ｆの閾電圧（の絶対値）が５０Ｖであり、電界の閾値（の絶対値）は、電極間の距離が２００μｍであるから、２５００Ｖ／ｃｍであることがわかった。
【０２６４】
−メモリー性の評価−
続いて、実施例１と同様にして中間調の表示が可能かどうかを評価したところ、中間調の表示が可能であることが確認された。
なお、実施例６において、表示媒体内に充填されている電気泳動粒子Ｅ（マゼンタ色）及び電気泳動粒子Ｆ（シアン色）の内の、マゼンタ色の電気泳動粒子Ｅのみが表示面側に存在する状態を最大濃度とし、背面基板側に全て移動したときを最低濃度としてメモリー性の評価を行った。メモリー性を評価した結果を表２に示す。
【０２６５】
（実施例７）
＜電気泳動粒子保持体の調整＞
エルタスアクアＰＡ３０２３を、板面温度が１８０℃のホットプレート（アズワン社製、商品名  ＨＩ−１０００）上に３秒間置いた後に、ホットプレートから剥がして自然冷却した。
【０２６６】
このような熱処理を行ったエルタスアクアＰＡ３０２３（以下、ＰＡ３０２３と称する）の表面を顕微鏡（キーエンス社製、商品名  ＶＨＸデジタルマイクロスコープ、倍率２５０倍）により確認したところ、ＰＡ３０２３の表面付近の繊維がわずかに溶解し、繊維が絡まり繊維間隔が熱処理していない領域に比べて密になっていることが確認された。
【０２６７】
この熱処理を行ったＰＡ３０２３を電気泳動粒子保持体として用いると共に、実施例５で作製した電気泳動粒子Ｅ及び電気泳動粒子Ｆを電気泳動粒子として用い、実施例６と同じ方法を用いて表示媒体を作製した。
なお、表示媒体の作製においては、熱処理を行ったＰＡ３０２３の熱処理を行った側の面が表示面側の電極（透明電極）に接するように、ＰＡ３０２３を配置することにより、図２１に示す表示媒体を作製した。
【０２６８】
続いて、実施例６と同様にして中間調の表示が可能かどうかを評価したところ、中間調の表示が可能であることが確認された。
なお、実施例７の表示媒体において、マゼンタ色の粒子である電気泳動粒子Ｅの閾電圧（の絶対値）が４５Ｖであり、電界の閾値（の絶対値）は、電極間の距離が２００μｍであるから、２２００Ｖ／ｃｍであることがわかった。また、シアン色の電気泳動粒子Ｆの閾電圧（の絶対値）が６０Ｖであり、電界の閾値（の絶対値）は、電極間の距離が２００μｍであるから、３０００Ｖ／ｃｍであることがわかった。また、閾値電圧で電界を印加した場合において、表示状態が最大濃度から最小濃度へと変化するのに要した時間は、１２秒であった。メモリー性を評価した評価結果を表２に示した。
【０２６９】
【表２】
2008139803.tif 000008
【図面の簡単な説明】
【０２７０】
【図１】本実施の形態の表示方法の表示原理を説明するための概略模式図である。
【図２】本実施の形態の表示方法の表示原理を説明するための概略模式図である。
【図３】本実施の形態の表示方法の表示原理を説明するための概略模式図である。
【図４】本実施の形態の表示方法の表示原理を説明するための概略模式図である。
【図５】本実施の形態の表示方法の表示原理を説明するための概略模式図である。
【図６】本実施の形態の表示方法の表示原理を説明するための概略模式図である。
【図７】本実施の形態の表示方法の表示原理を説明するための概略模式図である。
【図８】本実施の形態の表示媒体の一例を示す概略模式図である。
【図９】本実施の形態の表示媒体の他の例を示す概略模式図である。
【図１０】の表示媒体の他の例を示す概略模式図である。
【図１１】図１０に示す表示媒体に用いられる３種類の電気泳動粒子の閾電圧と表示濃度との関係について説明するグラフである。
【図１２】図１０に示す表示媒体における表示状態の一例を示す概略模式図である。
【図１３】図１０に示す表示媒体における表示状態の他の例を示す概略模式図である。
【図１４】図１０に示す表示媒体における表示状態の他の例を示す概略模式図である。
【図１５】図１０に示す表示媒体における表示状態の他の例を示す概略模式図である。
【図１６】図１０に示す表示媒体における表示状態の他の例を示す概略模式図である。
【図１７】図１０に示す表示媒体における表示状態の他の例を示す概略模式図である。
【図１８】図１０に示す表示媒体における表示状態の他の例を示す概略模式図である。
【図１９】図１０に示す表示媒体における表示状態の他の例を示す概略模式図である。
【図２０】図１０に示す表示媒体における表示状態の他の例を示す概略模式図である。
【図２１】図９に示す表示媒体における他の例を示す概略模式図である。
【図２２】図９に示す表示媒体における他の例を示す概略模式図である。
【符号の説明】
【０２７１】
１０   電気泳動粒子
２０   電気泳動粒子保持体
３０   調光層
３２   調光層３０の一方の側
３４   調光層３０の他方の側
４０   透明基板
４２   基板
５０   透明電極
５２   電極
６０   電界印加手段
１００、１１０、１２０表示媒体
２００ 透明基板
２０２ 表示面
２０４ 背面基板
２０６ 隔壁
２１０ 透明電極
２２０ 背面電極
３００、３００Ｃ、３００Ｍ、３００Ｙ  電気泳動粒子
３０２ 分散媒
４００ 電気泳動粒子保持粒子
４１０ 電気泳動粒子保持体
５００ 電界印加手段
【図１】
2008139803.tif 000011
【図２】
2008139803.tif 000012
【図３】
2008139803.tif 000013
【図４】
2008139803.tif 000014
【図５】
2008139803.tif 000015
【図６】
2008139803.tif 000016
【図７】
2008139803.tif 000017
【図８】
2008139803.tif 000018
【図９】
2008139803.tif 000019
【図１０】
2008139803.tif 000020
【図１１】
2008139803.tif 000021
【図１２】
2008139803.tif 000022
【図１３】
2008139803.tif 000023
【図１４】
2008139803.tif 000024
【図１５】
2008139803.tif 000025
【図１６】
2008139803.tif 000026
【図１７】
2008139803.tif 000027
【図１８】
2008139803.tif 000028
【図１９】
2008139803.tif 000029
【図２０】
2008139803.tif 000030
【図２１】
2008139803.tif 000031
【図２２】
2008139803.tif 000032
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
少なくとも一方が透光性を有する一対の基板と、
該一対の基板の間隙に封入された分散媒と、
該分散媒に含まれ、１種類以上のまたは互いに色の異なる２種類以上の電気泳動粒子と、前記一対の基板間に配置され、前記電気泳動粒子を保持する機能を有する保持体と、を少なくとも備え、前記保持体は、外部電圧により、前記保持体上の前記電気泳動粒子の移動量が制御される機能を有することを特徴とする表示媒体。
【請求項２】
前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項１に記載の表示媒体。
【請求項３】
前記電気泳動粒子は、正負何れかの極性に帯電し、前記保持体の少なくとも一部は、全種類の前記電気泳動粒子と逆の極性に帯電していることを特徴とする請求項１に記載の表示媒体。
【請求項４】
前記保持体が、２以上の粒子状の部材を含んで構成されることを特徴とする請求項１に記載の表示媒体。
【請求項５】
前記保持体が、前記全種類の電気泳動粒子とは異なる色であることを特徴とする請求項１に記載の表示媒体。
【請求項６】
前記保持体が、繊維の集合体を含んで構成されることを特徴とする請求項１に記載の表示媒体。
【請求項７】
前記保持体が、不織布を含んで構成されることを特徴とする請求項１に記載の表示媒体。
【請求項８】
前記保持体の前記電気泳動粒子を保持する機能が、前記一対の基板の向かい合う方向において連続的または段階的に異なることを特徴とする請求項１に記載の表示媒体。
【請求項９】
前記保持体の前記電気泳動粒子を保持する機能が、前記一対の基板の向かい合う方向において該一対の基板の少なくとも一方から離れるほど連続的または段階的に小さいことを特徴とする請求項１に記載の表示媒体。
【請求項１０】
前記保持体が、前記電気泳動粒子の通過する空隙を有する多孔質体を含んで構成されることを特徴とする請求項１に記載の表示媒体。
【請求項１１】
前記保持体が、白色であることを特徴とする請求項１に記載の表示媒体。
【請求項１２】
前記電気泳動粒子が、色及び前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１に記載の表示媒体。
【請求項１３】
前記電気泳動粒子が、種類間で互いに体積平均一次粒径の異なる２種類以上の電気泳動粒子を含んで構成されることを特徴とする請求項１に記載の表示媒体。
【請求項１４】
前記電気泳動粒子が、前記分散媒に分散した状態で互いに異なる色に発色すると共に、前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１に記載の表示媒体。
【請求項１５】
少なくとも一方が透光性を有する一対の基板と、
該一対の基板の間隙に封入された分散媒と、
該分散媒に含まれ、１種類以上のまたは互いに色の異なる２種類以上の電気泳動粒子と、
前記一対の基板間に配置され、前記電気泳動粒子を保持する機能を有する保持体を含む調光層と、
前記一対の基板の一方の基板側と他方の基板側とに配置された一対の電極と、
該一対の電極に接続され、前記分散媒に対して電界を印加する電界印加手段と、
を少なくとも備え、
前記電圧印加手段により前記保持体上の前記電気泳動粒子の移動量が制御されることを特徴とする表示装置。
【請求項１６】
前記保持体に保持された状態の前記電気泳動粒子が、前記保持体から離脱して前記分散媒中を移動する電界の閾値の絶対値が１００Ｖ／ｃｍ〜３０ｋＶ／ｃｍの範囲内であり、
前記電界印加手段が、
電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間とを１周期とする波形で構成され、且つ、
少なくともいずれか１つの周期における第一の区間内の波形が下式（１）を満たす電圧波形を有する電界を、前記分散媒に対して印加することを特徴とする請求項１５に記載の表示装置。
・式（１）  Ｅｐ＜Ｅｍａｘ
〔式（１）において、Ｅｐは、下式（２）で示される値を表し、Ｅｍａｘは、電圧の絶対値が閾電圧の絶対値以上である電圧で前記調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【数１】
2008139803.tif 000033
〔式（２）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【請求項１７】
前記電気泳動粒子は、正負何れかの極性に帯電し、前記保持体の少なくとも一部は、全種類の前記電気泳動粒子と逆の極性に帯電していることを特徴とする請求項１５に記載の表示装置。
【請求項１８】
前記保持体が、２以上の粒子状の部材を含んで構成されることを特徴とする請求項１５に記載の表示装置。
【請求項１９】
前記保持体が、前記全種類の電気泳動粒子とは異なる色であることを特徴とする請求項１５に記載の表示装置。
【請求項２０】
前記保持体が、繊維の集合体を含んで構成されることを特徴とする請求項１５に記載の表示装置。
【請求項２１】
前記保持体が、不織布を含んで構成されることを特徴とする請求項１５に記載の表示装置。
【請求項２２】
前記保持体の前記電気泳動粒子を保持する機能が、前記一対の基板の向かい合う方向において連続的または段階的に異なることを特徴とする請求項１５に記載の表示装置。
【請求項２３】
前記保持体の前記電気泳動粒子を保持する機能が、前記一対の基板の向かい合う方向において該一対の基板の少なくとも一方から離れるほど連続的または段階的に小さいことを特徴とする請求項１５に記載の表示装置。
【請求項２４】
前記保持体が、前記電気泳動粒子の通過する空隙を有する多孔質体を含んで構成されることを特徴とする請求項１５に記載の表示装置。
【請求項２５】
前記保持体が、白色であることを特徴とする請求項１５に記載の表示装置。
【請求項２６】
前記電気泳動粒子が、色及び前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１５に記載の表示装置。
【請求項２７】
前記電気泳動粒子が、種類間で互いに体積平均一次粒径の異なる２種類以上の電気泳動粒子を含んで構成されることを特徴とする請求項１５に記載の表示装置。
【請求項２８】
前記電気泳動粒子が、前記分散媒に分散した状態で互いに異なる色に発色すると共に、前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１５に記載の表示装置。
【請求項２９】
分散媒と、該分散媒に含まれ、１種類以上のまたは互いに色の異なる２種類以上の電気泳動粒子と、前記電気泳動粒子を保持する機能を有する保持体と、を含む調光層に対して、
電位勾配が形成され、且つ、前記電気泳動粒子を、前記保持体を介して移動させる電界を印加することにより、
前記調光層の一方の側に前記電気泳動粒子を偏在させて、前記調光層の一方の側における前記電気泳動粒子に起因する色濃度が、最大濃度となるように表示を行う第１の表示工程と、
前記調光層の他方の側に前記電気泳動粒子を偏在させて、前記調光層の一方の側における前記電気泳動粒子に起因する色濃度が、最小濃度で表示を行う第２の表示工程と、
前記調光層の前記一方の側と前記他方の側との間に前記電気泳動粒子を偏在させて、前記調光層の一方の側における前記電気泳動粒子に起因する色濃度が、前記最大濃度よりも小さく且つ前記最小濃度よりも大きい濃度で表示を行う第３の表示工程と、
を任意の順で実施して表示の切り替えを行うことを特徴とする表示方法。
【請求項３０】
前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項２９に記載の表示方法。
【請求項３１】
前記保持体に保持された状態の電気泳動粒子が、前記保持体から離脱して前記分散媒中を移動する電界の閾値を有し、
前記調光層に対して印加される電界の電圧波形が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間と、を１周期とする波形で構成され、且つ、少なくともいずれか１つの周期における第一の区間内の波形が下式（３）を満たすことを特徴とする請求項２９に記載の表示方法。
・式（３）  Ｅｐ＜Ｅｍａｘ
〔式（３）において、Ｅｐは、下式（４）で示される値を表し、Ｅｍａｘは、電圧の絶対値が閾電圧の絶対値以上である電圧で調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【数２】
2008139803.tif 000034
〔式（４）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【手続補正２】
【補正対象書類名】明細書
【補正対象項目名】００１６
【補正方法】変更
【補正の内容】
【００１６】
請求項１２に係る発明は、前記電気泳動粒子が、色及び前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１に記載の表示媒体である。
【手続補正３】
【補正対象書類名】明細書
【補正対象項目名】００１８
【補正方法】変更
【補正の内容】
【００１８】
請求項１４に係る発明は、前記電気泳動粒子が、前記分散媒に分散した状態で互いに異なる色に発色すると共に、前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１に記載の表示媒体である。
【手続補正４】
【補正対象書類名】明細書
【補正対象項目名】００３３
【補正方法】変更
【補正の内容】
【００３３】
請求項２６に係る発明は、前記電気泳動粒子が、色及び前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１５に記載の表示装置である。
【手続補正５】
【補正対象書類名】明細書
【補正対象項目名】００３５
【補正方法】変更
【補正の内容】
【００３５】
請求項２８に係る発明は、前記電気泳動粒子が、前記分散媒に分散した状態で互いに異なる色に発色すると共に、前記保持体に保持された状態の電気泳動粒子が前記保持体から離脱して前記分散媒中を移動する電界の閾値の絶対値が互いに異なる２種類以上の電気泳動粒子を含んで構成されることを特徴とする請求項１５に記載の表示装置である。
【手続補正６】
【補正対象書類名】明細書
【補正対象項目名】０１０２
【補正方法】変更
【補正の内容】
【０１０２】
式（８）を満たすことにより、１画素単位においても、ｎ＋１段階の階調表示が可能となる。ここで言う、２階調という意味は、最小濃度と最大濃度の２つの表示濃度（例えば白状態と黒状態）があることを表し、4階調であれば、最大濃度と最小濃度の間に２つの異なる中間濃度の状態があることを示している。
ここで、「中間濃度」とは、基本的に反射（光学）濃度のことを指し（測定は、上記と同様にX-rite社のX-rite404で行う）、上記説明した最大濃度と最小濃度の間に、等間隔に近い間隔で複数の濃度状態がある状態を指している。
【手続補正７】
【補正対象書類名】明細書
【補正対象項目名】０２２４
【補正方法】変更
【補正の内容】
【０２２４】
このようにして作製した表示媒体を用いて、表示媒体の透明基板が設けられた側から表示媒体を観察し、中間調の表示の可否やメモリー性について確認した。
まず、組み立て直後の表示媒体の透明電極側がマイナスとなるように両電極に２０Ｖの電圧を、表示面の表示濃度が十分飽和するまで印加した。この時、表示面は濃い赤色が表示されていた。
続いて、透明電極側をプラスとして、両電極に０Ｖから徐々に電圧を上げつつ、各々の電圧値で十分な時間印加したところ、電圧が２０Ｖ以上の電圧で、表示面の表示濃度が濃い赤色から完全な白色（最小濃度）へと変化した。
【手続補正８】
【補正対象書類名】明細書
【補正対象項目名】０２２５
【補正方法】変更
【補正の内容】
【０２２５】
次に、表示面に濃い赤色（最大濃度）を表示させてから、表示面の表示濃度が変わり始めた最も小さい電圧値（５Ｖ）で１回だけ電界を印加し、この時の表示濃度および表示色の変化を確認した。この際、電界を印加する時間を徐々に短くしながら評価した。
その結果、印加時間が、０．５ｓ以下では、電界を印加し終えた後の表示面の表示濃度が濃い赤色から完全な白色（最小濃度）へと変化せず、薄い赤色を呈し、この状態が維持されることが確認された。このことから、この表示媒体は中間調の表示が可能であり、閾電圧（の絶対値）が５Ｖであり、電界の閾値（の絶対値）は、電極間の距離が１００μｍであるから、５００Ｖ／ｃｍであることがわかった。
【手続補正９】
【補正対象書類名】明細書
【補正対象項目名】０２４４
【補正方法】変更
【補正の内容】
【０２４４】
次に、透明電極側がマイナスとなるように、両電極に−３００Ｖの電圧を２０秒間印加することによって表示面に濃い赤色（最大濃度）を表示させてから、表示面の表示濃度が変わり始めた最も小さい電圧値（２５０Ｖ）で１回だけ電界を印加し、この時の表示濃度および表示色の変化を確認した。この際、電界を印加する時間を徐々に短くしながら評価した。
その結果、印加時間が、３ｓ以下では、電界を印加し終えた後の表示面の表示濃度が濃い赤色から完全な白色（最小濃度）へと変化せず、薄い赤色を呈し、この状態が維持されることが確認された。このことから、この表示媒体は中間調の表示が可能であり、マゼンタ色の粒子である電気泳動粒子Ｄの閾電圧（の絶対値）が２５０Ｖであり、電界の閾値（の絶対値）は、電極間の距離が１２０μｍであるから、２１ｋＶ／ｃｍであることがわかった。
【手続補正１０】
【補正対象書類名】明細書
【補正対象項目名】０２５４
【補正方法】変更
【補正の内容】
【０２５４】
次に、この表示面に最大濃度としての濃い赤色（マゼンタ色）を表示させた後に、透明電極側がマイナスとなるように両電極に電圧を印加するとともに除々に電圧を上げていって、表示面の表示濃度が変わり始めた最も小さい電圧値（１８０Ｖ）で１回だけ電界を印加し、この時の表示濃度および表示色の変化を確認した。この際、電界を印加する時間を徐々に短くしながら評価した。
その結果、印加時間が、５ｓ以下では、電界を印加し終えた後の表示面の表示濃度が濃い赤色から完全な白色（最小濃度）へと変化せず、薄い赤色を呈し、この状態が維持されることが確認された。このことから、この表示媒体は中間調の表示が可能であり、マゼンタ色の粒子である電気泳動粒子Ｅの閾電圧（の絶対値）が１８０Ｖであり、電界の閾値（の絶対値）は、電極間の距離が１２０μｍであるから、１５ｋＶ／ｃｍであることがわかった。また、シアン色の電気泳動粒子Ｆの閾電圧（の絶対値）が８０Ｖであり、電界の閾値（の絶対値）は、電極間の距離が１２０μｍであるから、７ｋＶ／ｃｍであることがわかった。
【手続補正１１】
【補正対象書類名】明細書
【補正対象項目名】０２５５
【補正方法】変更
【補正の内容】
【０２５５】
−メモリー性の評価−
続いて、実施例１と同様にして中間調の表示が可能かどうかを評価したところ、中間調の表示が可能であることが確認された。
なお、実施例５において、表示媒体内に充填されている電気泳動粒子Ｅ（マゼンタ色）及び電気泳動粒子Ｆ（シアン色）の内の、マゼンタ色の電気泳動粒子Ｅのみが表示面側に存在する状態を最大濃度とし、背面基板側に全て移動したときを最小濃度としてメモリー性の評価を行った。メモリー性を評価した結果を表２に示す。
【手続補正１２】
【補正対象書類名】明細書
【補正対象項目名】０２６３
【補正方法】変更
【補正の内容】
【０２６３】
次に、透明電極側がマイナスとなるように両電極に電圧を印加するとともに除々に電圧を上げていって、表示面の表示濃度が変わり始めた最も小さい電圧値（３５Ｖ）で１回だけ電界を印加し、この時の表示濃度および表示色の変化を確認した。この際、電界を印加する時間を徐々に短くしながら評価した。
その結果、印加時間が、７ｓ以下では、電界を印加し終えた後の表示面の表示濃度が濃い赤色から完全な白色（最小濃度）へと変化せず、薄い赤色を呈し、この状態が維持されることが確認された。このことから、この表示媒体は中間調の表示が可能であり、マゼンタ色の粒子である電気泳動粒子Ｅの閾電圧（の絶対値）が３５Ｖであり、電界の閾値（の絶対値）は、電極間の距離が２００μｍであるから、１７００Ｖ／ｃｍであることがわかった。また、シアン色の電気泳動粒子Ｆの閾電圧（の絶対値）が５０Ｖであり、電界の閾値（の絶対値）は、電極間の距離が２００μｍであるから、２５００Ｖ／ｃｍであることがわかった。
【手続補正１３】
【補正対象書類名】明細書
【補正対象項目名】０２６４
【補正方法】変更
【補正の内容】
【０２６４】
−メモリー性の評価−
続いて、実施例１と同様にして中間調の表示が可能かどうかを評価したところ、中間調の表示が可能であることが確認された。
なお、実施例６において、表示媒体内に充填されている電気泳動粒子Ｅ（マゼンタ色）及び電気泳動粒子Ｆ（シアン色）の内の、マゼンタ色の電気泳動粒子Ｅのみが表示面側に存在する状態を最大濃度とし、背面基板側に全て移動したときを最小濃度としてメモリー性の評価を行った。メモリー性を評価した結果を表２に示す。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
少なくとも一方が透光性を有する一対の基板と、
該一対の基板の間隙に封入された分散媒と、
該分散媒に含まれ、正負何れかの極性に帯電し、１種類以上のまたは互いに色の異なる２種類以上の電気泳動粒子と、
前記一対の基板間に配置され、少なくとも一部が全種類の前記電気泳動粒子と逆の極性に帯電され、前記電気泳動粒子を保持する機能を有する保持体と、
を少なくとも備え、
前記電気泳動粒子は、外部電圧により少なくとも前記保持体表面における任意の領域に保持された状態から該保持体表面における他の領域へと移動することを特徴とする表示媒体。
【請求項２】
前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項１に記載の表示媒体。
【請求項３】
前記保持体が、２以上の粒子状の部材を含んで構成されることを特徴とする請求項１に記載の表示媒体。
【請求項４】
前記保持体が、前記全種類の電気泳動粒子とは異なる色であることを特徴とする請求項１に記載の表示媒体。
【請求項５】
前記保持体が、繊維の集合体を含んで構成されることを特徴とする請求項１に記載の表示媒体。
【請求項６】
前記保持体の前記電気泳動粒子を保持する機能が、前記一対の基板の向かい合う方向において連続的または段階的に異なることを特徴とする請求項１に記載の表示媒体。
【請求項７】
前記保持体の前記電気泳動粒子を保持する機能が、前記一対の基板の向かい合う方向において該一対の基板の少なくとも一方から離れるほど連続的または段階的に小さいことを特徴とする請求項１に記載の表示媒体。
【請求項８】
前記保持体が、前記電気泳動粒子の通過する空隙を有する多孔質体を含んで構成されることを特徴とする請求項１に記載の表示媒体。
【請求項９】
前記保持体が、白色であることを特徴とする請求項１に記載の表示媒体。
【請求項１０】
前記電気泳動粒子が、色及び前記保持体から離脱して前記分散媒中を移動する電界の閾値の絶対値が互いに異なる２種類以上の電気泳動粒子を含んで構成されることを特徴とする請求項１に記載の表示媒体。
【請求項１１】
前記電気泳動粒子が、種類間で互いに体積平均一次粒径の異なる２種類以上の電気泳動粒子を含んで構成されることを特徴とする請求項１に記載の表示媒体。
【請求項１２】
前記電気泳動粒子が、前記分散媒に分散した状態で互いに異なる色に発色すると共に、前記保持体から離脱して前記分散媒中を移動する電界の閾値の絶対値が互いに異なる２種類以上の電気泳動粒子を含んで構成されることを特徴とする請求項１に記載の表示媒体。
【請求項１３】
少なくとも一方が透光性を有する一対の基板と、
該一対の基板の間隙に封入された分散媒と、
該分散媒に含まれ、１種類以上のまたは互いに色の異なる２種類以上の電気泳動粒子と、
前記一対の基板間に配置され、前記電気泳動粒子を保持する機能を有すると共に不織布からなる保持体と、
を少なくとも備え、
前記電気泳動粒子は、外部電圧により少なくとも前記保持体表面における任意の領域に保持された状態から該保持体表面における他の領域へと移動することを特徴とする表示媒体。
【請求項１４】
前記保持体の前記電気泳動粒子を保持する機能が、前記一対の基板の向かい合う方向において連続的または段階的に異なることを特徴とする請求項１３に記載の表示媒体。
【請求項１５】
前記保持体の前記電気泳動粒子を保持する機能が、前記一対の基板の向かい合う方向において該一対の基板の少なくとも一方から離れるほど連続的または段階的に小さいことを特徴とする請求項１３に記載の表示媒体。
【請求項１６】
少なくとも一方が透光性を有する一対の基板と、
該一対の基板の間隙に封入された分散媒と、
該分散媒に含まれ、正負何れかの極性に帯電し、１種類以上のまたは互いに色の異なる２種類以上の電気泳動粒子と、
前記一対の基板間に配置され、少なくとも一部が全種類の前記電気泳動粒子と逆の極性に帯電され、前記電気泳動粒子を保持する機能を有する保持体を含む調光層と、
前記一対の基板の一方の基板側と他方の基板側とに配置された一対の電極と、
該一対の電極に接続され、前記分散媒に対して電界を印加する電界印加手段と、
を少なくとも備え、
前記電気泳動粒子は、前記電圧印可手段によって印加された電界により、少なくとも前記保持体表面における任意の領域に保持された状態から該保持体表面における他の領域へと移動することを特徴とする表示装置。
【請求項１７】
前記保持体に保持された状態の前記電気泳動粒子が、前記保持体から離脱して前記分散媒中を移動する電界の閾値の絶対値が１００Ｖ／ｃｍ〜３０ｋＶ／ｃｍの範囲内であり、
前記電界印加手段が、
電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間とを１周期とする波形で構成され、且つ、
少なくともいずれか１つの周期における第一の区間内の波形が下式（１）を満たす電圧波形を有する電界を、前記分散媒に対して印加することを特徴とする請求項１６に記載の表示装置。
・式（１）  Ｅｐ＜Ｅｍａｘ
〔式（１）において、Ｅｐは、下式（２）で示される値を表し、Ｅｍａｘは、電圧の絶対値が閾電圧の絶対値以上である電圧で前記調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【数１】
2008139803.tif 000035
〔式（２）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【請求項１８】
前記保持体が、２以上の粒子状の部材を含んで構成されることを特徴とする請求項１６に記載の表示装置。
【請求項１９】
前記保持体が、前記全種類の電気泳動粒子とは異なる色であることを特徴とする請求項１６に記載の表示装置。
【請求項２０】
前記保持体が、繊維の集合体を含んで構成されることを特徴とする請求項１６に記載の表示装置。
【請求項２１】
前記保持体の前記電気泳動粒子を保持する機能が、前記一対の基板の向かい合う方向において連続的または段階的に異なることを特徴とする請求項１６に記載の表示装置。
【請求項２２】
前記保持体の前記電気泳動粒子を保持する機能が、前記一対の基板の向かい合う方向において該一対の基板の少なくとも一方から離れるほど連続的または段階的に小さいことを特徴とする請求項１６に記載の表示装置。
【請求項２３】
前記保持体が、前記電気泳動粒子の通過する空隙を有する多孔質体を含んで構成されることを特徴とする請求項１６に記載の表示装置。
【請求項２４】
前記保持体が、白色であることを特徴とする請求項１６に記載の表示装置。
【請求項２５】
前記電気泳動粒子が、色及び前記保持体から離脱して前記分散媒中を移動する電界の閾値の絶対値が互いに異なる２種類以上の電気泳動粒子を含んで構成されることを特徴とする請求項１６に記載の表示装置。
【請求項２６】
前記電気泳動粒子が、種類間で互いに体積平均一次粒径の異なる２種類以上の電気泳動粒子を含んで構成されることを特徴とする請求項１６に記載の表示装置。
【請求項２７】
前記電気泳動粒子が、前記分散媒に分散した状態で互いに異なる色に発色すると共に、前記保持体から離脱して前記分散媒中を移動する電界の閾値の絶対値が互いに異なる２種類以上の電気泳動粒子を含んで構成されることを特徴とする請求項１６に記載の表示装置。
【請求項２８】
少なくとも一方が透光性を有する一対の基板と、
該一対の基板の間隙に封入された分散媒と、
該分散媒に含まれ、１種類以上のまたは互いに色の異なる２種類以上の電気泳動粒子と、
前記一対の基板間に配置され、前記電気泳動粒子を保持する機能を有すると共に不織布からなる保持体を含む調光層と、
前記一対の基板の一方の基板側と他方の基板側とに配置された一対の電極と、
該一対の電極に接続され、前記分散媒に対して電界を印加する電界印加手段と、
を少なくとも備え、
前記電気泳動粒子は、前記電圧印可手段によって印加された電界により、少なくとも前記保持体表面における任意の領域に保持された状態から該保持体表面における他の領域へと移動することを特徴とする表示装置。
【請求項２９】
前記保持体の前記電気泳動粒子を保持する機能が、前記一対の基板の向かい合う方向において連続的または段階的に異なることを特徴とする請求項２８に記載の表示装置。
【請求項３０】
前記保持体の前記電気泳動粒子を保持する機能が、前記一対の基板の向かい合う方向において該一対の基板の少なくとも一方から離れるほど連続的または段階的に小さいことを特徴とする請求項２８に記載の表示装置。
【請求項３１】
分散媒と、該分散媒に含まれ、正負何れかの極性に帯電し１種類以上のまたは互いに色の異なる２種類以上の電気泳動粒子と、少なくとも一部が全種類の前記電気泳動粒子と逆の極性に帯電され前記電気泳動粒子を保持する機能を有する保持体と、を含む調光層に対して、
電位勾配が形成され、且つ、前記電気泳動粒子を、前記保持体を介して移動させる電界を印加することにより、
前記調光層の一方の側に前記電気泳動粒子を偏在させて、前記調光層の一方の側における前記電気泳動粒子に起因する色濃度が、最大濃度となるように表示を行う第１の表示工程と、
前記調光層の他方の側に前記電気泳動粒子を偏在させて、前記調光層の一方の側における前記電気泳動粒子に起因する色濃度が、最小濃度で表示を行う第２の表示工程と、
前記調光層の前記一方の側と前記他方の側との間に前記電気泳動粒子を偏在させて、前記調光層の一方の側における前記電気泳動粒子に起因する色濃度が、前記最大濃度よりも小さく且つ前記最小濃度よりも大きい濃度で表示を行う第３の表示工程と、
を任意の順で実施して表示の切り替えを行うことを特徴とする表示方法。
【請求項３２】
前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項３１に記載の表示方法。
【請求項３３】
前記保持体に保持された状態の電気泳動粒子が、前記保持体から離脱して前記分散媒中を移動する電界の閾値を有し、
前記調光層に対して印加される電界の電圧波形が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間と、を１周期とする波形で構成され、且つ、少なくともいずれか１つの周期における第一の区間内の波形が下式（３）を満たすことを特徴とする請求項３１に記載の表示方法。
・式（３）  Ｅｐ＜Ｅｍａｘ
〔式（３）において、Ｅｐは、下式（４）で示される値を表し、Ｅｍａｘは、電圧の絶対値が閾電圧の絶対値以上である電圧で調光層に対して電界を連続的に印加した場合に、最大濃度から最小濃度、または、最小濃度から最大濃度へと表示濃度を変化させるのに要する電圧・時間積量（Ｖ・ｓ）を意味する。〕
【数２】
2008139803.tif 000036
〔式（４）中、ｔは、前記少なくともいずれか１つの周期における第一の区間内の任意の時間（ｓ）を表し、ｔｐは、前記少なくともいずれか１つの周期における第一の区間の開始から終了までの時間（ｓ）を表し、Ｖ（ｔ）は、前記時間ｔにおける電圧（Ｖ）を表す。〕
【手続補正２】
【補正対象書類名】明細書
【補正対象項目名】０００５
【補正方法】変更
【補正の内容】
【０００５】
上記課題は以下の本発明により達成される。すなわち、
請求項１に係る発明は、少なくとも一方が透光性を有する一対の基板と、該一対の基板の間隙に封入された分散媒と、該分散媒に含まれ、正負何れかの極性に帯電し、１種類以上のまたは互いに色の異なる２種類以上の電気泳動粒子と、前記一対の基板間に配置され、少なくとも一部が全種類の前記電気泳動粒子と逆の極性に帯電され、前記電気泳動粒子を保持する機能を有する保持体と、を少なくとも備え、前記電気泳動粒子は、外部電圧により少なくとも前記保持体表面における任意の領域に保持された状態から該保持体表面における他の領域へと移動することを特徴とする表示媒体である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項３に係る発明は、前記保持体が、２以上の粒子状の部材を含んで構成されることを特徴とする請求項１に記載の表示媒体である。
【手続補正５】
【補正対象書類名】明細書
【補正対象項目名】０００９
【補正方法】変更
【補正の内容】
【０００９】
請求項４に係る発明は、前記保持体が、前記全種類の電気泳動粒子とは異なる色であることを特徴とする請求項１に記載の表示媒体である。
【手続補正６】
【補正対象書類名】明細書
【補正対象項目名】００１０
【補正方法】変更
【補正の内容】
【００１０】
請求項５に係る発明は、前記保持体が、繊維の集合体を含んで構成されることを特徴とする請求項１に記載の表示媒体である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項６に係る発明は、前記保持体の前記電気泳動粒子を保持する機能が、前記一対の基板の向かい合う方向において連続的または段階的に異なることを特徴とする請求項１に記載の表示媒体である。
【手続補正９】
【補正対象書類名】明細書
【補正対象項目名】００１３
【補正方法】変更
【補正の内容】
【００１３】
請求項７に係る発明は、前記保持体の前記電気泳動粒子を保持する機能が、前記一対の基板の向かい合う方向において該一対の基板の少なくとも一方から離れるほど連続的または段階的に小さいことを特徴とする請求項１に記載の表示媒体である。
【手続補正１０】
【補正対象書類名】明細書
【補正対象項目名】００１４
【補正方法】変更
【補正の内容】
【００１４】
請求項８に係る発明は、前記保持体が、前記電気泳動粒子の通過する空隙を有する多孔質体を含んで構成されることを特徴とする請求項１に記載の表示媒体である。
【手続補正１１】
【補正対象書類名】明細書
【補正対象項目名】００１５
【補正方法】変更
【補正の内容】
【００１５】
請求項９に係る発明は、前記保持体が、白色であることを特徴とする請求項１に記載の表示媒体である。
【手続補正１２】
【補正対象書類名】明細書
【補正対象項目名】００１６
【補正方法】変更
【補正の内容】
【００１６】
請求項１０に係る発明は、前記電気泳動粒子が、色及び前記保持体から離脱して前記分散媒中を移動する電界の閾値の絶対値が互いに異なる２種類以上の電気泳動粒子を含んで構成されることを特徴とする請求項１に記載の表示媒体である。
【手続補正１３】
【補正対象書類名】明細書
【補正対象項目名】００１７
【補正方法】変更
【補正の内容】
【００１７】
請求項１１に係る発明は、前記電気泳動粒子が、種類間で互いに体積平均一次粒径の異なる２種類以上の電気泳動粒子を含んで構成されることを特徴とする請求項１に記載の表示媒体である。
【手続補正１４】
【補正対象書類名】明細書
【補正対象項目名】００１８
【補正方法】変更
【補正の内容】
【００１８】
請求項１２に係る発明は、前記電気泳動粒子が、前記分散媒に分散した状態で互いに異なる色に発色すると共に、前記保持体から離脱して前記分散媒中を移動する電界の閾値の絶対値が互いに異なる２種類以上の電気泳動粒子を含んで構成されることを特徴とする請求項１に記載の表示媒体である。
請求項１３に係る発明は、少なくとも一方が透光性を有する一対の基板と、該一対の基板の間隙に封入された分散媒と、該分散媒に含まれ、１種類以上のまたは互いに色の異なる２種類以上の電気泳動粒子と、前記一対の基板間に配置され、前記電気泳動粒子を保持する機能を有すると共に不織布からなる保持体と、を少なくとも備え、前記電気泳動粒子は、外部電圧により少なくとも前記保持体表面における任意の領域に保持された状態から該保持体表面における他の領域へと移動することを特徴とする表示媒体である。
請求項１４に係る発明は、前記保持体の前記電気泳動粒子を保持する機能が、前記一対の基板の向かい合う方向において連続的または段階的に異なることを特徴とする請求項１３に記載の表示媒体である。
請求項１５に係る発明は、前記保持体の前記電気泳動粒子を保持する機能が、前記一対の基板の向かい合う方向において該一対の基板の少なくとも一方から離れるほど連続的または段階的に小さいことを特徴とする請求項１３に記載の表示媒体である。
【手続補正１５】
【補正対象書類名】明細書
【補正対象項目名】００１９
【補正方法】変更
【補正の内容】
【００１９】
請求項１６に係る発明は、少なくとも一方が透光性を有する一対の基板と、該一対の基板の間隙に封入された分散媒と、該分散媒に含まれ、正負何れかの極性に帯電し、１種類以上のまたは互いに色の異なる２種類以上の電気泳動粒子と、前記一対の基板間に配置され、少なくとも一部が全種類の前記電気泳動粒子と逆の極性に帯電され、前記電気泳動粒子を保持する機能を有する保持体を含む調光層と、前記一対の基板の一方の基板側と他方の基板側とに配置された一対の電極と、該一対の電極に接続され、前記分散媒に対して電界を印加する電界印加手段と、を少なくとも備え、前記電気泳動粒子は、前記電圧印可手段によって印加された電界により、少なくとも前記保持体表面における任意の領域に保持された状態から該保持体表面における他の領域へと移動することを特徴とする表示装置である。
【手続補正１６】
【補正対象書類名】明細書
【補正対象項目名】００２０
【補正方法】変更
【補正の内容】
【００２０】
請求項１７に係る発明は、前記保持体に保持された状態の前記電気泳動粒子が、前記保持体から離脱して前記分散媒中を移動する電界の閾値の絶対値が１００Ｖ／ｃｍ〜３０ｋＶ／ｃｍの範囲内であり、前記電界印加手段が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間とを１周期とする波形で構成され、且つ、少なくともいずれか１つの周期における第一の区間内の波形が下式（１）を満たす電圧波形を有する電界を、前記分散媒に対して印加することを特徴とする請求項１４に記載の表示装置である。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
請求項１８に係る発明は、前記保持体が、２以上の粒子状の部材を含んで構成されることを特徴とする請求項１６に記載の表示装置である。
【手続補正１９】
【補正対象書類名】明細書
【補正対象項目名】００２６
【補正方法】変更
【補正の内容】
【００２６】
請求項１９に係る発明は、前記保持体が、前記全種類の電気泳動粒子とは異なる色であることを特徴とする請求項１６に記載の表示装置である。
【手続補正２０】
【補正対象書類名】明細書
【補正対象項目名】００２７
【補正方法】変更
【補正の内容】
【００２７】
請求項２０に係る発明は、前記保持体が、繊維の集合体を含んで構成されることを特徴とする請求項１６に記載の表示装置である。
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
請求項２１に係る発明は、前記保持体の前記電気泳動粒子を保持する機能が、前記一対の基板の向かい合う方向において連続的または段階的に異なることを特徴とする請求項１６に記載の表示装置である。
【手続補正２３】
【補正対象書類名】明細書
【補正対象項目名】００３０
【補正方法】変更
【補正の内容】
【００３０】
請求項２２に係る発明は、前記保持体の前記電気泳動粒子を保持する機能が、前記一対の基板の向かい合う方向において該一対の基板の少なくとも一方から離れるほど連続的または段階的に小さいことを特徴とする請求項１６に記載の表示装置である。
【手続補正２４】
【補正対象書類名】明細書
【補正対象項目名】００３１
【補正方法】変更
【補正の内容】
【００３１】
請求項２３に係る発明は、前記保持体が、前記電気泳動粒子の通過する空隙を有する多孔質体を含んで構成されることを特徴とする請求項１６に記載の表示装置である。
【手続補正２５】
【補正対象書類名】明細書
【補正対象項目名】００３２
【補正方法】変更
【補正の内容】
【００３２】
請求項２４に係る発明は、前記保持体が、白色であることを特徴とする請求項１６に記載の表示装置である。
【手続補正２６】
【補正対象書類名】明細書
【補正対象項目名】００３３
【補正方法】変更
【補正の内容】
【００３３】
請求項２５に係る発明は、前記電気泳動粒子が、色及び前記保持体から離脱して前記分散媒中を移動する電界の閾値の絶対値が互いに異なる２種類以上の電気泳動粒子を含んで構成されることを特徴とする請求項１６に記載の表示装置である。
【手続補正２７】
【補正対象書類名】明細書
【補正対象項目名】００３４
【補正方法】変更
【補正の内容】
【００３４】
請求項２６に係る発明は、前記電気泳動粒子が、種類間で互いに体積平均一次粒径の異なる２種類以上の電気泳動粒子を含んで構成されることを特徴とする請求項１６に記載の表示装置である。
【手続補正２８】
【補正対象書類名】明細書
【補正対象項目名】００３５
【補正方法】変更
【補正の内容】
【００３５】
請求項２７に係る発明は、前記電気泳動粒子が、前記分散媒に分散した状態で互いに異なる色に発色すると共に、前記保持体から離脱して前記分散媒中を移動する電界の閾値の絶対値が互いに異なる２種類以上の電気泳動粒子を含んで構成されることを特徴とする請求項１６に記載の表示装置である。
請求項２８に係る発明は、少なくとも一方が透光性を有する一対の基板と、該一対の基板の間隙に封入された分散媒と、該分散媒に含まれ、１種類以上のまたは互いに色の異なる２種類以上の電気泳動粒子と、前記一対の基板間に配置され、前記電気泳動粒子を保持する機能を有すると共に不織布からなる保持体を含む調光層と、前記一対の基板の一方の基板側と他方の基板側とに配置された一対の電極と、該一対の電極に接続され、前記分散媒に対して電界を印加する電界印加手段と、を少なくとも備え、前記電気泳動粒子は、前記電圧印可手段によって印加された電界により、少なくとも前記保持体表面における任意の領域に保持された状態から該保持体表面における他の領域へと移動することを特徴とする表示装置である。
請求項２９に係る発明は、前記保持体の前記電気泳動粒子を保持する機能が、前記一対の基板の向かい合う方向において連続的または段階的に異なることを特徴とする請求項２８に記載の表示装置である。
請求項３０に係る発明は、前記保持体の前記電気泳動粒子を保持する機能が、前記一対の基板の向かい合う方向において該一対の基板の少なくとも一方から離れるほど連続的または段階的に小さいことを特徴とする請求項２８に記載の表示装置である。
【手続補正２９】
【補正対象書類名】明細書
【補正対象項目名】００３６
【補正方法】変更
【補正の内容】
【００３６】
請求項３１に係る発明は、分散媒と、該分散媒に含まれ、正負何れかの極性に帯電し１種類以上のまたは互いに色の異なる２種類以上の電気泳動粒子と、少なくとも一部が全種類の前記電気泳動粒子と逆の極性に帯電され前記電気泳動粒子を保持する機能を有する保持体と、を含む調光層に対して、電位勾配が形成され、且つ、前記電気泳動粒子を、前記保持体を介して移動させる電界を印加することにより、前記調光層の一方の側に前記電気泳動粒子を偏在させて、前記調光層の一方の側における前記電気泳動粒子に起因する色濃度が、最大濃度となるように表示を行う第１の表示工程と、前記調光層の他方の側に前記電気泳動粒子を偏在させて、前記調光層の一方の側における前記電気泳動粒子に起因する色濃度が、最小濃度で表示を行う第２の表示工程と、前記調光層の前記一方の側と前記他方の側との間に前記電気泳動粒子を偏在させて、前記調光層の一方の側における前記電気泳動粒子に起因する色濃度が、前記最大濃度よりも小さく且つ前記最小濃度よりも大きい濃度で表示を行う第３の表示工程と、を任意の順で実施して表示の切り替えを行うことを特徴とする表示方法である。
【手続補正３０】
【補正対象書類名】明細書
【補正対象項目名】００３７
【補正方法】変更
【補正の内容】
【００３７】
請求項３２に係る発明は、前記保持体に保持された状態の電気泳動粒子が、前記保持体から離脱して前記分散媒中を移動する電界の閾値の絶対値が１００Ｖ／ｃｍ〜３０ｋＶ／ｃｍの範囲内であることを特徴とする請求項３１に記載の表示方法である。
【手続補正３１】
【補正対象書類名】明細書
【補正対象項目名】００３８
【補正方法】変更
【補正の内容】
【００３８】
請求項３３に係る発明は、前記保持体に保持された状態の電気泳動粒子が、前記保持体から離脱して前記分散媒中を移動する電界の閾値を有し、前記調光層に対して印加される電界の電圧波形が、電圧の絶対値が前記電界の閾値に対応する閾電圧の絶対値以上である電圧で電界を印加し続ける第一の区間と、電圧の絶対値が前記電界の閾値に対応する閾電圧の絶対値未満である電圧で電界を印加し続ける第二の区間と、を１周期とする波形で構成され、且つ、少なくともいずれか１つの周期における第一の区間内の波形が下式（３）を満たすことを特徴とする請求項３１に記載の表示方法である。
【手続補正３２】
【補正対象書類名】明細書
【補正対象項目名】００４２
【補正方法】変更
【補正の内容】
【００４２】
請求項１に係る発明によれば、電気泳動粒子を保持する機能を有する保持体を有しない場合に比べて、優れた表示状態の維持性を有し、且つ１画素単位でも中間調の表示を行うことができるという効果を奏する。また、粒子及び保持体の帯電極性を調整することで、容易に保持体が粒子を保持する機能を調整することができるという効果を奏する。
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】変更
【補正の内容】
【００４５】
請求項３に係る発明によれば、さらに表示状態の切替えを向上させるという効果を奏する。
【手続補正３５】
【補正対象書類名】明細書
【補正対象項目名】００４６
【補正方法】変更
【補正の内容】
【００４６】
請求項４に係る発明によれば、さらに、より多くの色表示を行うことができるという効果を奏する。
【手続補正３６】
【補正対象書類名】明細書
【補正対象項目名】００４７
【補正方法】変更
【補正の内容】
【００４７】
請求項５に係る発明によれば、さらに繊維の太さと繊維間距離を調整することで、容易に粒子を保持する機能を調整することができるという効果を奏する。
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】変更
【補正の内容】
【００４９】
請求項６に係る発明によれば、さらに容易に階調表現を行うことができるという効果を奏する。
【手続補正３９】
【補正対象書類名】明細書
【補正対象項目名】００５０
【補正方法】変更
【補正の内容】
【００５０】
請求項７に係る発明によれば、さらに一対の基板の向かい合う面における良好な表示状態の維持性を実現することができるという効果を奏する。
【手続補正４０】
【補正対象書類名】明細書
【補正対象項目名】００５１
【補正方法】変更
【補正の内容】
【００５１】
請求項８に係る発明によれば、さらに、使用する多孔質体の表面積に応じ、より多くの粒子を保持できるという効果を奏する。
【手続補正４１】
【補正対象書類名】明細書
【補正対象項目名】００５２
【補正方法】変更
【補正の内容】
【００５２】
請求項９に係る発明によれば、さらに、白色度を向上させることができるという効果を奏する。
【手続補正４２】
【補正対象書類名】明細書
【補正対象項目名】００５３
【補正方法】変更
【補正の内容】
【００５３】
請求項１０に係る発明によれば、さらに、画質劣化を抑制して鮮明な多色表示を行うことができるという効果を奏する。
【手続補正４３】
【補正対象書類名】明細書
【補正対象項目名】００５４
【補正方法】変更
【補正の内容】
【００５４】
請求項１１に係る発明によれば、さらに、各種類の粒子が保持体に保持される機能を容易に調整することができるという効果を奏する。
【手続補正４４】
【補正対象書類名】明細書
【補正対象項目名】００５５
【補正方法】変更
【補正の内容】
【００５５】
請求項１２に係る発明によれば、さらに1画素単位で多色表示を行うことができるという効果を奏する。
【手続補正４５】
【補正対象書類名】明細書
【補正対象項目名】００５６
【補正方法】変更
【補正の内容】
【００５６】
請求項１６に係る発明によれば、電気泳動粒子を保持する機能を有する保持体を有しない場合に比べて優れた表示状態の維持性を有し、且つ１画素単位でも中間調の表示する表示方法を提供することができるという効果を奏する。
【手続補正４６】
【補正対象書類名】明細書
【補正対象項目名】００５７
【補正方法】変更
【補正の内容】
【００５７】
請求項１７に係る発明によれば、電気泳動粒子を保持する機能を有する保持体を有しない場合に比べて、優れた表示状態の維持性を有し、且つ１画素単位でも中間調の表示を行うことができるという効果を奏する。
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】変更
【補正の内容】
【００５９】
請求項１８に係る発明によれば、さらに表示状態の切替えを向上させるという効果を奏する。
【手続補正４９】
【補正対象書類名】明細書
【補正対象項目名】００６０
【補正方法】変更
【補正の内容】
【００６０】
請求項１９に係る発明によれば、さらに、より多くの色表示を行うことができるという効果を奏する。
【手続補正５０】
【補正対象書類名】明細書
【補正対象項目名】００６１
【補正方法】変更
【補正の内容】
【００６１】
請求項２０に係る発明によれば、さらに繊維の太さと繊維間距離を調整することで、容易に粒子を保持する機能を調整することができるという効果を奏する。
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】変更
【補正の内容】
【００６３】
請求項２１に係る発明によれば、さらに容易に階調表現を行うことができるという効果を奏する。
【手続補正５３】
【補正対象書類名】明細書
【補正対象項目名】００６４
【補正方法】変更
【補正の内容】
【００６４】
請求項２２に係る発明によれば、さらに一対の基板の向かい合う面における良好な表示状態の維持性を実現することができるという効果を奏する。
【手続補正５４】
【補正対象書類名】明細書
【補正対象項目名】００６５
【補正方法】変更
【補正の内容】
【００６５】
請求項２３に係る発明によれば、さらに、使用する多孔質体の表面積に応じ、より多くの粒子を保持できるという効果を奏する。
【手続補正５５】
【補正対象書類名】明細書
【補正対象項目名】００６６
【補正方法】変更
【補正の内容】
【００６６】
請求項２４に係る発明によれば、さらに、白色度を向上させることができるという効果を奏する。
【手続補正５６】
【補正対象書類名】明細書
【補正対象項目名】００６７
【補正方法】変更
【補正の内容】
【００６７】
請求項２５に係る発明によれば、さらに、画質劣化を抑制して鮮明な多色表示を行うことができるという効果を奏する。
【手続補正５７】
【補正対象書類名】明細書
【補正対象項目名】００６８
【補正方法】変更
【補正の内容】
【００６８】
請求項２６に係る発明によれば、さらに、各種類の粒子が保持体に保持される機能を容易に調整することができるという効果を奏する。
【手続補正５８】
【補正対象書類名】明細書
【補正対象項目名】００６９
【補正方法】変更
【補正の内容】
【００６９】
請求項２７に係る発明によれば、さらに1画素単位で多色表示を行うことができるという効果を奏する。
【手続補正５９】
【補正対象書類名】明細書
【補正対象項目名】００７０
【補正方法】変更
【補正の内容】
【００７０】
請求項３１に係る発明によれば、電気泳動粒子を保持する機能を有する保持体を有しない場合に比べて優れた表示状態の維持性を有し、且つ１画素単位でも中間調の表示する表示方法を提供することができるという効果を奏する。
【手続補正６０】
【補正対象書類名】明細書
【補正対象項目名】００７１
【補正方法】変更
【補正の内容】
【００７１】
請求項３２に係る発明によれば、さらに表示状態の維持性の低下を抑制することができると共に、低電力で容易に粒子を移動させることができるという効果を奏する。
【手続補正６１】
【補正対象書類名】明細書
【補正対象項目名】００７２
【補正方法】変更
【補正の内容】
【００７２】
請求項３３に係る発明によれば、さらに画質劣化を抑制して鮮明な多色表示を行うことができるという効果を奏する。